(57)【特許請求の範囲】
【請求項１】
方法であって、
無線デバイス（４０６）によって、第１の論理チャネルグループを含む論理チャネルグループにグループ化された論理チャネルの構成パラメータを受信することと、
パディングビット数に基づいて、切り捨てられたバッファステータスレポート（ＢＳＲ）を送信することと、
を含み、
前記切り捨てられたＢＳＲが、
前記第１の論理チャネルグループに対するバッファサイズフィールドの存在を示す、存在ビット、および
送信のためのデータを有する論理チャネルを含む論理チャネルグループに対する、第１の数のバッファサイズフィールド、
を含み、前記論理チャネルの前記送信のためのデータは、前記論理チャネルの優先度の減少順に従い、前記第１の数が、前記パディングビット数に基づいて決定される、方法。
【請求項２】
アップリンクリソース割り当てを示すアップリンクグラントを含むダウンリンク制御情報を受信することをさらに含み、前記パディングビット数が、少なくとも前記アップリンクグラントのサイズに基づく、請求項１に記載の方法。
【請求項３】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、請求項１または２のいずれかに記載の方法。
【請求項４】
前記バッファサイズフィールドの第１の数が、前記パディングビット数内に収まる前記切り捨てられたＢＳＲのサイズに基づいて決定される、請求項１〜３のいずれかに記載の方法。
【請求項５】
無線デバイス（４０６）であって、
１つ以上のプロセッサ（４０３）と、
命令（４０５）を記憶するメモリ（４０４）と、
を備え、前記命令が、前記１つ以上のプロセッサ（４０３）によって実行されたとき、前記無線デバイス（４０６）に、
第１の論理チャネルグループを含む論理チャネルグループにグループ化された論理チャネルの構成パラメータを受信することと、
パディングビット数に基づいて、切り捨てられたバッファステータスレポート（ＢＳＲ）を送信することと、
を行わせ、前記切り捨てられたＢＳＲが、
前記第１の論理チャネルグループに対するバッファサイズフィールドの存在を示す、存在ビット、および
送信のためのデータを有する論理チャネルを含む論理チャネルグループに対する、第１の数のバッファサイズフィールド、
を含み、前記論理チャネルの前記送信のためのデータは、前記論理チャネルの優先度の減少順に従い、前記第１の数が、前記パディングビット数に基づいて決定される、無線デバイス（４０６）。
【請求項６】
前記命令（４０５）が、実行されたとき、前記無線デバイス（４０６）に、アップリンクリソース割り当てを示すアップリンクグラントを含むダウンリンク制御情報を受信することをさらに行わせ、
前記パディングビット数が、少なくとも前記アップリンクグラントのサイズに基づく、請求項５に記載の無線デバイス（４０６）。
【請求項７】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、請求項５または６のいずれかに記載の無線デバイス（４０６）。
【請求項８】
前記バッファサイズフィールドの第１の数が、前記パディングビット数内に収まる前記切り捨てられたＢＳＲのサイズに基づいて決定される、請求項５〜７のいずれかに記載の無線デバイス（４０６）。
【請求項９】
方法であって、
基地局（４０１）によって、第１の論理チャネルグループを含む論理チャネルグループにグループ化された論理チャネルの構成パラメータを送信することと、
パディングビット数に基づいて、切り捨てられたバッファステータスレポート（ＢＳＲ）を受信することと、
を含み、前記切り捨てられたＢＳＲが、
前記第１の論理チャネルグループに対するバッファサイズフィールドの存在を示す、存在ビット、および
送信のためのデータを有する論理チャネルを含む論理チャネルグループに対する、第１の数のバッファサイズフィールド、
を含み、前記論理チャネルの前記送信のためのデータは、前記論理チャネルの優先度の減少順に従い、前記第１の数が、前記パディングビット数に基づいて決定される、方法。
【請求項１０】
アップリンクリソース割り当てを示すアップリンクグラントを含むダウンリンク制御情報を送信することをさらに含み、前記パディングビット数が、少なくとも前記アップリンクグラントのサイズに基づく、請求項９に記載の方法。
【請求項１１】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、請求項９または１０のいずれかに記載の方法。
【請求項１２】
前記バッファサイズフィールドの第１の数が、前記パディングビット数内に収まる前記切り捨てられたＢＳＲのサイズに基づいて決定される、請求項９〜１１のいずれかに記載の方法。
【請求項１３】
基地局（４０１）であって、
１つ以上のプロセッサ（４０３）と、
命令（４０５）を記憶するメモリ（４０４）と、
を備え、前記命令が、前記１つ以上のプロセッサに（４０３）よって実行されたとき、前記基地局（４０１）に、
第１の論理チャネルグループを含む論理チャネルグループにグループ化された論理チャネルの構成パラメータを送信することと、
パディングビット数に基づいて、切り捨てられたバッファステータスレポート（ＢＳＲ）を受信することと、
を行わせ、前記切り捨てられたＢＳＲが、
前記第１の論理チャネルグループに対するバッファサイズフィールドの存在を示す、存在ビット、および
送信のためのデータを有する論理チャネルを含む論理チャネルグループに対する、第１の数のバッファサイズフィールド、
を含み、前記論理チャネルの前記送信のためのデータは、前記論理チャネルの優先度の減少順に従い、前記第１の数が、前記パディングビット数に基づいて決定される、基地局（４０１）。
【請求項１４】
前記命令（４０５）が、実行されたとき、前記基地局（４０１）に、アップリンクリソース割り当てを示すアップリンクグラントを含むダウンリンク制御情報を送信することをさらに行わせ、
前記パディングビット数が、少なくとも前記アップリンクグラントのサイズに基づく、請求項１３に記載の基地局（４０１）。
【請求項１５】
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示し、
前記バッファサイズフィールドの第１の数が、前記パディングビット内に収まる前記切り捨てられたＢＳＲのサイズに基づいて決定される、請求項１３または１４のいずれかに記載の基地局（４０１）。
【発明の詳細な説明】
【背景技術】
【０００１】
関連出願の相互参照
本出願は、２０１７年３月１６日に出願された米国仮出願第６２／４７２，０２９号の利益を主張し、その特許仮出願は、参照によりその全体が本明細書に組み込まれる。
【発明の概要】
【課題を解決するための手段】
【０００２】
本開示の様々な実施形態のうちのいくつかの例が、図面を参照して本明細書に記載されている。
本発明は、例えば、以下を提供する。
（項目１）
方法であって、
無線デバイスによって、第１の論理チャネルグループを含む複数の論理チャネルグループにグループ化された複数の論理チャネルの構成パラメータを受信することと、
パディングバッファステータスレポート（ＢＳＲ）をトリガすることと、
切り捨てられたＢＳＲを、
前記パディングＢＳＲをトリガすることと、
パディングビット数が、
短いＢＳＲに短いＢＳＲサブヘッダを加えたサイズよりも大きく、かつ、
長いＢＳＲに長いＢＳＲサブヘッダを加えたサイズよりも小さいことと、に応答して、送信することと、を含み、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示し、前記バッファサイズフィールドが、前記第１の論理チャネルグループの論理チャネル全体にわたって利用可能なデータ量を示す、第１のフィールドと、
優先度の減少順に従って送信するための利用可能なデータを有する論理チャネルを有する論理チャネルグループに対する、第１の数のバッファサイズフィールドであって、前記第１の数が、前記パディングビット数に基づいて決定されている、第１の数のバッファサイズフィールドと、を含む、方法。
（項目２）
前記構成パラメータが、前記複数の論理チャネル内の論理チャネルに対する優先度を示す、項目１に記載の方法。
（項目３）
アップリンクリソース割り当てを示すアップリンクグラントを含むダウンリンク制御情報を受信することをさらに含む、項目１または２に記載の方法。
（項目４）
前記パディングビット数が、前記アップリンクグラントのサイズに少なくとも基づいている、項目１〜３のいずれかに記載の方法。
（項目５）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目１〜４のいずれかに記載の方法。
（項目６）
前記第１の数のバッファサイズフィールドが、前記パディングビットに適合する前記切り捨てられたＢＳＲのサイズに基づいて決定されている、項目１〜５のいずれかに記載の方法。
（項目７）
前記切り捨てられたＢＳＲのサイズが、前記第１の数のバッファサイズフィールドに依存する、項目１〜６のいずれかに記載の方法。
（項目８）
前記第１のフィールド内の前記第１の存在ビットの第１の位置が、論理チャネルグループ識別子を識別する、項目１〜７のいずれかに記載の方法。
（項目９）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記第１の論理チャネルグループに対する前記バッファサイズフィールドが存在しないことを示す、項目１〜８のいずれかに記載の方法。
（項目１０）
前記切り捨てられたＢＳＲを送信することが、
前記パディングＢＳＲをトリガすることと、
前記パディングビット数が前記短いＢＳＲに前記短いＢＳＲサブヘッダを加えたサイズに等しいことと、にさらに応答することをさらに含む、項目１〜９のいずれかに記載の方法。
（項目１１）
無線デバイスであって、
１つ以上のプロセッサと、
命令を格納するメモリであって、前記命令が、前記１つ以上のプロセッサによって実行されたときに、前記無線デバイスに、
第１の論理チャネルグループを含む複数の論理チャネルグループにグループ化された複数の論理チャネルの構成パラメータを受信することと、
切り捨てられたバッファステータスレポート（ＢＳＲ）を送信することであって、
パディングビット数が、
短いＢＳＲに短いＢＳＲサブヘッダを加えたサイズよりも大きく、かつ、
長いＢＳＲに長いＢＳＲサブヘッダを加えたサイズよりも小さいことに応答して、送信することと、を行わせる、メモリと、を備え、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示し、前記バッファサイズフィールドが、前記第１の論理チャネルグループの論理チャネル全体にわたって利用可能なデータ量を示す、第１のフィールドと、
優先度の減少順に従って送信するための利用可能なデータを有する論理チャネルを有する論理チャネルグループに対する、第１の数のバッファサイズフィールドであって、前記第１の数が、前記パディングビット数に基づいて決定される、第１の数のバッファサイズフィールドと、を含む、無線デバイス。
（項目１２）
前記構成パラメータが、前記複数の論理チャネル内の論理チャネルに対する優先度を示す、項目１１に記載の無線デバイス。
（項目１３）
前記命令は、前記１つ以上のプロセッサによって実行されたときに、前記無線デバイスに、アップリンクリソース割り当てを示すアップリンクグラントを含むダウンリンク制御情報を受信することをさらに行わせる、項目１１または１２に記載の無線デバイス。
（項目１４）
前記パディングビット数が、前記アップリンクグラントのサイズに少なくとも基づいている、項目１１〜１３のいずれかに記載の無線デバイス。
（項目１５）
前記切り捨てられたＢＳＲが、論理チャネル識別子および長さフィールドを含む媒体アクセス制御サブヘッダと関連付けられ、前記長さフィールドが、前記切り捨てられたＢＳＲの長さを示す、項目１１〜１４のいずれかに記載の無線デバイス。
（項目１６）
前記第１の数のバッファサイズフィールドが、前記パディングビットに適合する前記切り捨てられたＢＳＲのサイズに基づいて決定されている、項目１１〜１５のいずれかに記載の無線デバイス。
（項目１７）
前記切り捨てられたＢＳＲのサイズが、前記第１の数のバッファサイズフィールドに依存する、項目１１〜１６のいずれかに記載の無線デバイス。
（項目１８）
前記第１のフィールド内の前記第１の存在ビットの第１の位置が、論理チャネルグループ識別子を識別する、項目１１〜１７のいずれかに記載の無線デバイス。
（項目１９）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目１１〜１８のいずれかに記載の無線デバイス。
（項目２０）
前記切り捨てられたＢＳＲを送信することが、
前記パディングＢＳＲをトリガすることと、
前記パディングビット数が前記短いＢＳＲに前記短いＢＳＲサブヘッダを加えたサイズに等しいことと、にさらに応答する、項目１１〜１９のいずれかに記載の無線デバイス。
（項目２１）
無線デバイスであって、
１つ以上のプロセッサと、
命令を格納するメモリであって、前記命令が、前記１つ以上のプロセッサによって実行されたときに、前記無線デバイスに、
複数の論理チャネルグループにグループ化された複数の論理チャネルの構成パラメータを受信することと、
切り捨てられたバッファステータスレポート（ＢＳＲ）を送信することであって、パディングビット数が、
短いＢＳＲに短いＢＳＲサブヘッダを加えたサイズよりも大きく、かつ、
長いＢＳＲに長いＢＳＲサブヘッダを加えたサイズよりも小さいことに応答して、送信することと、を行わせる、メモリと、を備え、
前記切り捨てられたＢＳＲが、
前記複数の論理チャネルグループ内の第１の論理チャネルグループに対する第１の存在ビットを含む一連の存在ビットを含む第１のフィールドであって、
前記第１のフィールド内の前記第１の存在ビットの第１の位置が、前記第１の論理チャネルグループの識別子を識別し、かつ、
前記第１の存在ビットの値が、前記第１の論理チャネルグループに対するバッファサイズフィールドの存在を示す、第１のフィールドと、
優先度の減少順に従って送信するための利用可能なデータを有する論理チャネルを有する前記第１の数の論理チャネルグループに対する、第１の数のバッファサイズフィールドであって、前記第１の数が、前記パディングビット数に基づいて決定されている、第１の数のバッファサイズフィールドと、を含む、無線デバイス。
（項目２２）
前記命令が、前記１つ以上のプロセッサによって実行されたときに、前記無線デバイスに、アップリンクリソース割り当てを示すアップリンクグラントを含むダウンリンク制御情報を受信することをさらに行わせる、項目２１に記載の無線デバイス。
（項目２３）
前記パディングビット数が、前記アップリンクグラントのサイズに少なくとも基づいている、項目２１または２２に記載の無線デバイス。
（項目２４）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目２１〜２３のいずれかに記載の無線デバイス。
（項目２５）
前記第１のバッファサイズフィールド数が、前記パディングビットに適合する前記切り捨てられたＢＳＲのサイズに基づいて決定されている、項目２１〜２４のいずれかに記載の無線デバイス。
（項目２６）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目２１〜２５のいずれかに記載の無線デバイス。
（項目２７）
基地局であって、
１つ以上のプロセッサと、
命令を格納するメモリであって、前記命令は、前記１つ以上のプロセッサによって実行されたときに、前記基地局に、
第１の論理チャネルグループを含む複数の論理チャネルグループにグループ化された複数の論理チャネルの構成パラメータを送信することと、
切り捨てられたＢＳＲを受信することであって、パディングビット数が、
短いＢＳＲに短いＢＳＲサブヘッダを加えたサイズよりも大きく、かつ、
長いＢＳＲに長いＢＳＲサブヘッダを加えたサイズよりも小さいことに応答して、受信することと、を行わせる、メモリと、を備え、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示し、前記バッファサイズフィールドが、前記第１の論理チャネルグループの論理チャネル全体にわたって利用可能なデータ量を示す、第１のフィールドと、
優先度の減少順に従って送信するための利用可能なデータを有する論理チャネルを有する前記第１の数の論理チャネルグループに対する、第１の数のバッファサイズフィールドであって、前記第１の数が、前記パディングビット数に基づいて決定されている、第１の数のバッファサイズフィールドと、を含む、基地局。
（項目２８）
前記命令が、前記１つ以上のプロセッサによって実行されたときに、前記基地局に、アップリンクリソース割り当てを示すアップリンクグラントを含むダウンリンク制御情報を送信することをさらに行わせる、項目２７に記載の基地局。
（項目２９）
前記パディングビット数が、前記アップリンクグラントのサイズに少なくとも基づいている、項目２７または２８に記載の基地局。
（項目３０）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目２７〜２９のいずれかに記載の基地局。
（項目３１）
前記第１の数のバッファサイズフィールドが、前記パディングビットに適合する前記切り捨てられたＢＳＲのサイズに基づいて決定されている、項目２７〜３０のいずれかに記載の基地局。
（項目３２）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目２７〜３１のいずれかに記載の基地局。
（項目３３）
方法であって、
無線デバイスによって、第１の論理チャネルグループを含む複数の論理チャネルグループにグループ化される複数の論理チャネルの構成パラメータを受信することと、
切り捨てられたバッファステータスレポート（ＢＳＲ）を送信することであって、パディングビット数が、
短いＢＳＲに短いＢＳＲサブヘッダを加えたサイズよりも大きく、かつ、
長いＢＳＲに長いＢＳＲサブヘッダを加えたサイズよりも小さいことと、に応答して、送信することと、を含み、
前記切り捨てられたＢＳＲが、
複数の存在ビットを含む第１のフィールドであって、前記複数の存在ビット内の存在ビットが、前記存在ビットに対応する前記第１の論理チャネルグループに対するバッファサイズフィールドの存在を示す、第１のフィールドと、
優先度の減少順に従って送信するための利用可能なデータを有する論理チャネルを有する論理チャネルグループに対する、第１の数のバッファサイズフィールドであって、前記第１の数が、前記パディングビット数に基づいて決定されている、第１の数のバッファサイズフィールドと、を含む、方法。
（項目３４）
アップリンクリソース割り当てを示すアップリンクグラントを含むダウンリンク制御情報を受信することをさらに含む、項目３３に記載の方法。
（項目３５）
前記パディングビット数が、前記アップリンクグラントのサイズに少なくとも基づいている、項目３３または３４に記載の方法。
（項目３６）
前記切り捨てられたＢＳＲが、論理チャネル識別子および長さフィールドを含む、媒体アクセス制御サブヘッダと関連付けられ、前記長さフィールドが、前記切り捨てられたＢＳＲの長さを示す、項目３３〜３５のいずれかに記載の方法。
（項目３７）
前記第１の数のバッファサイズフィールドが、前記パディングビットに適合する前記切り捨てられたＢＳＲのサイズに基づいて決定されている、項目３３〜３６のいずれかに記載の方法。
（項目３８）
前記第１の存在ビットに対して１である第１の値が、前記第１の存在ビットに対応する前記第１の論理チャネルグループに対する前記バッファサイズフィールドが存在することを示し、
前記第１の存在ビットに対してゼロである第２の値が、前記第１の存在ビットに対応する前記論理チャネルグループに対する前記バッファサイズフィールドが存在しないことを示す、項目３３〜３７のいずれかに記載の方法。
（項目３９）
方法であって、
無線デバイスによって、基地局から、第１の論理チャネル優先度を有する第１の論理チャネルを含む複数の論理チャネルの構成パラメータを受信することであって、前記第１の論理チャネルが、１つ以上の送信持続時間にマッピングされている、受信することと、
バッファステータスレポートを、
アップリンクデータが、アップリンクデータを有する第１の複数の論理チャネル内の前記第１の論理チャネルに対して利用可能になることと、
前記第１のチャネル優先度が、前記第１の複数の論理チャネル内の１つ以上の選択された論理チャネルの１つ以上の優先度よりも高いことであって、前記１つ以上の選択された論理チャネルが、前記１つ以上の送信持続時間にマッピングされていることに応答して選択される、高いことと、に応答して、トリガすることと、
前記バッファステータスレポートを前記基地局に送信することと、を含む、方法。
（項目４０）
前記１つ以上の選択された論理チャネルが、前記第１の複数の論理チャネルよりも少ない、項目３９に記載の方法。
（項目４１）
前記アップリンクデータが前記第１の論理チャネルに対して利用可能になることが、前記アップリンクデータが前記第１の論理チャネルのアップリンクバッファ内で利用可能になることに応答するものであり、前記アップリンクバッファが、無線リンク制御バッファまたはパケットデータコンバージェンスプロトコルバッファである、項目３９または４０に記載の方法。
（項目４２）
前記複数の論理チャネルが、第１の複数の論理チャネルグループにグループ化され、
前記バッファステータスレポートが、前記第１の複数の論理チャネルグループ内の１つ以上の論理チャネルグループのバッファステータスを示す、項目３９〜４１のいずれかに記載の方法。
（項目４３）
前記バッファステータスレポートが、短いフォーマット、長いフォーマット、または切り捨てフォーマットのうちの１つである、項目３９〜４２のいずれかに記載の方法。
（項目４４）
前記構成パラメータが、前記１つ以上の選択された論理チャネル内の第２の論理チャネルが前記１つ以上の送信持続時間にマッピングされているかどうかを示す、項目３９〜４３のいずれかに記載の方法。
（項目４５）
前記第１の論理チャネルが、前記１つ以上の送信持続時間の間、１つの論理チャネル優先度を有する、項目３９〜４４のいずれかに記載の方法。
（項目４６）
前記複数の論理チャネルが、送信持続時間への論理チャネルマッピングに基づいてグループ化されている、項目３９〜４５のいずれかに記載の方法。
（項目４７）
前記構成パラメータが、前記第１の論理チャネルに対する第１の論理チャネル識別子を含む、項目３９〜４６のいずれかに記載の方法。
（項目４８）
前記バッファステータスレポートを送信することに応答して、アップリンクグラントを受信することをさらに含む、項目３９〜４７のいずれかに記載の方法。
（項目４９）
無線デバイスであって、
１つ以上のプロセッサと、
命令を格納するメモリであって、前記命令は、前記１つ以上のプロセッサによって実行されたときに、前記無線デバイスに、
第１の論理チャネル優先度を有する第１の論理チャネルを含む複数の論理チャネルの構成パラメータを受信することであって、前記第１の論理チャネルが、１つ以上の送信持続時間にマッピングされている、受信することと、
バッファステータスレポートを、
アップリンクデータが、アップリンクデータを有する第１の複数の論理チャネル内の前記第１の論理チャネルに対して利用可能になることと、
前記第１のチャネル優先度が、前記第１の複数の論理チャネル内の１つ以上の選択された論理チャネルの１つ以上の優先度よりも高いことであって、前記１つ以上の選択された論理チャネルが、前記１つ以上の送信持続時間にマッピングされていることに応答して選択される、高いことと、に応答して、トリガすることと、
前記バッファステータスレポートを前記基地局に送信することと、を行わせる、メモリと、を備える、無線デバイス。
（項目５０）
前記１つ以上の選択された論理チャネルが、前記第１の複数の論理チャネルよりも少ない、項目４９に記載した無線デバイス。
（項目５１）
前記アップリンクデータが前記第１の論理チャネルに対して利用可能になることは、前記アップリンクデータが前記第１の論理チャネルのアップリンクバッファ内で利用可能になることに応答するものであり、前記アップリンクバッファが、無線リンク制御バッファまたはパケットデータコンバージェンスプロトコルバッファである、項目４９または４８に記載の無線デバイス。
（項目５２）
前記複数の論理チャネルが、第１の複数の論理チャネルグループにグループ化され、
前記バッファステータスレポートが、前記第１の複数の論理チャネルグループ内の１つ以上の論理チャネルグループのバッファステータスを示す、項目４９〜５１のいずれかに記載の無線デバイス。
（項目５３）
前記バッファステータスレポートが、短いフォーマット、長いフォーマット、または切り捨てフォーマットのうちの１つである、項目４９〜５２のいずれかに記載の無線デバイス。
（項目５４）
前記構成パラメータが、前記１つ以上の選択された論理チャネル内の第２の論理チャネルが前記１つ以上の送信持続時間にマッピングされているかどうかを示す、項目４９〜５３のいずれかに記載の無線デバイス。
（項目５５）
前記第１の論理チャネルが、前記１つ以上の送信持続時間の間、１つの論理チャネル優先度を有する、項目４９〜５４のいずれかに記載の無線デバイス。
（項目５６）
前記複数の論理チャネルが、送信持続時間への論理チャネルマッピングに基づいてグループ化されている、項目４９〜５５のいずれかに記載の無線デバイス。
（項目５７）
前記構成パラメータが、前記第１の論理チャネルに対する第１の論理チャネル識別子を含む、項目４９〜５６のいずれかに記載の方法。
（項目５８）
前記命令が、前記１つ以上のプロセッサによって実行されたときに、前記無線デバイスに、前記バッファステータスレポートを送信することに応答してアップリンクグラントを受信することをさらに行わせる、項目４９〜５７のいずれかに記載の無線デバイス。
（項目５９）
方法であって、
無線デバイスによって、構成パラメータを受信することであって、前記構成パラメータが、
１つ以上の論理チャネルの第１のパラメータであって、前記１つ以上の論理チャネルの各論理チャネルが、複数の送信持続時間のうちの対応する１つ以上の第１の送信持続時間にマッピングされていることを示す、第１のパラメータと、
バッファステータスレポートタイマに対する第１の値を示す第２のパラメータと、を含む、受信することと、
前記第１の値を有する前記バッファステータスレポートタイマを開始させることであって、
前記複数の送信持続時間内の第２の送信持続時間と関連付けられた少なくとも１つのアップリンクグラントを受信することと、
前記第２の送信持続時間にマッピングされている前記１つ以上の論理チャネルのうちの、データを有する少なくとも１つの論理チャネルと、に応答して、開始させることと、
前記バッファステータスレポートタイマ満了に応答して、バッファステータスレポートを送信することと、を含む、方法。
（項目６０）
前記バッファステータスレポートタイマを実行し続けることであって、
前記第２の送信持続時間と関連付けられた少なくとも１つのアップリンクグラントを受信することと、
前記１つ以上の論理チャネル内の、データを有する前記少なくとも１つの論理チャネルのいずれも、前記第２の送信持続時間にマッピングされていないことと、に応答して、実行し続けること、をさらに含む、項目５９に記載の方法。
（項目６１）
前記構成パラメータが、時間窓を示し、前記少なくとも１つのアップリンクグラントが、前記時間窓内に受信される、項目５９または６０に記載の方法。
（項目６２）
前記バッファステータスレポートが、前記１つ以上の論理チャネルの少なくともバッファステータスを示す、項目５９〜６１のいずれかに記載の方法。
（項目６３）
前記無線デバイスが、前記少なくとも１つのアップリンクグラントのうちの少なくとも１つに基づいて、前記バッファステータスレポートを送信する、項目５９〜６２のいずれかに記載の方法。
（項目６４）
バッファステータスレポート媒体アクセス制御（ＭＡＣ）制御要素を生成するように、多重化およびアセンブリプロシージャを命令することに応答して、前記第１のバッファステータスレポートタイマを前記第１の値で開始させることをさらに含む、項目５９〜６３のいずれかに記載の方法。
（項目６５）
前記バッファステータスレポートが、短いフォーマット、切り捨てフォーマット、または長いフォーマットのうちの１つを有する、項目５９〜６４のいずれかに記載の方法。
（項目６６）
前記バッファステータスレポートが、前記１つ以上の論理チャネルのうちの１つ以上の第２の論理チャネルのバッファステータスを示す、項目５９〜６５のいずれかに記載の方法。
（項目６７）
前記第１のパラメータが、前記１つ以上の論理チャネルの各々に対する、対応する論理チャネル識別子を含む、項目５９〜６６のいずれかに記載の方法。
（項目６８）
前記バッファステータスレポートを送信することに応答してアップリンクグラントを受信することをさらに含む、項目５９〜６７のいずれかに記載の方法。
（項目６９）
無線デバイスであって、
１つ以上のプロセッサと、
命令を格納するメモリであって、前記命令は、前記１つ以上のプロセッサによって実行されたときに、前記無線デバイスに、
構成パラメータを受信することであって、前記構成パラメータが、
１つ以上の論理チャネルの第１のパラメータであって、前記１つ以上の論理チャネルの各論理チャネルが、複数の送信持続時間のうちの対応する１つ以上の第１の送信持続時間にマッピングされていることを示す、第１のパラメータと、
バッファステータスレポートタイマに対する第１の値を示す第２のパラメータと、を含む、受信することと、
前記第１の値を有する前記バッファステータスレポートタイマを開始させることであって、
前記複数の送信持続時間内の第２の送信持続時間と関連付けられた少なくとも１つのアップリンクグラントを受信することと、
前記１つ以上の論理チャネルのうちの、データを有する少なくとも１つの論理チャネルが、前記第２の送信持続時間にマッピングされていることと、に応答して、開始させることと、
前記バッファステータスレポートタイマ満了に応答して、バッファステータスレポートを送信することと、を行わせる、メモリと、を備える、無線デバイス。
（項目７０）
前記命令が、前記１つ以上のプロセッサによって実行されたときに、前記無線デバイスに、前記バッファステータスレポートタイマを実行し続けることを行わせることであって、
前記送信持続時間と関連付けられた少なくとも１つのアップリンクグラントを受信することと、
前記１つ以上の論理チャネル内の、データを有する前記少なくとも１つの論理チャネルのいずれも、前記第２の送信持続時間にマッピングされていないことと、に応答して、行わせること、をさらに含む、項目６９に記載の方法。
（項目７１）
前記構成パラメータが、時間窓を示し、前記少なくとも１つのアップリンクグラントが、前記時間窓内に受信される、項目６９または７０に記載の無線デバイス。
（項目７２）
前記バッファステータスレポートが、前記１つ以上の論理チャネルの少なくともバッファステータスを示す、項目６９〜７１のいずれかに記載の無線デバイス。
（項目７３）
前記無線デバイスが、前記少なくとも１つのアップリンクグラントのうちの少なくとも１つに基づいて、前記バッファステータスレポートを送信する、項目６９〜７２のいずれかに記載の無線デバイス。
（項目７４）
前記命令が、前記１つ以上のプロセッサによって実行されたときに、バッファステータスレポート媒体アクセス制御（ＭＡＣ）制御要素を生成するように、多重化およびアセンブリプロシージャを命令することに応答して、前記無線デバイスに、前記第１の値を有する前記第１のバッファステータスレポートタイマを開始させることをさらに行わせる、項目６９〜７３のいずれかに記載の無線デバイス。
（項目７５）
前記バッファステータスレポートが、短いフォーマット、切り捨てフォーマット、または長いフォーマットのうちの１つを有する、項目６９〜７４のいずれかに記載の無線デバイス。
（項目７６）
前記バッファステータスレポートが、前記１つ以上の論理チャネルのうちの１つ以上の第２の論理チャネルのバッファステータスを示す、項目６９〜７５のいずれかに記載の無線デバイス。
（項目７７）
前記第１のパラメータが、前記１つ以上の論理チャネルの各々に対する、対応する論理チャネル識別子を含む、項目６９〜７７のいずれかに記載の無線デバイス。
（項目７８）
前記命令が、前記１つ以上のプロセッサによって実行されたときに、前記無線デバイスに、前記バッファステータスレポートを送信することに応答して、アップリンクグラントを受信することを行わせるように、前記無線デバイスに、さらに行わせる、項目６９〜７８のいずれかに記載の無線デバイス。
【図面の簡単な説明】
【０００３】
【図１】本開示の実施形態の態様に基づく、例示的ＲＡＮアーキテクチャの略図である。
【図２Ａ】本開示の実施形態の態様に基づく、例示的ユーザプレーンプロトコルスタックの略図である。
【図２Ｂ】本開示の実施形態の態様に基づく、例示的制御ユーザプレーンプロトコルスタックの略図である。
【図３】本開示の実施形態の態様に基づく、例示的無線デバイスおよび２つの基地局の略図である。
【図４Ａ】本開示の実施形態の態様に基づく、アップリンクおよびダウンリンク信号送信の場合の例示的略図である。
【図４Ｂ】本開示の実施形態の態様に基づく、アップリンクおよびダウンリンク信号送信の場合の例示的略図である。
【図４Ｃ】本開示の実施形態の態様に基づく、アップリンクおよびダウンリンク信号送信の場合の例示的略図である。
【図４Ｄ】本開示の実施形態の態様に基づく、アップリンクおよびダウンリンク信号送信の場合の例示的略図である。
【図５Ａ】本開示の実施形態の態様に基づく、例示的アップリンクチャネルマッピング、および例示的アップリンク物理信号の略図である。
【図５Ｂ】本開示の実施形態の態様に基づく、例示的ダウンリンクチャネルマッピング、および例示的ダウンリンク物理信号の略図である。
【図６】本開示の実施形態の態様に基づく、例示的フレーム構造を描いている略図である。
【図７Ａ】本開示の実施形態の態様に基づく、例示的ＯＦＤＭサブキャリアセットを描いている略図である。
【図７Ｂ】本開示の実施形態の態様に基づく、例示的ＯＦＤＭサブキャリアセットを描いている略図である。
【図８】本開示の実施形態の態様に基づく、例示的ＯＦＤＭ無線リソースを描いている略図である。
【図９】本開示の実施形態の態様に基づく、構成されたＢＷＰの例示的略図である。
【図１０Ａ】本開示の実施形態の態様に基づく、例示的マルチ接続の略図である。
【図１０Ｂ】本開示の実施形態の態様に基づく、例示的マルチ接続の略図である。
【図１１】本開示の実施形態の態様に基づく、例示的ランダムアクセスプロシージャの略図である。
【図１２】本開示の実施形態の態様に基づく、例示的ＭＡＣエンティティの構造を示す図である。
【図１３】本開示の実施形態の態様に基づく、例示的ＲＡＮアーキテクチャの略図である。
【図１４】本開示の実施形態の態様に基づく、例示的ＲＲＣ状態の略図である。
【図１５】本開示の実施形態の態様に基づく、例示的スケジューリングプロシージャの略図である。
【図１６】本開示の実施形態の態様に基づく、例示的論理チャネルマッピングの略図である。
【図１７Ａ】本開示の実施形態の態様に基づく、例示的ＢＳＲトリガの略図である。
【図１７Ｂ】本開示の実施形態の態様に基づく、例示的ＢＳＲトリガの略図である。
【図１８】本開示の実施形態の態様に基づく、例示的論理チャネルのグループ化およびマッピングの略図である。
【図１９】本開示の実施形態の態様に基づく、例示的バッファステータスレポートフォーマットの略図である。
【図２０】本開示の実施形態の態様に基づく、例示的バッファステータスレポートフォーマットおよびプロセスの略図である。
【図２１】本開示の実施形態の態様に基づく、例示的バッファステータスレポートフォーマットおよびプロセスの略図である。
【図２２】本開示の実施形態の態様に基づく、例示的バッファステータスレポートフォーマットおよびプロセスの略図である。
【図２３】本開示の実施形態の態様に基づく、例示的バッファステータスレポートトリガの略図である。
【図２４】本開示の実施形態の態様に基づく、例示的流れ図である。
【図２５】本開示の実施形態の態様に基づく、例示的流れ図である。
【図２６】本開示の実施形態の態様に基づく、例示的流れ図である。
【図２７】本開示の実施形態の態様に基づく、例示的流れ図である。
【図２８】本開示の実施形態の態様に基づく、例示的流れ図である。
【図２９】本開示の実施形態の態様に基づく、例示的流れ図である。
【発明を実施するための形態】
【０００４】
本開示の例示的実施形態により、バッファステータスレポーティングの動作が可能になる。ここに開示する技術の複数の実施形態を、マルチキャリア通信システムの技術分野において用いることが可能である。
【０００５】
本開示を通じ、以下の略称が使用される。
【表１−１】
0006881722.tif 000002
【表１−２】
0006881722.tif 000003
【表１−３】
0006881722.tif 000004
【０００６】
本開示の例示的実施形態は、様々な物理層変調および送信メカニズムを使用して実施され得る。例示的送信メカニズムとしては、以下に限定されないが、符号分割多元接続（ＣＤＭＡ）、直交周波数分割多元接続（ＯＦＤＭＡ）、時分割多元接続（ＴＤＭＡ）、ウェーブレット技術、および／または同様のものが挙げられ得る。また、ＴＤＭＡ／ＣＤＭＡ、およびＯＦＤＭ／ＣＤＭＡなどのハイブリッド送信メカニズムも用いられ得る。様々な変調方式が、物理層内の信号伝送に適用され得る。変調方式の例としては、以下に限定されないが、位相、振幅、符号、これらの組み合わせ、および／または同様のものが挙げられる。例示的無線伝送方法は、２相位相変調（ＢＰＳＫ）を用いた直交振幅変調（ＱＡＭ）、４相位相変調（ＱＰＳＫ）、１６−ＱＡＭ、６４−ＱＡＭ、２５６−ＱＡＭ、および／または同様のものを実施することができる。物理的な無線伝送は、伝送要件および無線条件に応じて、変調および符号化方式を動的または準動的に変化させることによって、向上させることができる。
【０００７】
図１は、本開示の実施形態の態様に基づく、例示的無線アクセスネットワーク（ＲＡＮ）アーキテクチャである。この例に例示されているように、ＲＡＮノードは、次世代ノードＢ（ｇＮＢ）（例えば１２０Ａ、１２０Ｂ）であり得、第１の無線デバイス（例えば１１０Ａ）に向かう新無線（ＮＲ）ユーザプレーンおよび制御プレーンプロトコル終端を提供することができる。一例においては、ＲＡＮノードは、次世代進化型ノードＢ（ｎｇ−ｅＮＢ）（例えば、１２４Ａ、１２４Ｂ）であってもよく、第２の無線デバイス（例えば、１１０Ｂ）に向かう進化型ＵＭＴＳ地上無線アクセス（Ｅ−ＵＴＲＡ）ユーザプレーンおよび制御プレーンプロトコル終端を提供することができる。第１の無線デバイスは、Ｕｕインターフェースを介してｇＮＢと通信することができる。第２の無線デバイスは、Ｕｕインターフェースを介してｎｇ−ｅＮＢと通信することができる。この開示では、無線デバイス１１０Ａおよび１１０Ｂは、構造的上、無線デバイス１１０と同様である。基地局１２０Ａおよび／または１２０Ｂは、構造上、基地局１２０と同様とすることができる。基地局１２０は、ｇＮＢ（例えば１２２Ａおよび／または１２２Ｂ）、ｎｇ−ｅＮＢ（例えば１２４Ａおよび／または１２４Ｂ）、および／または同様のもののうちの少なくとも１つを含むことができる。
【０００８】
ｇＮＢまたはｎｇ−ｅＮＢは、無線リソース管理およびスケジューリング、ＩＰヘッダ圧縮、データの暗号化および保全性保護、ユーザ機器（ＵＥ）アタッチメントにおけるアクセスおよびモビリティ管理機能（ＡＭＦ）の選択、ユーザプレーンおよび制御プレーンデータのルーティング、接続設定および解放、（ＡＭＦから生み出された）ページングメッセージのスケジューリングおよび送信、（ＡＭＦまたは運用およびメンテナンス（Ｏ＆Ｍ）から生み出された）システムブロードキャスト情報のスケジューリングおよび送信、測定および測定レポート構成、アップリンク内のトランスポートレベルパケットマーキング、セッション管理、ネットワークスライシングのサポート、サービス品質（ＱｏＳ）フロー管理、およびデータ無線ベアラへのマッピング、ＲＲＣ＿ＩＮＡＣＴＩＶＥ状態にあるＵＥのサポート、非アクセス層（ＮＡＳ）メッセージのための分散機能、ＲＡＮ共有、およびデュアル接続、またはＮＲとＥ−ＵＴＲＡとの間の緊密なインターワーキングなどの機能をホストとして提供することができる。
【０００９】
一例においては、１つ以上のｇＮＢおよび／または１つ以上のｎｇ−ｅＮＢは、Ｘｎインターフェースによって互いに相互接続され得る。ｇＮＢまたはｎｇ−ｅＮＢは、ＮＧインターフェースによって、５Ｇコアネットワーク（５ＧＣ）に接続され得る。一例においては、５ＧＣは、１つ以上のＡＭＦ／ユーザ計画機能（ＵＰＦ）機能（例えば、１３０Ａまたは１３０Ｂ）を含み得る。ｇＮＢまたはｎｇ−ｅＮＢは、ＮＧ−ユーザプレーン（ＮＧ−Ｕ）インターフェースによってＵＰＦに接続され得る。ＮＧ−Ｕインターフェースは、ＲＡＮノードとＵＰＦとの間にユーザプレーンプロトコルデータユニット（ＰＤＵ）の配信（例えば、非保証配信）を提供することができる。ｇＮＢまたはｎｇ−ｅＮＢは、ＮＧ−制御プレーン（ＮＧ−Ｃ）インターフェースによってＡＭＦに接続され得る。ＮＧ−Ｃインターフェースは、ＮＧインターフェース管理、ＵＥコンテキスト管理、ＵＥモビリティ管理、ＮＡＳメッセージのトランスポート、ページング、ＰＤＵセッション管理、構成転送、または警告メッセージ送信などの機能を提供することができる。
【００１０】
一例においては、ＵＰＦは、イントラ／インター無線アクセス技術（ＲＡＴ）モビリティ（適用可能な場合）のためのアンカーポイント、データネットワークとの相互接続の外部ＰＤＵセッションポイント、パケットルーティングおよびフォワーディング、ポリシールール強制のパケット検査およびユーザプレーン部分、トラフィック使用レポート、データネットワークへのトラフィックフローのルーティングをサポートするためのアップリンク分類子、マルチホームＰＤＵセッションをサポートするための分岐ポイント、ユーザプレーンのためのＱｏＳ処理、例えばパケットフィルタリング、ゲーティング、アップリンク（ＵＬ）／ダウンリンク（ＤＬ）レート強制、アップリンクトラフィック検証（例えば、ＱｏＳフローマッピングへのサービスデータフロー（ＳＤＦ））、ダウンリンクパケットバッファリング、および／またはダウンリンクデータ通知トリガリングなどの機能をホストとして提供することができる。
【００１１】
一例においては、ＡＭＦは、ＮＡＳシグナリング終端、ＮＡＳシグナリングセキュリティ、アクセス層（ＡＳ）セキュリティ制御、第３世代パートナーシッププロジェクト（３ＧＰＰ）アクセスネットワーク間のモビリティのためのインターコアネットワーク（ＣＮ）ノードシグナリング、アイドルモードＵＥ到達可能性（例えば、ページング再送信の制御および実行）、登録エリア管理、システム内およびシステム間のモビリティのサポート、アクセス認証、ローミング権のチェックを含むアクセス認定、モビリティ管理制御（加入およびポリシー）、ネットワークスライシングのサポート、および／またはセッション管理機能（ＳＭＦ）選択などの機能をホストとして提供することができる。
【００１２】
図２Ａは、例示的ユーザプレーンプロトコルスタックであり、ここでは、サービスデータ適応プロトコル（ＳＤＡＰ）（例えば、２１１および２２１）、パケットデータコンバージェンスプロトコル（ＰＤＣＰ）（例えば、２１２および２２２）、無線リンク制御（ＲＬＣ）（例えば、２１３および２２３）ならびに媒体アクセス制御（ＭＡＣ）（例えば、２１４および２２４）サブレイヤ、ならびに物理（ＰＨＹ）（例えば、２１５および２２５）層は、ネットワーク側の無線デバイス（例えば、１１０）およびｇＮＢ（例えば１２０）で終端されてもよい。一例においては、ＰＨＹ層は、トランスポートサービスをより上位層（例えば、ＭＡＣ、ＲＲＣ等）に提供する。一例においては、ＭＡＣサブレイヤのサービスおよび機能は、論理チャネルとトランスポートチャネルとの間のマッピング、ＰＨＹ層へ／から送達されるトランスポートブロック（ＴＢ）へ／からの、１つまたは異なる論理チャネルに属するＭＡＣサービスデータユニット（ＳＤＵ）の多重化／分割化、スケジューリング情報レポート、ハイブリッド自動反復要求（ＨＡＲＱ）（例えば、キャリアアグリゲーション（ＣＡ）の場合は、キャリア当たり１つのＨＡＲＱエンティティ）を介する誤り訂正、動的スケジューリングによるＵＥ間の優先度処理、論理チャネル優先度付けによる１つのＵＥの論理チャネル間の優先度処理、および／またはパディングを含んでもよい。ＭＡＣエンティティは、１つもしくは複数の数秘術、および／または送信タイミングをサポートすることができる。一例においては、論理チャネル優先度付けにおけるマッピング制限により、論理チャネルがどの数霊術および／または送信タイミングを使用することができるかを制御することができる。一例においては、ＲＬＣサブレイヤは、トランスペアレントモード（ＴＭ）、非肯定モード（ＵＭ）、および肯定モード（ＡＭ）送信モードをサポートすることができる。このＲＬＣ構成は、数秘術および／または送信時間間隔（ＴＴＩ）持続時間に依存せずに論理チャネル毎にあり得る。一例においては、自動反復要求（ＡＲＱ）は、論理チャネルが構成されているいずれの数秘術および／またはＴＴＩ持続時間に関して動作することができる。一例においては、ユーザプレーンのためのＰＤＣＰ層のサービスおよび機能は、シーケンスナンバリング、ヘッダ圧縮および解凍、ユーザデータの転送、リオーダリングおよび重複検出、ＰＤＣＰ  ＰＤＵルーティング（例えば、分割ベアラの場合）、ＰＤＣＰ  ＳＤＵの再送信、暗号化、暗号解読および完全性保護、ＰＤＣＰ  ＳＤＵ破棄、ＲＬＣ  ＡＭのためのＰＤＣＰ再確立およびデータ回復、ならびに／またはＰＤＣＰ  ＰＤＵの複製を含んでもよい。一例においては、ＳＤＡＰのサービスおよび機能は、ＱｏＳフローとデータ無線ベアラとの間のマッピングを含んでもよい。一例においては、ＳＤＡＰのサービスおよび機能は、ＤＬパケットおよびＵＬパケットにおけるサービス品質インジケータ（ＱＦＩ）をマッピングすることを含んでもよい。一例においては、ＳＤＡＰのプロトコルエンティティは、個々のＰＤＵセッションのために構成されてもよい。
【００１３】
図２Ｂは、例示的制御プレーンプロトコルスタックであり、ここで、ＰＤＣＰ（例えば、２３３および２４２）、ＲＬＣ（例えば、２３４および２４３）、およびＭＡＣ（例えば、２３５および２４４）サブレイヤ、ならびにＰＨＹ（例えば、２３６および２４５）層は、ネットワーク側の無線デバイス（例えば、１１０）およびｇＮＢ（例えば、１２０）で終端され得、上述のサービスおよび機能を実行することができる。一例においては、ＲＲＣ（例えば、２３２および２４１）は、無線デバイス、およびネットワーク側のｇＮＢで終端されてもよい。一例においては、ＲＲＣのサービスおよび機能は、ＡＳおよびＮＡＳに関するシステム情報のブロードキャスト、５ＧＣまたはＲＡＮにより起動されるページング、ＵＥとＲＡＮとの間のＲＲＣ接続の確立、維持、および解放、シグナリング無線ベアラ（ＳＲＢ）およびデータ無線ベアラ（ＤＲＢ）のキー管理、確立、構成、メンテナンスおよび解放を含むセキュリティ機能、モビリティ機能、ＱｏＳ管理機能、ＵＥ測定レポートおよびそのレポートの制御、無線リンク障害の検出およびそこからの回復、ならびに／または、ＵＥからの／へのＮＡＳへ／からのＮＡＳメッセージ転送を含んでもよい。一例においては、ＮＡＳ制御プロトコル（例えば、２３１および２５１）は、無線デバイス、およびネットワーク側のＡＭＦ（例えば、１３０）で終端されてもよく、ＵＥと、３ＧＰＰアクセスおよび非３ＧＰＰアクセスのためのＡＭＦとの間のモビリティ管理、ならびにＵＥと、３ＧＰＰアクセスおよび非３ＧＰＰアクセスのＳＭＦとの間のセッション管理などの機能を実行してもよい。
【００１４】
一例においては、基地局は、無線デバイスのための複数の論理チャネルを構成し得る。複数の論理チャネル内の論理チャネルは、無線ベアラに対応し得、無線ベアラは、ＱｏＳ要件と関連付けられ得る。一例においては、基地局は、複数のＴＴＩ／数秘術中の１つ以上のＴＴＩ／数秘術にマッピングされている論理チャネルを構成してもよい。無線デバイスは、アップリンクグラントを示す物理ダウンリンク制御チャネル（ＰＤＣＣＨ）を介してダウンリンク制御情報（ＤＣＩ）を受信することができる。一例においては、アップリンクグラントは、第１のＴＴＩ／数秘術のためにあり得、トランスポートブロックの送信のためのアップリンクリソースを示してもよい。基地局は、無線デバイスのＭＡＣ層で論理チャネル優先度付けプロシージャによって使用される１つ以上のパラメータを有する複数の論理チャネルにそれぞれの論理チャネルを構成することができる。その１つ以上のパラメータは、優先度、優先されたビットレート等を含むことができる。複数の論理チャネル内の各論理チャネルは、その論理チャネルに関連付けられたデータを含む１つ以上のバッファに対応し得る。論理チャネル優先度付けプロシージャは、複数の論理チャネル、および／または１つ以上のＭＡＣ制御エレメント（ＣＥ）内の１つ以上の第１の論理チャネルにアップリンクリソースを割り当てることができる。この１つ以上の第１の論理チャネルは、第１のＴＴＩ／数秘術にマッピングされることができる。無線デバイスでのＭＡＣ層は、ＭＡＣ  ＰＤＵ（例えば、トランスポートブロック）内で、１つ以上のＭＡＣ  ＣＥ、および／または１つ以上のＭＡＣ  ＳＤＵ（例えば、論理チャネル）を多重化することができる。一例においては、ＭＡＣ  ＰＤＵは、複数のＭＡＣサブヘッダを含むＭＡＣヘッダを含んでもよい。複数のＭＡＣサブヘッダ内のＭＡＣサブヘッダは、１つ以上のＭＡＣ  ＣＥ、および／または１つ以上のＭＡＣ  ＳＤＵ内のＭＡＣ  ＣＥまたはＭＡＣ  ＳＵＤ（論理チャネル）に対応し得る。一例においては、ＭＡＣ  ＣＥまたは論理チャネルは、論理チャネル識別子（ＬＣＩＤ）を使用して構成することができる。一例においては、論理チャネルまたはＭＡＣ  ＣＥのためのＬＣＩＤは、固定／事前構成されてもよい。一例においては、論理チャネルまたはＭＡＣ  ＣＥのためのＬＣＩＤは、基地局により無線デバイスのために構成されてもよい。ＭＡＣ  ＣＥまたはＭＡＣ  ＳＤＵに対応するＭＡＣサブヘッダは、ＭＡＣ  ＣＥまたはＭＡＣ  ＳＤＵと関連付けられたＬＣＩＤを含み得る。
【００１５】
一例においては、基地局は、１つ以上のＭＡＣコマンドを使用することによって、無線デバイスにおける１つ以上のプロセスを作動および／もしくは停止させ、ならびに／または影響を与えることができる（例えば、１つ以上のプロセスのうちの１つ以上のパラメータの設定値が、１つ以上のプロセスのうちの１つ以上のタイマを開始および／または中止させる）。この１つ以上のＭＡＣコマンドは、１つ以上のＭＡＣ制御エレメントを含むことができる。一例においては、１つ以上のプロセスは、１つ以上の無線ベアラのためのＰＤＣＰパケット複製の作動および／または停止を含んでもよい。基地局は、１つ以上のフィールドを含むＭＡＣ  ＣＥ、１つ以上の無線ベアラのためのＰＤＣＰ複製の作動および／または停止を示すフィールドの値を送信することができる。一例においては、１つ以上のプロセスは、１つ以上のセル上のチャネル状態情報（ＣＳＩ）送信を含んでもよい。基地局は、１つ以上のセル上のＣＳＩ送信の作動および／または停止を示す１つ以上のＭＡＣ  ＣＥを送信することができる。一例においては、１つ以上のプロセスは、１つ以上のセカンダリセルの作動または停止を含んでもよい。一例においては、基地局は、１つ以上のセカンダリセルの作動または停止を示すＭＡ  ＣＥを送信してもよい。一例においては、基地局は、無線デバイスにおける１つ以上の間欠受信（ＤＲＸ）タイマの開始および／または中止を示す１つ以上のＭＡＣ  ＣＥを送信してもよい。一例においては、基地局は、１つ以上のタイミングアドバンスグループ（ＴＡＧ）のための１つ以上のタイミングアドバンス値を示す１つ以上のＭＡＣ  ＣＥを送信してもよい。
【００１６】
図３は、基地局（基地局１、１２０Ａ、および基地局２、１２０Ｂ）および無線デバイス１１０のブロック図である。無線デバイスは、ＵＥと呼ばれることがある。基地局は、ＮＢ、ｅＮＢ、ｇＮＢ、および／またはｎｇ−ｅＮＢと呼ばれることがある。一例においては、無線デバイスおよび／または基地局は、中継ノードとしての役割を果たすことができる。基地局１、１２０Ａは、少なくとも１つの通信インターフェース３２０Ａ（例えば、無線モデム、アンテナ、有線モデム、および／または同様のもの）、少なくとも１つのプロセッサ３２１Ａ、ならびに、非一過性メモリ３２２Ａ内に格納され、かつ少なくとも１つのプロセッサ３２１Ａにより実行可能なプログラムコード命令３２３Ａの少なくとも１つのセットを含むことができる。基地局２、１２０Ｂは、少なくとも１つの通信インターフェース３２０Ｂ、少なくとも１つのプロセッサ３２１Ｂ、ならびに、非一過性メモリ３２２Ｂ内に格納され、かつ少なくとも１つのプロセッサ３２１Ｂにより実行可能なプログラムコード命令３２３Ｂの少なくとも１つのセットを含むことができる。
【００１７】
基地局は、多数のセクタ、例えば、１、２、３、４、または６つのセクタを含むことができる。基地局は、例えば、１〜５０以上の範囲の多数のセルを含むことができる。セルが、例えば、プライマリセルまたはセカンダリセルとしてカテゴリ化されてもよい。無線リソース制御（ＲＲＣ）接続確立／再確立／ハンドオーバにおいて、１つのサービングセルは、ＮＡＳ（非アクセス層）モビリティ情報（例えば、追跡エリア識別子（ＴＡＩ））を提供することができる。ＲＲＣ接続再確立／ハンドオーバにおいて、１つのサービングセルは、セキュリティ入力を提供することができる。このセルは、プライマリセル（ＰＣｅｌｌ）と呼ばれることがある。ダウンリンクでは、ＰＣｅｌｌに対応するキャリアは、ＤＬプライマリコンポーネントキャリア（ＰＣＣ）であり得、これに対して、アップリンクでは、キャリアは、ＵＬ  ＰＣＣであり得る。無線デバイス能力に応じて、セカンダリセル（ＳＣｅｌｌ）は、ＰＣｅｌｌと一緒にサービングセルのセットを形成するように構成され得る。ダウンリンクでは、ＳＣｅｌｌに対応するキャリアは、ダウンリンクセカンダリコンポーネントキャリア（ＤＬ  ＳＣＣ）であり得、これに対して、アップリンクでは、キャリアは、アップリンクセカンダリコンポーネントキャリア（ＵＬ  ＳＣＣ）であり得る。ＳＣｅｌｌは、アップリンクキャリアを有しても有していなくてもよい。
【００１８】
ダウンリンクキャリア、および任意にアップリンクキャリアを含むセルは、物理セルＩＤおよびセルインデックスが割り当てられ得る。キャリア（ダウンリンクまたはアップリンク）は、１つのセルに属し得る。セルＩＤまたはセルインデックスはまた、セルのダウンリンクキャリアまたはアップリンクキャリアを識別することもできる（その状況に応じて、それは、使用される）。本開示では、セルＩＤは、同様に、キャリアＩＤに照会され得、セルインデックスは、キャリアインデックスに照会され得る。一実施形態では、物理セルＩＤまたはセルインデックスは、セルに割り当てられ得る。セルＩＤは、ダウンリンクキャリア上に送信される同期信号を使用して判定され得る。セルインデックスは、ＲＲＣメッセージを使用して判定され得る。例えば、本開示が第１のダウンリンクキャリアに対する第１の物理セルＩＤに言及する場合、本開示は、第１の物理セルＩＤが、第１のダウンリンクキャリアを含むセルに対するものであることを意味し得る。同じ概念は、例えば、キャリア作動に当てはまり得る。本開示が第１のキャリアが作動されることを示す場合、本明細書は、第１のキャリアを含むセルが作動されることを同様に意味し得る。
【００１９】
基地局は、１つ以上のセルに対する複数の構成パラメータを含む１つ以上のメッセージ（例えば、ＲＲＣメッセージ）を無線デバイスに送信することができる。１つ以上のセルは、少なくとも１つのプライマリセル、および少なくとも１つのセカンダリセルを含むことができる。一例においては、ＲＲＣメッセージは、無線デバイスにブロードキャストまたはユニキャストされ得る。一例においては、構成パラメータは、共通パラメータおよび専用パラメータを含むことができる。
【００２０】
ＲＲＣサブレイヤのサービスおよび／もしくは機能は、ＡＳおよびＮＡＳに関するシステム情報のブロードキャスト、５ＧＣおよび／もしくはＮＧ−ＲＡＮにより開始されたページング、無線デバイスとＮＧ−ＲＡＮとの間のＲＲＣ接続の確立、維持、および／もしくは解放であってそれらがキャリアアグリゲーションの追加、修正、および解放のうちの少なくとも１つを含み得るもの、または、ＮＲ内、もしくはＥ−ＵＴＲＡとＮＲとの間のデュアル接続の解放、のうちの少なくとも１つを含むことができる。ＲＲＣサブレイヤのサービスおよび／または機能は、キー管理を含むセキュリティ機能のうちの少なくとも１つ、シグナリング無線ベアラ（ＳＲＢ）および／もしくはデータ無線ベアラ（ＤＲＢ）の確立、構成、維持、および／もしくは解放、ハンドオーバ（例えば、ＮＲモビリティ内またはＲＡＴ間モビリティ）およびコンテキスト転送のうちの少なくとも１つを含み得るモビリティ機能、または、無線デバイスセル選択および再選択、ならびにセル選択および再選択の制御をさらに含むことができる。ＲＲＣサブレイヤのサービスおよび／または機能は、ＱｏＳ管理機能、無線デバイス測定構成／レポート、無線リンク障害の検出および／もしくはそこからの回復、または、無線デバイスから／へのコアネットワークエンティティ（例えば、ＡＭＦ、モビリティ管理エンティティ（ＭＭＥ））へ／からのＮＡＳメッセージ転送、のうちの少なくとも１つをさらに含むことができる。
【００２１】
ＲＲＣサブレイヤは、無線デバイスに対してＲＲＣ＿Ｉｄｌｅ状態、ＲＲＣ＿Ｉｎａｃｔｉｖｅ状態、および／またはＲＲＣ＿Ｃｏｎｎｅｃｔｅｄ状態をサポートすることができる。ＲＲＣ＿Ｉｄｌｅ状態では、無線デバイスは、パブリックランドモバイルネットワーク（ＰＬＭＮ）選択、ブロードキャストされたシステム情報の受信、セル選択／再選択、５ＧＣにより開始されたモバイル終端データに対するページングのモニタ／受信、５ＧＣにより管理されたモバイル終端データエリアに対するページング、またはＮＡＳを介して構成されたＣＮページングに対するＤＲＸ、のうちの少なくとも１つを実行することができる。ＲＲＣ＿Ｉｎａｃｔｉｖｅ状態では、無線デバイスは、ブロードキャストされたシステム情報の受信、セル選択／再選択、ＮＧ−ＲＡＮ／５ＧＣにより開始されたＲＡＮ／ＣＮページングのモニタ／受信、ＮＧ−ＲＡＮにより管理されたＲＡＮベース通知エリア（ＲＮＡ）、または、ＮＧ−ＲＡＮ／ＮＡＳにより構成されたＲＡＮ／ＣＮページングに対するＤＲＸ、のうちの少なくとも１つを実行することができる。無線デバイスのＲＲＣ＿Ｉｄｌｅ状態では、基地局（例えば、ＮＧ−ＲＡＮ）は、無線デバイスに対する５ＧＣ−ＮＧ−ＲＡＮ接続（Ｃ／Ｕ−プレーンの両方）を保持することができ、かつ／または無線デバイスに対するＵＥ  ＡＳコンテキストを保存することができる。無線デバイスのＲＲＣ＿Ｃｏｎｎｅｃｔｅｄ状態では、基地局（例えば、ＮＧ−ＲＡＮ）は、無線デバイスに対する５ＧＣ−ＮＧ−ＲＡＮ接続（Ｃ／Ｕ−プレーンの両方）の確立、無線デバイスに対するＵＥ  ＡＳコンテキストの保存、無線デバイスへの／からのユニキャストデータの送信／受信、または、無線デバイスから受信された測定結果に基づくネットワーク制御されたモビリティ、のうちの少なくとも１つを実行することができる。無線デバイスのＲＲＣ＿Ｃｏｎｎｅｃｔｅｄ状態では、ＮＧ−ＲＡＮは、無線デバイスが属するセルを知ることができる。
【００２２】
システム情報（ＳＩ）は、最小ＳＩおよび他のＳＩに分割され得る。最小ＳＩは、周期的にブロードキャストされ得る。最小ＳＩは、初期アクセスのために必要である基本情報、および任意の他のＳＩブロードキャストを周期的に取得するための情報、または要求に応じて準備された情報、すなわちスケジューリング情報を含むことができる。他のＳＩは、専用の方法でブロードキャストされるか、または準備され得、ネットワークによるか、または無線デバイスからの要求に基づき、トリガされ得る。最小ＳＩは、異なるメッセージ（例えば、マスタ情報ブロックおよびシステム情報ブロックタイプ１）を使用して２つの異なるダウンリンクチャネルを介して送信され得る。別のＳＩは、システム情報ブロックタイプ２を介して送信され得る。ＲＲＣ＿Ｃｏｎｎｅｃｔｅｄ状態にある無線デバイスの場合、専用ＲＲＣシグナリングは、他のＳＩの要求および送達の場合に使用され得る。ＲＲＣ＿Ｉｄｌｅ状態および／またはＲＲＣ＿Ｉｎａｃｔｉｖｅ状態にある無線デバイスの場合、要求は、ランダムアクセスプロシージャをトリガすることができる。
【００２３】
無線デバイスは、静的であり得る、その無線アクセス能力情報をレポートすることができる。基地局は、無線デバイスが帯域情報に基づいてレポートする能力がどれほどかについて要求することができる。ネットワークによって許可される場合、一時的な能力制限要求が無線デバイスによって送信され得、いくつかの能力の限定された利用（例えば、ハードウェアの共有、干渉、またはオーバーヒートによる）を基地局に送信することができる。基地局は、その要求を確認または拒否することができる。一時的な能力制限は、５ＧＣに対してトランスペアレントであり得る（例えば、静的能力は、５ＧＣにおいて保存され得る）。
【００２４】
ＣＡが構成されている場合、無線デバイスは、ネットワークとのＲＲＣ接続を有することができる。ＲＲＣ接続確立／再確立／ハンドオーバプロシージャでは、１つのサービングセルが、ＮＡＳモビリティ情報を提供し得、ＲＲＣ接続再確立／ハンドオーバでは、１つのサービングセルが、セキュリティ入力を提供し得る。このセルは、ＰＣｅｌｌと呼ばれることがある。無線デバイスの能力に応じて、ＳＣｅｌｌは、ＰＣｅｌｌと一緒にサービングセルのセットを形成するように構成され得る。無線デバイスのために構成されたサービングセルのセットは、１つのＰＣｅｌｌ、および１つ以上のＳＣｅｌｌを含むことができる。
【００２５】
ＳＣｅｌｌの再構成、追加、および削除は、ＲＲＣによって実行され得る。ＮＲ内ハンドオーバにおいて、ＲＲＣはまた、ターゲットＰＣｅｌｌとの使用のために、ＳＣｅｌｌを追加、削除、または再構成することもできる。新しいＳＣｅｌｌを追加する場合、専用ＲＲＣシグナリングを使用して、ＳＣｅｌｌのすべての必要なシステム情報を送信することができ、すなわち、接続モードにある間は、無線デバイスは、ブロードキャストされたシステム情報を、ＳＣｅｌｌから直接取得する必要がない場合がある。
【００２６】
ＲＲＣ接続再構成プロシージャの目的は、ＲＲＣ接続を変更すること、（例えば、ＲＢを確立、変更、および／または解放すること、ハンドオーバを実行すること、測定を設定、変更、および／または解放すること、ＳＣｅｌｌおよびセルグループを追加、変更、および／または解放すること）であり得る。ＲＲＣ接続再構成プロシージャの一部として、ＮＡＳ専用情報は、ネットワークから無線デバイスに転送され得る。ＲＲＣＣｏｎｎｅｃｔｉｏｎＲｅｃｏｎｆｉｇｕｒａｔｉｏｎメッセージは、ＲＲＣ接続を変更するためのコマンドであり得る。それは、任意の関連付けられた専用ＮＡＳ情報およびセキュリティ構成を含む測定構成、モビリティ制御、無線リソース構成（例えば、ＲＢ、ＭＡＣの主要な構成および物理チャネル構成）のための情報を伝達することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＲｅｌｅａｓｅＬｉｓｔを含む場合、無線デバイスは、ＳＣｅｌｌ解放を実行することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＡｄｄＭｏｄＬｉｓｔを含む場合、無線デバイスは、ＳＣｅｌｌ追加または変更を実行することができる。
【００２７】
ＲＲＣ接続確立（または再確立、再開）プロシージャとは、ＲＲＣ接続を確立（または再確立、再開）することであり得、ＲＲＣ接続確立プロシージャは、ＳＲＢ１確立を含むことができる。ＲＲＣ接続確立プロシージャを使用して、無線デバイスからＥ−ＵＴＲＡＮに初期ＮＡＳ専用情報／メッセージを転送することができる。ＲＲＣＣｏｎｎｅｃｔｉｏｎＲｅｅｓｔａｂｌｉｓｈｍｅｎｔメッセージを使用して、ＳＲＢ１を再確立することができる。
【００２８】
測定レポートプロシージャとは、無線デバイスからＮＧ−ＲＡＮに測定結果を転送することであり得る。無線デバイスは、正常なセキュリティ作動の後に測定レポートプロシージャを開始することができる。測定レポートメッセージを使用して、測定結果を送信することができる。
【００２９】
無線デバイス１１０は、少なくとも１つの通信インターフェース３１０（例えば、無線モデム、アンテナ、および／または同様のもの）、少なくとも１つのプロセッサ３１４、および、非一過性メモリ３１５内に格納され、かつ少なくとも１つのプロセッサ３１４により実行可能なプログラムコード命令３１６の少なくとも１つのセットを含むことができる。この無線デバイス１１０は、少なくとも１つのスピーカ／マイクロフホン３１１、少なくとも１つのキーパッド３１２、少なくとも１つのディスプレイ／タッチパッド３１３、少なくとも１つの電源３１７、少なくとも１つの全地球測位システム（ＧＰＳ）チップセット３１８、および他の周辺装置３１９、のうちの少なくとも１つをさらに含むことができる。
【００３０】
無線デバイス１１０のプロセッサ３１４、基地局１  １２０Ａのプロセッサ３２１Ａ、および／または基地局２  １２０Ｂのプロセッサ３２１Ｂは、汎用プロセッサ、デジタル信号プロセッサ（ＤＳＰ）、コントローラ、マイクロコントローラ、特定用途向け集積回路（ＡＳＩＣ）、フィールドプログラマブルゲートアレイ（ＦＰＧＡ）および／または他のプログラマブル論理デバイス、ディスクリートゲートおよび／またはトランジスタ論理回路、ディスクリートハードウェアコンポーネント、ならびに同様のもの、のうちの少なくとも１つを含むことができる。無線デバイス１１０のプロセッサ３１４、基地局１  １２０Ａ内のプロセッサ３２１Ａ、および／もしくは基地局２  １２０Ｂ内のプロセッサ３２１Ｂは、信号符号化／処理、データ処理、パワー制御、入力／出力処理、ならびに／または、無線デバイス１１０、基地局１  １２０Ａ、および／もしくは基地局２  １２０Ｂを無線環境で動作させることができる任意の他の機能性、のうちの少なくとも１つを実行することができる。
【００３１】
無線デバイス１１０のプロセッサ３１４は、スピーカ／マイクロフホン３１１、キーパッド３１２、および／またはディスプレイ／タッチパッド３１３に接続され得る。プロセッサ３１４は、ユーザからユーザ入力データを受信し、かつ／または、ユーザ出力データをスピーカ／マイクロフホン３１１、キーパッド３１２、および／またはディスプレイ／タッチパッド３１３に提供することができる。無線デバイス１１０内のプロセッサ３１４は、電源３１７からパワーを受け取ることができ、かつ／または無線デバイス１１０内の他のコンポーネントにそのパワーを分配するように構成され得る。電源３１７は、１つ以上の乾電池、太陽電池、燃料電池、および同様のもののうちの少なくとも１つを含むことができる。プロセッサ３１４は、ＧＰＳチップセット３１８に接続されてもよい。ＧＰＳチップセット３１８は、無線デバイス１１０の地理学的位置情報を提供するように構成されてもよい。
【００３２】
無線デバイス１１０のプロセッサ３１４は、他の周辺装置３１９にさらに接続されてもよく、その周辺装置は、追加の特徴および／または機能性を提供する１つ以上のソフトウェアおよび／またはハードウェアモジュールを含むことができる。例えば、周辺装置３１９は、加速度計、衛星送受信機、デジタルカメラ、ユニバーサルシリアルバス（ＵＳＢ）ポート、ハンズフリーヘッドセット、周波数変調（ＦＭ）無線ユニット、メディアプレイヤ、インターネットブラウザ、および同様のもの、のうちの少なくとも１つを含むことができる。
【００３３】
基地局１、１２０Ａの通信インターフェース３２０Ａ、および／または基地局２、１２０Ｂの通信インターフェース３２０Ｂは、それぞれ無線リンク３３０Ａおよび／または無線リンク３３０Ｂを介して無線デバイス１１０の通信インターフェース３１０と通信するように構成され得る。一例においては、基地局１、１２０Ａの通信インターフェース３２０Ａは、基地局２の通信インターフェース３２０Ｂ、ならびに他のＲＡＮおよびコアネットワークノードと通信してもよい。
【００３４】
無線リンク３３０Ａおよび／または無線リンク３３０Ｂは、双方向リンクおよび／または方向性リンクのうちの少なくとも１つを含むことができる。無線デバイス１１０の通信インターフェース３１０は、基地局１  １２０Ａの通信インターフェース３２０Ａと、および／または基地局２  １２０Ｂの通信インターフェース３２０Ｂと通信するように構成され得る。基地局１  １２０Ａおよび無線デバイス１１０、ならびに／または、基地局２  １２０Ｂおよび無線デバイス１１０は、それぞれ、無線リンク３３０Ａを介して、および／または無線リンク３３０Ｂを介して、トランスポートブロックを送信および受信するように構成され得る。無線リンク３３０Ａおよび／または無線リンク３３０Ｂは、少なくとも１つの周波数キャリアを使用することができる。実施形態のいくつかの様々な態様によれば、送受信機（複数可）が使用され得る。送受信機は、送信機および受信機の両方を含むデバイスであり得る。送受信機は、無線デバイス、基地局、中継ノード、および／または同等物等のデバイス内で使用されてもよい。通信インターフェース３１０、３２０Ａ、３２０Ｂ、および無線リンク３３０Ａ、３３０Ｂに実施されている無線技術の例示的実施形態が、図４Ａ、図４Ｂ、図４Ｃ、図４Ｄ、図６、図７Ａ、図７Ｂ、図８、および関連文に例示されている。
【００３５】
一例においては、無線ネットワーク内の他のノード（例えば、ＡＭＦ、ＵＰＦ、ＳＭＦ等）は、１つ以上の通信インターフェース、１つ以上のプロセッサ、および、命令を格納するメモリを含むことができる。
【００３６】
ノード（例えば、無線デバイス、基地局、ＡＭＦ、ＳＭＦ、ＵＰＦ、サーバ、スイッチ、アンテナ、および／またはその同様のもの）は、１つ以上のプロセッサ、ならびに、１つ以上のプロセッサにより実行されたときに、そのノードが特定のプロセスおよび／または機能を実行するのを可能にする命令を格納するメモリを含むことができる。例示的実施形態により、単一キャリアおよび／またはマルチキャリア通信の動作を可能にし得る。他の例示的実施形態は、単一キャリアおよび／またはマルチキャリア通信の動作を可能にする、１つ以上のプロセッサにより実行可能な命令を含む非一過性有形コンピュータ可読媒体を含むことができる。さらに他の例示的実施形態は、非一過性有形コンピュータ可読機械アクセス可能媒体を含む製品を含むことができ、その媒体は、上部に符号化された命令を有し、プログラム可能なハードウェアを可能にし、単一キャリアおよび／またはマルチキャリア通信を動作するノードを可能にすることができる。ノードは、プロセッサ、メモリ、インターフェース、および／または同様のものを含むことができる。
【００３７】
インターフェースは、ハードウェアインターフェース、ファームウェアインターフェース、ソフトウェアインターフェース、のうちの少なくとも１つ、および／またはこれらの組み合わせを含むことができる。ハードウェアインターフェースは、コネクタ、ワイヤ、ドライバなどの電子デバイス、増幅器、および／または同様のものを含むことができる。ソフトウェアインターフェースは、プロトコル（複数可）、プロトコル層、通信ドライバ、デバイスドライバ、それらの組み合わせ、および／または同様のものを実現するようにメモリデバイス内に格納されたコードを含むことができる。ファームウェアインターフェースは、組み込み型ハードウェアと、メモリデバイス内に格納され、かつ／またはそれと通信するコードとの組み合わせを含み、接続、電子デバイス動作、プロトコル（複数可）、プロトコル層、通信ドライバ、デバイスドライバ、ハードウェア動作、これらの組み合わせ、および／または同様のものを実現することができる。
【００３８】
図４Ａ、図４Ｂ、図４Ｃ、および図４Ｄは、本開示の実施形態の態様に基づく、アップリンクおよびダウンリンク信号送信の場合の例示的略図である。図４Ａは、少なくとも１つの物理チャネルの例示的アップリンク送信機を示す。物理アップリンク共有チャネルを代表するベースバンド信号は、１つ以上の機能を実行することができる。１つ以上の機能が、スクランブリング、複素数値シンボルを生成するためのスクランブルビットの変調、１つまたはいくつかの伝送層上への複素数値変調シンボルのマッピング、複素数値シンボルを生成するための変換プリコーディング、複素数値シンボルのプリコーディング、プリコーディングされた複素数値シンボルのリソースエレメントへのマッピング、複素数値時間領域単一キャリア周波数分割多元接続（ＳＣ−ＦＤＭＡ）またはＣＰ−ＯＦＤＭ信号のアンテナポートへの生成、および／または同様のもの、のうちの少なくとも１つを含むことができる。一例において、変換プリコーディングが可能である場合、アップリンク送信のためのＳＣ−ＦＤＭＡ信号が、生成され得る。一例において、変換プリコーディングが可能でない場合、アップリンク送信のためのＣＰ−ＯＦＤＭ信号が、図４Ａによって生成され得る。これらの機能は、例として示されており、他のメカニズムが、様々な実施形態で実現され得ることが予想される。
【００３９】
アンテナポートに対する複素数値ＳＣ−ＦＤＭＡまたはＣＰ−ＯＦＤＭベースバンド信号、および／または複素数値物理ランダムアクセスチャネル（ＰＲＡＣＨ）ベースバンド信号のキャリア周波数に対する変調およびアップコンバージョンの場合の例示的構造が、図４Ｂに示されている。フィルタリングは、送信前に用いられてもよい。
【００４０】
ダウンリンク送信のための例示的構造が、図４Ｃに示されている。ダウンリンク物理チャネルを代表するベースバンド信号は、１つ以上の機能を実行することができる。この１つ以上の機能は、物理チャネル上で送信されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上での送信するための各層上にある複素数値変調シンボルのプリコーディング、アンテナポートの複素数値変調シンボルのリソースエレメントへのマッピング、アンテナポート毎の複素数値時間領域ＯＦＤＭ信号の生成、および／または同様のものを含むことができる。これらの機能は、例として示されており、他のメカニズムが、様々な実施形態で実現され得ることが予想される。
【００４１】
一例において、ｇＮＢは、アンテナポート上の第１のシンボルおよび第２のシンボルを無線デバイスに送信することができる。この無線デバイスは、アンテナポート上の第１のシンボルを伝達するためのチャネルから、アンテナポート上の第２のシンボルを伝達するためのチャネル（例えば、フェージング利得、マルチパス遅延等）を推測することができる。一例において、第１のアンテナポートおよび第２のアンテナポートは、第１のアンテナポート上の第１のシンボルが伝達されるチャネルの１つ以上の大規模な特性が、第２のアンテナポート上の第２のシンボルが伝達されるチャネルから推測され得る場合に、おおよそ同じ場所に配置され得る。１つ以上の大規模な特性は、遅延拡散、ドップラー拡散、ドップラーシフト、平均利得、平均遅延、および／または空間受信（Ｒｘ）パラメータのうちの少なくとも１つを含み得る。
【００４２】
アンテナポートの複素数値ＯＦＤＭベースバンド信号のキャリア周波数に対する例示的変調およびアップコンバージョンが、図４Ｄに示されている。フィルタリングは、送信前に用いられてもよい。
【００４３】
図５Ａは、例示的なアップリンクチャネルマッピングおよび例示的なアップリンク物理信号の略図である。図５Ｂは、例示的なダウンリンクチャネルマッピングおよびダウンリンク物理信号の略図である。一例において、物理層は、１つ以上の情報転送サービスを、ＭＡＣおよび／または１つ以上のより上位層に提供することができる。例えば、物理層は、１つ以上のトランスポートチャネルを介して１つ以上の情報転送サービスをＭＡＣに提供することができる。情報転送サービスは、特性データが無線インターフェースをわたってどのように、また何と一緒に転送されるかを示すことができる。
【００４４】
一例示的な実施形態において、無線ネットワークは、１つ以上のダウンリンクおよび／またはアップリンクトランスポートチャネルを含むことができる。例えば、図５Ａの略図は、アップリンク共有チャネル（ＵＬ−ＳＣＨ）５０１およびランダムアクセスチャネル（ＲＡＣＨ）５０２を含む例示的なアップリンクトランスポートチャネルを示す。図５Ｂの略図は、ダウンリンク共有チャネル（ＤＬ−ＳＣＨ）５１１、ページングチャネル（ＰＣＨ）５１２、およびブロードキャストチャネル（ＢＣＨ）５１３を含む例示的なダウンリンクトランスポートチャネルを示す。トランスポートチャネルは、１つ以上の対応する物理チャネルにマッピングされ得る。例えば、ＵＬ−ＳＣＨ５０１は、物理アップリンク共有チャネル（ＰＵＳＣＨ）５０３にマッピングされ得る。ＲＡＣＨ５０２は、ＰＲＡＣＨ５０５にマッピングされ得る。ＤＬ−ＳＣＨ５１１およびＰＣＨ５１２は、物理ダウンリンク共有チャネル（ＰＤＳＣＨ）５１４にマッピングされ得る。ＢＣＨ５１３は、物理ブロードキャストチャネル（ＰＢＣＨ）５１６にマッピングされ得る。
【００４５】
対応するトランスポートチャネルを有さない１つ以上の物理チャネルが存在し得る。この１つ以上の物理チャネルは、アップリンク制御情報（ＵＣＩ）５０９および／またはダウンリンク制御情報（ＤＣＩ）５１７に対して用いられ得る。例えば、物理アップリンク制御チャネル（ＰＵＣＣＨ）５０４は、ＵＥから基地局にＵＣＩ５０９を搬送し得る。例えば、物理ダウンリンク制御チャネル（ＰＤＣＣＨ）５１５は、基地局からＵＥにＤＣＩ５１７を搬送し得る。ＮＲは、ＵＣＩ５０９およびＰＵＳＣＨ５０３送信がスロット内で少なくとも部分的に一致し得る場合、ＰＵＳＣＨ５０３においてＵＣＩ５０９多重化をサポートすることができる。ＵＣＩ５０９は、ＣＳＩ、肯定応答（ＡＣＫ）／否定肯定応答（ＮＡＣＫ）、および／またはスケジューリング要求のうちの少なくとも１つを含むことができる。ＰＤＣＣＨ５１５上のＤＣＩ５１７は、以下の、１つ以上のダウンリンク割り当て、および／または１つ以上のアップリンクスケジューリンググラントのうちの少なくとも１つを示すことができる。
【００４６】
アップリンクでは、ＵＥは、１つ以上の基準信号（ＲＳ）を基地局に送信することができる。例えば、１つ以上のＲＳは、復調−ＲＳ（ＤＭ−ＲＳ）５０６、位相追跡−ＲＳ（ＰＴ−ＲＳ）５０７、および／またはサウンディングＲＳ（ＳＲＳ）５０８のうちの少なくとも１つであってもよい。ダウンリンクでは、基地局は、１つ以上のＲＳをＵＥに送信（例えば、ユニキャスト、マルチキャスト、および／またはブロードキャスト）することができる。例えば、１つ以上のＲＳは、プライマリ同期信号（ＰＳＳ）／セカンダリ同期信号（ＳＳＳ）５２１、ＣＳＩ−ＲＳ５２２、ＤＭ−ＲＳ５２３、および／またはＰＴ−ＲＳ５２４のうちの少なくとも１つとしてもよい。
【００４７】
一例において、ＵＥは、チャネル推定のため、例えば、１つ以上のアップリンク物理チャネル（例えば、ＰＵＳＣＨ５０３および／またはＰＵＣＣＨ５０４）のコヒーレント復調のために、１つ以上のアップリンクＤＭ−ＲＳ５０６を基地局に送信することができる。例えば、ＵＥは、基地局に、ＰＵＳＣＨ５０３および／またはＰＵＣＣＨ５０４を有する少なくとも１つのアップリンクＤＭ−ＲＳ５０６を送信することができ、この少なくとも１つのアップリンクＤＭ−ＲＳ５０６は、対応する物理チャネルと同じ周波数範囲に及んでいてもよい。一例において、基地局は、１つ以上のアップリンクＤＭ−ＲＳ構成を有するＵＥを構成することができる。少なくとも１つのＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）上にマッピングされ得る。１つ以上の追加のアップリンクＤＭ−ＲＳは、ＰＵＳＣＨおよび／またはＰＵＣＣＨの１つ以上のシンボルで送信するように構成され得る。基地局は、ＰＵＳＣＨおよび／またはＰＵＣＣＨのための先行ＤＭ−ＲＳシンボルの最大数を用いてＵＥを準統計学的に構成することができる。例えば、ＵＥは、先行ＤＭ−ＲＳシンボルの最大数に基づいて、単一シンボルＤＭ−ＲＳおよび／または二重シンボルＤＭ−ＲＳをスケジュールすることができ、基地局は、ＰＵＳＣＨおよび／またはＰＵＣＣＨのための１つ以上の追加のアップリンクＤＭ−ＲＳを用いてＵＥを構成することができる。新無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００４８】
一例において、アップリンクＰＴ−ＲＳ５０７が存在するか否かは、ＲＲＣ構成に依存し得る。例えば、アップリンクＰＴ−ＲＳの存在は、ＵＥ固有に構成され得る。例えば、スケジュールされたリソース内のアップリンクＰＴ−ＲＳ５０７の存在および／またはパターンは、ＲＲＣシグナリング、および／または、ＤＣＩによって示され得る他の目的（例えば、変調および符号化方式（ＭＣＳ））のために用いられる１つ以上のパラメータとの関連付けの組み合わせによってＵＥ固有に構成され得る。アップリンクＰＴ−ＲＳ５０７の動的存在は、それが構成される場合、少なくともＭＣＳを含む１つ以上のＤＣＩパラメータと関連付けられ得る。無線ネットワークは、時間／周波数領域で定義される複数のアップリンクＰＴ−ＲＳ密度をサポートすることができる。周波数領域密度は、それが存在する場合、スケジュールされた帯域幅の少なくとも１つの構成と関連付けられ得る。ＵＥは、ＤＭＲＳポートおよびＰＴ−ＲＳポートのための同じプリコーディングを想定し得る。ＰＴ−ＲＳポートの数は、スケジュールされたリソース内のＤＭ−ＲＳポートの数よりも少ない場合がある。例えば、アップリンクＰＴ−ＲＳ５０７は、ＵＥのためのスケジュールされた時間／周波数持続時間内に制限され得る。
【００４９】
一例において、ＵＥは、アップリンクチャネル依存スケジューリングおよび／またはリンク適応をサポートするチャネル状態推定のために、基地局に、ＳＲＳ５０８を送信することができる。例えば、ＵＥによって送信されたＳＲＳ５０８は、基地局に、１つ以上の異なる周波数におけるアップリンクチャネル状態を推定させることができる。基地局スケジューラは、アップリンクチャネル状態を用いて、ＵＥからアップリンクＰＵＳＣＨ送信のために良好な品質の１つ以上のリソースブロックを割り当てることができる。基地局は、１つ以上のＳＲＳリソースセットを用いてＵＥを準統計学的に構成することができる。ＳＲＳリソースセットの場合、基地局は、１つ以上のＳＲＳリソースを用いてＵＥを構成することができる。ＳＲＳリソースセットの適用可能性は、より上位の層（例えば、ＲＲＣ）のパラメータによって構成され得る。例えば、上位層パラメータがビーム管理を示す場合、１つ以上のＳＲＳリソースセットの各々の中のＳＲＳリソースは、一度に送信されることがある。ＵＥは、異なるＳＲＳリソースセット内に１つ以上のＳＲＳリソースを同時に送信することができる。新無線ネットワークは、非周期的、周期的、かつ／または半永続的なＳＲＳ送信をサポートすることができる。ＵＥは、１つ以上のトリガタイプに基づいてＳＲＳリソースを送信することができ、その１つ以上のトリガタイプは、上層シグナリング（例えば、ＲＲＣ）、および／または１つ以上のＤＣＩフォーマット（例えば、少なくとも１つのＤＣＩフォーマットを使用して、ＵＥが、１つ以上の構成されたＳＲＳリソースセットのうちの少なくとも１つを選択することができる）を含むことができる。ＳＲＳトリガタイプ０は、上位層のシグナリングに基づいてトリガされたＳＲＳを意味し得る。ＳＲＳトリガタイプ１は、１つ以上のＤＣＩフォーマットに基づいてトリガされたＳＲＳを意味し得る。一例において、ＰＵＳＣＨ５０３およびＳＲＳ５０８が同じスロットで送信される場合、ＵＥは、ＰＵＳＣＨ５０３および対応するアップリンクＤＭ−ＲＳ５０６の送信の後にＳＲＳ５０８を送信するように構成され得る。
【００５０】
一例において、基地局は、以下のうちの少なくとも１つを示す１つ以上のＳＲＳ構成パラメータを用いてＵＥを準統計学的に構成することができ、それらの構成パラメータは、ＳＲＳリソース構成識別子、ＳＲＳポート数、ＳＲＳリソース構成の時間領域動作（例えば、周期的、半永続的、または非周期的なＳＲＳの表示）、周期的および／または非周期的ＳＲＳリソースのためのスロット（ミニスロット、および／またはサブフレーム）レベル周期性および／またはオフセット、ＳＲＳリソース内のＯＦＤＭシンボル数、ＳＲＳリソースのＯＦＤＭシンボル開始、ＳＲＳ帯域幅、周波数ホッピング帯域幅、サイクリックシフト、および／またはＳＲＳシーケンスＩＤである。
【００５１】
一例において、ある時間領域では、ＳＳ／ＰＢＣＨブロックは、ＳＳ／ＰＢＣＨブロック内部に１つ以上のＯＦＤＭシンボル（例えば、０から３まで増加順で番号付けられた４つのＯＦＤＭシンボル）を含むことができる。ＳＳ／ＰＢＣＨブロックは、ＰＳＳ／ＳＳＳ５２１およびＰＢＣＨ５１６を含むことができる。一例において、周波数領域では、ＳＳ／ＰＢＣＨブロックは、ＳＳ／ＰＢＣＨブロック内部に１つ以上の連続サブキャリア（例えば、０から２３９まで増加順で願号付けられたサブキャリアを伴う２４０個の連続サブキャリア）を含むことができる。例えば、ＰＳＳ／ＳＳＳ５２１は、１個のＯＦＤＭシンボル、および１２７個のサブキャリアを占有し得る。例えば、ＰＢＣＨ５１６は、３個のＯＦＤＭシンボル、および２４０個のサブキャリアにまたがり得る。ＵＥは、同じブロックインデックスを用いて送信された１つ以上のＳＳ／ＰＢＣＨブロックが、例えば、ドップラー拡散、ドップラーシフト、平均利得、平均遅延、および空間Ｒｘパラメータに関して、擬似的に同じ位置に配置され得ることを想定することができる。ＵＥは、他のＳＳ／ＰＢＣＨブロック送信の場合、擬似的な同じ位置の配置を想定することはできない。ＳＳ／ＰＢＣＨブロックの周期性は、無線ネットワーク（例えば、ＲＲＣシグナリングによる）によって構成され得、ＳＳ／ＰＢＣＨブロックが送信され得る１つ以上の時間位置が、サブキャリア間隔によって決定され得る。一例において、無線ネットワークが、別のサブキャリア間隔を想定するようにＵＥを構成しない限り、ＵＥは、ＳＳ／ＰＢＣＨブロックの帯域固有のサブキャリア間隔を想定することができる。
【００５２】
一例において、ダウンリンクＣＳＩ−ＲＳ５２２を用いて、ＵＥがチャネル状態情報を取得することができる。無線ネットワークは、ダウンリンクＣＳＩ−ＲＳ５２２の周期的、非周期的、および／または半永続的な送信をサポートすることができる。例えば、基地局は、ダウンリンクＣＳＩ−ＲＳ５２２の周期的な送信を用いてＵＥを準統計学的に構成および／または再構成することができる。構成されたＣＳＩ−ＲＳリソースは、作動および／または停止し得る。半永続的な送信の場合、ＣＳＩ−ＲＳリソースの作動および／または停止は、動的にトリガされ得る。一例において、ＣＳＩ−ＲＳ構成は、少なくともアンテナポート数を示す１つ以上のパラメータを含むことができる。例えば、基地局は、３２個のポートを用いてＵＥを構成することができる。基地局は、１つ以上のＣＳＩ−ＲＳリソースセットを用いてＵＥを準統計学的に構成することができる。１つ以上のＣＳＩ−ＲＳリソースは、１つ以上のＣＳＩ−ＲＳリソースセットから１つ以上のＵＥに割り当てられ得る。例えば、基地局は、ＣＳＩ  ＲＳリソースマッピングを示す１つ以上のパラメータ、例えば、１つ以上のＣＳＩ−ＲＳリソースの時間領域位置、ＣＳＩ−ＲＳリソースの帯域幅、および／または周期性を準統計学的に構成することができる。一例において、ダウンリンクＣＳＩ−ＲＳ５２２およびコアセットが空間的に擬似的に同じ位置に配置されている場合、ＵＥは、ダウンリンクＣＳＩ−ＲＳ５２２および制御リソースセット（コアセット）に対して同じＯＦＤＭシンボルを使用するように構成され得、ダウンリンクＣＳＩ−ＲＳ５２２と関連付けられたリソースエレメントは、コアセットのために構成されたＰＲＢの外側にある。一例において、ダウンリンクＣＳＩ−ＲＳ５２２およびＳＳＢ／ＰＢＣＨが空間的に擬似的に同じ位置に配置されている場合、ＵＥは、ダウンリンクＣＳＩ−ＲＳ５２２およびＳＳＢ／ＰＢＣＨに対して同じＯＦＤＭシンボルを使用するように構成され得、ダウンリンクＣＳＩ−ＲＳ５２２と関連付けられたリソースエレメントは、ＳＳＢ／ＰＢＣＨのために構成されたＰＲＢの外側にある。
【００５３】
一例において、ＵＥは、チャネル推定のために、例えば、１つ以上のダウンリンク物理チャネル（例えば、ＰＤＳＣＨ５１４）のコヒーレント復調を行うために、１つ以上のダウンリンクＤＭ−ＲＳ５２３を基地局に送信することができる。例えば、無線ネットワークは、データ復調のための、１つ以上の可変および／または構成可能なＤＭ−ＲＳパターンをサポートすることができる。少なくとも１つのダウンリンクＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）上にマッピングされ得る。基地局は、ＰＤＳＣＨ５１４のための先行ＤＭ−ＲＳシンボルの最大数を用いてＵＥを準統計学的に構成することができる。例えば、ＤＭ−ＲＳ構成は、１つ以上のＤＭ−ＲＳポートをサポートすることができる。例えば、シングルユーザ−ＭＩＭＯの場合、ＤＭ−ＲＳ構成は、少なくとも８個の直交ダウンリンクＤＭ−ＲＳポートをサポートすることができる。例えば、マルチユーザ−ＭＩＭＯの場合、ＤＭ−ＲＳ構成は、１２個の直交ダウンリンクＤＭ−ＲＳポートをサポートすることができる。無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００５４】
一例において、ダウンリンクＰＴ−ＲＳ５２４が存在するか否かは、ＲＲＣ構成に依存し得る。例えば、ダウンリンクＰＴ−ＲＳ５２４の存在は、ＵＥ固有に構成され得る。例えば、スケジュールされたリソース内のダウンリンクＰＴ−ＲＳ５２４の存在および／またはパターンは、ＲＲＣシグナリング、および／または、ＤＣＩによって示され得る他の目的（例えば、ＭＣＳ）のために用いられる１つ以上のパラメータとの関連付けとの組み合わせによってＵＥ固有に構成され得る。ダウンリンクＰＴ−ＲＳ５２４の動的存在は、それが構成される場合、少なくともＭＣＳを含む１つ以上のＤＣＩパラメータと関連付けられ得る。無線ネットワークは、時間／周波数領域において定義される複数のＰＴ−ＲＳ密度をサポートすることができる。周波数領域密度は、それが存在する場合、スケジュールされた帯域幅の少なくとも１つの構成と関連付けられ得る。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、ダウンリンクＰＴ−ＲＳ５２４は、ＵＥのためのスケジュールされた時間／周波数持続時間内に制限され得る。
【００５５】
図６は、本開示の実施形態の態様に基づく、キャリアの例示的フレーム構造を描いている略図である。マルチキャリアＯＦＤＭ通信システムでは、１つ以上のキャリアを含むことができ、例えば、キャリアアグリゲーションの場合には、１〜３２個のキャリアに、またはデュアル接続の場合には、１〜６４個のキャリアに及ぶ。異なる無線フレーム構造は、サポートされ得る（例えば、ＦＤＤ方式の場合、およびＴＤＤ複信方式の場合）。図６は、例示的なフレーム構造を示す。ダウンリンクおよびアップリンク送信は、無線フレーム６０１内に構成され得る。この例では、無線フレーム持続時間は、１０ミリ秒である。この例では、１０ミリ秒の無線フレーム６０１は、１ミリ秒の持続時間を有する、１０個の等しいサイズのサブフレーム６０２に分割され得る。サブフレーム（複数可）は、サブキャリア間隔および／またはＣＰ長さに応じて、１つ以上のスロット（例えば、スロット６０３および６０５）を含むことができる。例えば、１５ｋＨｚ、３０ｋＨｚ、６０ｋＨｚ、１２０ｋＨｚ、２４０ｋＨｚ、および４８０ｋＨｚのサブキャリア間隔を有するサブフレームは、それぞれ、１個、２個、４個、８個、１６個、および３２個のスロットを含むことができる。図６では、サブフレームは、０．５ミリ秒の持続時間を有する、２個の等しいサイズのスロット６０３に分割され得る。例えば、１０個のサブフレームは、ダウンリンク送信に利用可能であり得、１０個のサブフレームは、１０ミリ秒の時間間隔でのアップリンク送信に利用可能であり得る。アップリンクおよびダウンリンク送信は、周波数領域において分離され得る。スロット（複数可）は、複数のＯＦＤＭシンボル６０４を含むことができる。スロット６０５内のＯＦＤＭシンボル６０４の数は、サイクリックプレフィックス長さに依存し得る。例えば、１つのスロットは、通常のＣＰを有する、最大４８０ｋＨｚの同じサブキャリア間隔で１４個のＯＦＤＭシンボルとすることができる。１つのスロットは、拡張されたＣＰを有する、６０ｋＨｚの同じサブキャリア間隔で１２個のＯＦＤＭシンボルとすることができる。１つのスロットは、ダウンリンク、アップリンク、または、ダウンリンク部分およびアップリンク部分、ならびに／または同様のものを含むことができる。
【００５６】
図７Ａは、本開示の実施形態の態様に基づく、例示的なＯＦＤＭサブキャリアセットを描いている略図である。この例において、ｇＮＢは、例示的なチャネル帯域幅７００を有するキャリアを有する無線デバイスと通信することができる。略図内の矢印（複数可）は、マルチキャリアＯＦＤＭシステム内のサブキャリアを示し得る。ＯＦＤＭシステムは、ＯＦＤＭ技術、ＳＣ−ＦＤＭＡ技術、および／または同様のものなどの技術を用いることができる。一例において、矢印７０１は、情報シンボルを送信するサブキャリアを示す。一例において、キャリア内の２つの隣接するサブキャリア間のサブキャリア間隔７０２は、１５ＫＨｚ、３０ＫＨｚ、６０ＫＨｚ、１２０ＫＨｚ、２４０ＫＨｚ等のうちの任意の１つとすることができる。一例において、異なるサブキャリア間隔は、異なる送信数秘術に対応し得る。一例において、送信数秘術は、少なくとも数秘術インデックス、サブキャリア間隔の値、サイクリックプレフィックス（ＣＰ）のタイプを含むことができる。一例において、ｇＮＢは、キャリア内の多数のサブキャリア７０３上で、ＵＥへ送信／ＵＥから受信することができる。一例において、多数のサブキャリア７０３により占有される帯域幅（伝送帯域幅）は、ガードバンド７０４および７０５に起因して、キャリアのチャネル帯域幅７００よりも小さくてもよい。一例において、ガードバンド７０４および７０５を用いて、１つ以上の近隣のキャリアへ／からの干渉を低減することができる。キャリア内のサブキャリア（伝送帯域幅）の数は、キャリアのチャネル帯域幅、およびサブキャリア間隔に依存し得る。例えば、２０ＭＨｚチャネル帯域幅および１５ＫＨｚサブキャリア間隔を有するキャリアの場合、伝送帯域幅は、１０２４個のサブキャリア数となり得る。
【００５７】
一例において、ｇＮＢおよび無線デバイスは、ＣＡを用いて構成されると、複数のＣＣと通信することができる。一例において、異なるコンポーネントキャリアは、ＣＡがサポートされている場合、異なる帯域幅および／またはサブキャリア間隔を有し得る。一例において、ｇＮＢは、第１のコンポーネントキャリア上のＵＥに第１のタイプのサービスを送信することができる。ｇＮＢは、第２のコンポーネントキャリア上のＵＥに第２のタイプのサービスを送信することができる。異なるタイプのサービスは、異なるサービス要件（例えば、データレート、待ち時間、信頼性）を有し得、これらは、異なるサブキャリア間隔および／または帯域幅を有する異なるコンポーネントキャリアを介した送信に好適となり得る。図７Ｂは、例示的な実施形態を示す。第１のコンポーネントキャリアは、第１のサブキャリア間隔７０９を有する第１の数のサブキャリア７０６を含むことができる。第２のコンポーネントキャリアは、第２のサブキャリア間隔７１０を有する第２の数のサブキャリア７０７を含むことができる。第３のコンポーネントキャリアは、第３のサブキャリア間隔７１１を有する第３の数のサブキャリア７０８を含むことができる。マルチキャリアＯＦＤＭ通信システム内のキャリアは、連続キャリア、非連続キャリア、または連続キャリアおよび非連続キャリア両方の組み合わせとすることができる。
【００５８】
図８は、本開示の実施形態の態様に基づく、ＯＦＤＭ無線リソースを描いている略図である。一例において、キャリアは、伝送帯域幅８０１を有し得る。一例において、リソースグリッドは、周波数領域８０２および時間領域８０３の構造内にあり得る。一例において、リソースグリッドは、サブフレーム内の第１の数のＯＦＤＭシンボル、および第２の数のリソースブロックを含むことができ、伝送数秘術およびキャリアのために、上位層シグナリング（例えば、ＲＲＣシグナリング）によって示された共通リソースブロックから開始する。一例において、リソースグリッドでは、サブキャリアインデックスおよびシンボルインデックスにより識別されたリソースユニットは、リソースエレメント８０５であり得る。一例において、サブフレームは、キャリアと関連付けられた数秘術に応じて第１の数のＯＦＤＭシンボル８０７を含むことができる。例えば、キャリアの数秘術のサブキャリア間隔が１５ＫＨｚである場合、サブフレームは、キャリアに対して１４個のＯＦＤＭシンボルを有することができる。数秘術のサブキャリア間隔が３０ＫＨｚである場合、サブフレームは、２８個のＯＦＤＭシンボルを有することができる。数秘術のサブキャリア間隔が６０ＫＨｚである場合、サブフレームは、５６個のＯＦＤＭシンボルを有することができる。一例において、キャリアのリソースグリッド内に含まれる第２の数のリソースブロックは、キャリアの帯域幅および数秘術に依存し得る。
【００５９】
図８に示すように、リソースブロック８０６は、１２個のサブキャリアを含むことができる。一例において、複数のリソースブロックは、リソースブロックグループ（ＲＢＧ）８０４にグループ化され得る。一例において、ＲＢＧのサイズは、ＲＢＧサイズ構成を示すＲＲＣメッセージ、キャリア帯域幅のサイズ、またはキャリアの帯域幅部分のうちの少なくとも１つに依存し得る。一例において、キャリアは、複数の帯域幅部分を含むことができる。キャリアの第１の帯域幅部分は、キャリアの第２の帯域幅部分とは異なる周波数位置および／または帯域幅を有することができる。
【００６０】
一例において、ｇＮＢは、ダウンリンクまたはアップリンクリソースブロック割り当てを含むダウンリンク制御情報を無線デバイスに送信することができる。基地局は、ダウンリンク制御情報および／またはＲＲＣメッセージ（複数可）内のパラメータに従って、１つ以上のリソースブロックおよび１つ以上のスロットを介して、スケジュールおよび送信されたデータパケット（例えば、トランスポートブロック）を、無線デバイスに送信し、または無線デバイスから受信することができる。一例において、１つ以上のスロットの第１のスロットに対する開始シンボルが、無線デバイスに示され得る。一例において、ｇＮＢは、１つ以上のＲＢＧおよび１つ以上のスロットにスケジュールされたデータパケットを、無線デバイスに送信し、または無線デバイスから受信することができる。
【００６１】
一例において、ｇＮＢは、１つ以上のＰＤＣＣＨを介して無線デバイスにダウンリンク割り当てを含むダウンリンク制御情報を送信することができる。ダウンリンク割り当ては、少なくとも変調および符号化フォーマットを示すパラメータ、リソース割り当て、および／または、ＤＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のセル無線ネットワーク一時識別子（Ｃ−ＲＮＴＩ）を介して無線デバイスにリソースを動的に割り当てることができる。無線デバイスは、１つ以上のＰＤＣＣＨをモニタして、無線デバイスのダウンリンク受信が可能であるときに可能な割り当てを見出すことができる。無線デバイスは、１つ以上のＰＤＣＣＨを正常に検出する場合、１つ以上のＰＤＣＣＨによりスケジュールされた１つ以上のＰＤＳＣＨ上に１つ以上のダウンリンクデータパッケージを受信することができる。
【００６２】
一例において、ｇＮＢは、無線デバイスへのダウンリンク送信のための構成スケジューリング（ＣＳ）リソースを割り当てることができる。ｇＮＢは、ＣＳグラントの周期性を示す１つ以上のＲＲＣメッセージを送信することができる。ｇＮＢは、ＣＳリソースを作動させる構成スケジューリング−ＲＮＴＩ（ＣＳ−ＲＮＴＩ）にアドレス指定されたＰＤＣＣＨを介してＤＣＩを送信することができる。ＤＣＩは、ダウンリンクグラントがＣＳグラントであることを示すパラメータを含むことができる。ＣＳグラントは、１つ以上のＲＲＣメッセージにより定義された周期性に従って、停止されるまで、暗黙的に再使用され得る。
【００６３】
一例において、ｇＮＢは、１つ以上のＰＤＣＣＨを介して無線デバイスにアップリンクグラントを含むダウンリンク制御情報を送信することができる。アップリンクグラントは、少なくとも変調および符号化フォーマットを示すパラメータ、リソース割り当て、および／または、ＵＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のＣ−ＲＮＴＩを介して無線デバイスにリソースを動的に割り当てることができる。無線デバイスは、１つ以上のＰＤＣＣＨをモニタして、可能なリソース割り当てを見出すことができる。無線デバイスは、１つ以上のＰＤＣＣＨを正常に検出する場合、１つ以上のＰＤＣＣＨによりスケジュールされた１つ以上のＰＵＳＣＨを介して１つ以上のアップリンクデータパッケージを送信することができる。
【００６４】
一例において、ｇＮＢは、無線デバイスへのアップリンクデータ送信のためのＣＳリソースを割り当てることができる。ｇＮＢは、ＣＳグラントの周期性を示す１つ以上のＲＲＣメッセージを送信することができる。ｇＮＢは、ＣＳリソースを作動させるＣＳ−ＲＮＴＩにアドレス指定されたＰＤＣＣＨを介してＤＣＩを送信することができる。ＤＣＩは、アップリンクグラントがＣＳグラントであることを示すパラメータを含むことができる。ＣＳグラントは、１つ以上のＲＲＣメッセージにより定義された周期性に従って、停止されるまで、暗黙的に再使用され得る。
【００６５】
一例において、基地局は、ＰＤＣＣＨを介してＤＣＩ／制御シグナリングを送信することができる。ＤＣＩは、複数のフォーマット中の１つのフォーマットを取得することができる。ＤＣＩは、ダウンリンクおよび／またはアップリンクスケジューリング情報（例えば、リソース割り当て情報、ＨＡＲＱ関連パラメータ、ＭＣＳ）、ＣＳＩの要求（例えば、非周期的ＣＱＩレポート）、ＳＲＳの要求、１つ以上のセルに対するアップリンクパワー制御コマンド、１つ以上のタイミング情報（例えば、ＴＢ送信／受信タイミング、ＨＡＲＱフィードバックタイミング等）等を含むことができる。一例において、ＤＣＩは、１つ以上のトランスポートブロックのための送信パラメータを含むアップリンクグラントを示すことができる。一例において、ＤＣＩは、１つ以上のトランスポートブロックを受信するためのパラメータを示すダウンリンク割り当てを示すことができる。一例において、ＤＣＩは、基地局によって使用されて、無線デバイスにおいて競合なしランダムアクセスを開始することができる。一例において、基地局は、スロットフォーマットを通知するスロットフォーマットインジケータ（ＳＦＩ）を含むＤＣＩを送信することができる。一例において、基地局は、ＰＲＢ（複数可）および／またはＯＦＤＭシンボル（複数可）を通知する先買い表示を含むＤＣＩを送信することができ、そこでは、ＵＥは、ＵＥのための送信が意図されていないことを想定することができる。一例において、基地局は、ＰＵＣＣＨまたはＰＵＳＣＨまたはＳＲＳのグループパワー制御のためのＤＣＩを送信することができる。一例において、ＤＣＩは、ＲＮＴＩに対応することができる。一例において、無線デバイスは、初期アクセス（例えば、Ｃ−ＲＮＴＩ）を完了することに応答してＲＮＴＩを取得することができる。一例において、基地局は、無線のためのＲＮＴＩ（例えば、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＴＰＣ−ＳＲＳ−ＲＮＴＩ）を構成することができる。一例において、無線デバイスは、ＲＮＴＩを計算することができる（例えば、無線デバイスは、プリアンブルの送信のために使用されるリソースに基づいて、ＲＡ−ＲＮＴＩを計算することができる）。一例において、ＲＮＴＩは、事前に設定された値（例えば、Ｐ−ＲＮＴＩまたはＳＩ−ＲＮＴＩ）を有することができる。一例において、無線デバイスは、グループ共通検索空間をモニタすることができ、その空間は、基地局によって使用されてＵＥのグループのために意図されているＤＣＩを送信する。一例において、グループ共通ＤＣＩは、ＵＥのグループのために共通して構成されているＲＮＴＩに対応することができる。一例において、無線デバイスは、ＵＥ固有の検索空間をモニタすることができる。一例において、ＵＥ固有のＤＣＩは、無線デバイスのために構成されたＲＮＴＩに対応することができる。
【００６６】
例示的な実施形態において、新無線ネットワークは、帯域幅適応（ＢＡ）をサポートすることができる。一例において、ＢＡを用いるＵＥによって構成された受信および／または送信帯域幅は、大きくなくてもよい。例えば、受信および／または送信帯域幅は、セルの帯域幅ほど大きくなくてもよい。受信および／または送信帯域幅は、調節可能であってもよい。例えば、ＵＥは、受信および／または送信帯域幅を変化させて、例えば、活動が少ない期間中には減らして節電することができる。例えば、ＵＥは、周波数領域内の受信および／または送信帯域幅の位置を変化させ得、例えば、スケジューリングのフレキシブル性を高めることができる。例えば、ＵＥは、サブキャリア間隔を変化させて、例えば、異なるサービスを可能にすることができる。
【００６７】
例示的な実施形態において、セルの全セル帯域幅のサブセットは、帯域幅部分（ＢＷＰ）と呼ばれることがある。基地局は、１つ以上のＢＷＰを用いてＵＥを構成してＢＡを達成することができる。例えば、基地局は、ＵＥに対して、１つ以上の（構成された）ＢＷＰのどれが能動ＢＷＰであるかを示すことができる。
【００６８】
図９は、幅４０ＭＨｚおよびサブキャリア間隔１５ｋＨｚを有するＢＷＰ１（１０１０および１０５０）、幅１０ＭＨｚおよびサブキャリア間隔１５ｋＨｚを有するＢＷＰ２（１０２０および１０４０）、幅２０ＭＨｚおよびサブキャリア間隔６０ｋＨｚを有するＢＷＰ３  １０３０、で構成された３個のＢＷＰの例示的な略図である。
【００６９】
一例において、ＵＥは、１個のセルの中の１つ以上のＢＷＰ内で動作するように構成され、１個のセルにつき１つ以上の上位層（例えば、ＲＲＣ層）、１個のセルにつき少なくとも１つのパラメータＤＬ−ＢＷＰによるＤＬ帯域幅内の、ＵＥ（ＤＬ  ＢＷＰセット）による受信のための１つ以上のＢＷＰ（例えば、最大４つのＢＷＰ）のセット、および、１個のセルにつき少なくとも１つのパラメータＵＬ−ＢＷＰによるＵＬ帯域幅内の、ＵＥ（ＵＬ  ＢＷＰセット）による受信のための１つ以上のＢＷＰ（例えば、最大４つのＢＷＰ）のセット、によって構成され得る。
【００７０】
ＰＣｅｌｌでのＢＡを可能にするため、基地局は、１つ以上のＵＬおよびＤＬ  ＢＷＰペアを用いてＵＥを構成することができる。ＳＣｅｌｌ（例えば、ＣＡの場合）でのＢＡを可能にするため、基地局は、少なくとも１つ以上のＤＬ  ＢＷＰを用いてＵＥを構成することができる（例えば、ＵＬには、何もない場合がある）。
【００７１】
一例において、初期能動ＤＬ  ＢＷＰは、少なくとも１つの共通検索空間のための制御リソースセットに対して、連続ＰＲＢの位置および数、サブキャリア間隔、またはサイクリックプレフィックスのうちの少なくとも１つによって定義され得る。ＰＣｅｌｌでの動作のために、１つ以上の上位層パラメータは、ランダムアクセスプロシージャのための少なくとも１つの初期ＵＬ  ＢＷＰを示すことができる。ＵＥがプライマリセルでのセカンダリキャリアを用いて構成される場合、ＵＥは、セカンダリキャリアでのランダムアクセスプロシージャのための初期ＢＷＰを用いて構成され得る。
【００７２】
一例において、ペアになっていないスペクトル動作の場合、ＵＥは、ＤＬ  ＢＷＰの場合の中心周波数がＵＬ  ＢＷＰの場合の中心周波数と同じであり得ることを予想し得る。
【００７３】
例えば、１つ以上のＤＬ  ＢＷＰまたは１つ以上のＵＬ  ＢＷＰのセット内の、それぞれのＤＬ  ＢＷＰまたはＵＬ  ＢＷＰの場合、基地局は、以下のうちの少なくとも１つを示す１つ以上のパラメータを用いてセルのためのＵＥを準統計学的に構成することができ、それらのパラメータは、サブキャリア間隔、サイクリックプレフィックス、連続ＰＲＢの数、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからの、ＤＬ  ＢＷＰとＵＬ  ＢＷＰとの間のリンク、ＰＤＳＣＨ受信タイミングに対するＤＣＩ検出、ＨＡＲＱ−ＡＣＫ送信タイミング値に対するＰＤＳＣＨ受信、ＰＵＳＣＨ送信タイミング値に対するＤＣＩ検出、帯域幅の第１のＰＲＢに対する、ＤＬ帯域幅またはＵＬ帯域幅のそれぞれの第１のＰＲＢのオフセットである。
【００７４】
一例において、ＰＣｅｌｌでの１つ以上のＤＬ  ＢＷＰのセット内のＤＬ  ＢＷＰの場合、基地局は、共通検索空間および／または１つのＵＥ固有の検索空間のうちの少なくとも１つのタイプに対する１つ以上の制御リソースセットを用いてＵＥを構成することができる。例えば、基地局は、能動ＤＬ  ＢＷＰにおいて、ＰＣｅｌｌ上の共通検索空間なしで、またはＰＳＣｅｌｌ上で、ＵＥを構成することはできない。
【００７５】
１つ以上のＵＬ  ＢＷＰのセット内にＵＬ  ＢＷＰがある場合、基地局は、１つ以上のＰＵＣＣＨ送信に対する１つ以上のリソースセットを用いてＵＥを構成することができる。
【００７６】
一例において、ＤＣＩがＢＷＰインジケータフィールドを含む場合、ＢＷＰインジケータフィールド値は、１つ以上のＤＬ受信に対して構成されたＤＬ  ＢＷＰセットからの能動ＤＬ  ＢＷＰを示すことができる。ＤＣＩがＢＷＰインジケータフィールドを含む場合、ＢＷＰインジケータフィールド値は、１つ以上のＵＬ送信の場合に、構成されたＵＬ  ＢＷＰセットからの能動ＵＬ  ＢＷＰを示すことができる。
【００７７】
一例において、ＰＣｅｌｌの場合、基地局は、構成されたＤＬ  ＢＷＰ間のデフォルトＤＬ  ＢＷＰを用いてＵＥを準統計学的に構成することができる。ＵＥがデフォルトＤＬ  ＢＷＰを提供されない場合、デフォルトＢＷＰは、初期能動ＤＬ  ＢＷＰとなり得る。
【００７８】
一例において、基地局は、ＰＣｅｌｌのタイマ値を用いてＵＥを構成することができる。例えば、ＵＥが、ペアになっているスペクトル動作の場合に、デフォルトＤＬ  ＢＷＰ以外の能動ＤＬ  ＢＷＰを示すＤＣＩを検出した場合、または、ＵＥが、ペアになっていないスペクトル動作の場合に、デフォルトＤＬ  ＢＷＰまたはＵＬ  ＢＷＰ以外の能動ＤＬ  ＢＷＰまたはＵＬ  ＢＷＰを示すＤＣＩを検出した場合、ＵＥは、ＢＷＰ停止タイマと呼ばれるタイマを開始することができる。ＵＥが、ペアになっているスペクトル動作またはペアになっていないスペクトル動作の場合の期間の間にＤＣＩを検出しない場合、ＵＥは、第１の値の期間（例えば、第１の値が１ミリ秒または０．５ミリ秒であり得る）までタイマを進めることができる。一例において、タイマは、タイマがそのタイマ値に等しくなったときに、満了し得る。ＵＥは、タイマが満了したときに、能動ＤＬ  ＢＷＰからデフォルトＤＬ  ＢＷＰに切り替えることができる。
【００７９】
一例において、基地局は、１つ以上のＢＷＰを用いてＵＥを準統計学的に構成することができる。ＵＥは、第２のＢＷＰを能動ＢＷＰとして示すＤＣＩを受信することに応答して、および／または、ＢＷＰ停止タイマの満了（例えば、第２のＢＷＰがデフォルトＢＷＰとなり得ること）に応答して、第１のＢＷＰから第２のＢＷＰに能動ＢＷＰを切り替えることができる。例えば、図９は、ＢＷＰ１（１０１０および１０５０）、ＢＷＰ２（１０２０および１０４０）、およびＢＷＰ３（１０３０）の３つのＢＷＰが構成された例示的な略図である。ＢＷＰ２（１０２０および１０４０）は、デフォルトＢＷＰであってもよい。ＢＷＰ１（１０１０）は、初期能動ＢＷＰであってもよい。一例において、ＵＥは、ＢＷＰ停止タイマの満了に応答して、ＢＷＰ１  １０１０からＢＷＰ２  １０２０に能動ＢＷＰを切り替えることができる。例えば、ＵＥは、ＢＷＰ３  １０３０を能動ＢＷＰとして示すＤＣＩを受信することに応答して、ＢＷＰ２  １０２０からＢＷＰ３  １０３０に能動ＢＷＰを切り替えることができる。ＢＷＰ３  １０３０からＢＷＰ２  １０４０に、および／またはＢＷＰ２  １０４０からＢＷＰ１  １０５０に能動ＢＷＰを切り替えることは、能動ＢＷＰを示すＤＣＩを受信することに応答するものであり、かつ／またはＢＷＰ停止タイマの満了に応答するものであってもよい。
【００８０】
一例において、ＵＥが、構成されたＤＬ  ＢＷＰおよびタイマ値の間にデフォルトＤＬ  ＢＷＰを用いてセカンダリセルのために構成される場合、セカンダリセルでのＵＥプロシージャは、セカンダリセルのタイマ値、およびセカンダリセルのデフォルトＤＬ  ＢＷＰを使用したプライマリセルと同じであってもよい。
【００８１】
一例において、基地局が、セカンダリセルまたはキャリア上で第１の能動ＤＬ  ＢＷＰおよび第１の能動ＵＬ  ＢＷＰを用いてＵＥを構成する場合、ＵＥは、セカンダリセル上での表示されたＤＬ  ＢＷＰ、および表示されたＵＬ  ＢＷＰを、セカンダリセルまたはキャリア上での、それぞれの第１の能動ＤＬ  ＢＷＰ、および第１の能動ＵＬ  ＢＷＰとして採用することができる。
【００８２】
図１０Ａおよび図１０Ｂは、マルチ接続（例えば、デュアル接続、マルチ接続、緊密な相互作用、および／または同様のもの）を使用するパケットフローを示す。図１０Ａは、実施形態の態様に基づく、ＣＡおよび／またはマルチ接続を用いた無線デバイス１１０（例えば、ＵＥ）のプロトコル構造の例示的な略図である。図１０Ｂは、実施形態の態様に基づく、ＣＡおよび／またはマルチ接続を用いた複数の基地局のプロトコル構造の例示的な略図である。複数の基地局は、マスタノード、ＭＮ１１３０（例えば、マスタノード、マスタ基地局、マスタｇＮＢ、マスタｅＮＢ、および／または同様のもの）、およびセカンダリノード、ＳＮ１１５０（例えば、セカンダリノード、セカンダリ基地局、セカンダリｇＮＢ、セカンダリｅＮＢ、および／または同様のもの）を含むことができる。マスタノード１１３０およびセカンダリノード１１５０は、無線デバイス１１０と通信するように協働することができる。
【００８３】
マルチ接続が無線デバイス１１０に対して構成されている場合、無線デバイス１１０は、ＲＲＣが接続された状態で複数の受信／送信機能をサポートし得、複数の基地局の複数のスケジューラにより提供された無線リソースを利用するように構成され得る。複数の基地局は、非理想的または理想的なバックホール（例えば、Ｘｎインターフェース、Ｘ２インターフェース、および／または同様のもの）を介して相互接続され得る。特定の無線デバイスに対するマルチ接続に必要とされる基地局は、２つの異なる役割のうちの少なくとも一方を実行し得、すなわち、基地局は、マスタ基地局として、またはセカンダリ基地局としてのどちらかの機能を果たすことができる。マルチ接続において、無線デバイスは、１つのマスタ基地局、および１つ以上のセカンダリ基地局に接続され得る。一例において、マスタ基地局（例えば、ＭＮ１１３０）は、無線デバイス（例えば、無線デバイス１１０）に対して、１つのプライマリセル、および／または１つ以上のセカンダリセルを含むマスタセルグループ（ＭＣＧ）を提供し得る。セカンダリ基地局（例えば、ＳＮ１１５０）は、無線デバイス（例えば、無線デバイス１１０）に対して、１つのプライマリセカンダリセル（ＰＳＣｅｌｌ）、および／または１つ以上のセカンダリセルを含むセカンダリセルグループ（ＳＣＧ）を提供し得る。
【００８４】
マルチ接続において、ベアラが使用する無線プロトコルアーキテクチャは、ベアラがどのように設定されるかに依存し得る。一例において、ベアラ設定オプションのうちの３つの異なるタイプ、すなわち、ＭＣＧベアラ、ＳＣＧベアラ、および／または分割ベアラがサポートされ得る。無線デバイスは、ＭＣＧの１つ以上のセルを介して、ＭＣＧベアラのパケットを受信／送信し得、かつ／または、ＳＣＧの１つ以上のセルを介して、ＳＣＧベアラのパケットを受信／送信することができる。マルチ接続はまた、セカンダリ基地局により提供される無線リソースを使用するように構成された少なくとも１つのベアラを有するものとして、説明することもできる。マルチ接続は、いくつかの例示的な実施形態においては、構成／実現されてもよく、またはされなくてもよい。
【００８５】
一例において、無線デバイス（例えば、無線デバイス１１０）は、ＳＤＡＰ層（例えば、ＳＤＡＰ１１１０）、ＰＤＣＰ層（例えば、ＮＲ  ＰＤＣＰ１１１１）、ＲＬＣ層（例えば、ＭＮ  ＲＬＣ１１１４）、およびＭＡＣ層（例えば、ＭＮ  ＭＡＣ１１１８）を介してＭＣＧベアラのパケット、ＳＤＡＰ層（例えば、ＳＤＡＰ１１１０）、ＰＤＣＰ層（例えば、ＮＲ  ＰＤＣＰ１１１２）、マスタまたはセカンダリＲＬＣ層（例えば、ＭＮ  ＲＬＣ１１１５、ＳＮ  ＲＬＣ１１１６）のうちの一方、および、マスタまたはセカンダリＭＡＣ層（例えば、ＭＮ  ＭＡＣ１１１８、ＳＮ  ＭＡＣ１１１９）のうちの一方を介して分割ベアラのパケット、および／またはＳＤＡＰ層（例えば、ＳＤＡＰ１１１０）、ＰＤＣＰ層（例えば、ＮＲ  ＰＤＣＰ１１１３）、ＲＬＣ層（例えば、ＳＮ  ＲＬＣ１１１７）、およびＭＡＣ層（例えば、ＭＮ  ＭＡＣ１１１９）を介してＳＣＧベアラのパケット、を送信および／または受信することができる。
【００８６】
一例において、マスタ基地局（例えば、ＭＮ１１３０）および／またはセカンダリ基地局（例えば、ＳＮ１１５０）は、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２１、ＮＲ  ＰＤＣＰ１１４２）、マスタノードＲＬＣ層（例えば、ＭＮ  ＲＬＣ１１２４、ＭＮ  ＲＬＣ１１２５）、およびマスタノードＭＡＣ層（例えば、ＭＮ  ＭＡＣ１１２８）を介してＭＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２２、ＮＲ  ＰＤＣＰ１１４３）、セカンダリノードＲＬＣ層（例えば、ＳＮ  ＲＬＣ１１４６、ＳＮ  ＲＬＣ１１４７）、およびセカンダリノードＭＡＣ層（例えば、ＳＮ  ＭＡＣ１１４８）を介してＳＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２３、ＮＲ  ＰＤＣＰ１１４１）、マスタもしくはセカンダリノードＲＬＣ層（例えば、ＭＮ  ＲＬＣ１１２６、ＳＮ  ＲＬＣ１１４４、ＳＮ  ＲＬＣ１１４５、ＭＮ  ＲＬＣ１１２７）、および、マスタもしくはセカンダリノードＭＡＣ層（例えば、ＭＮ  ＭＡＣ１１２８、ＳＮ  ＭＡＣ１１４８）を介して、分割ベアラのパケットを送信／受信することができる。
【００８７】
マルチ接続において、無線デバイスは、複数のＭＡＣエンティティ、マスタ基地局に対する１つのＭＡＣエンティティ（例えば、ＭＮ  ＭＡＣ１１１８）、および、セカンダリ基地局に対する他のＭＡＣエンティティ（例えば、ＳＮ  ＭＡＣ１１１９）を構成することができる。マルチ接続において、無線デバイスに対するサービングセルの構成されたセットは、２つのサブセット、すなわち、マスタ基地局のサービングセルを含むＭＣＧ、およびセカンダリ基地局のサービングセルを含むＳＣＧを含むことができる。ＳＣＧの場合、以下の構成のうちの１つ以上が、適用され得、すなわち、ＳＣＧのうちの少なくとも１つのセルが、構成されたＵＬ  ＣＣを有し、プライマリセカンダリセル（ＳＣＧのうちのＰＳＣｅｌｌ、ＰＣｅｌｌ、または場合によっては、ＰＣｅｌｌと呼ばれる）と呼ばれるＳＣＧの少なくとも１つのセルが、ＰＵＣＣＨリソースを用いて構成され、ＳＣＧが構成される場合には、少なくとも１つのＳＣＧベアラまたは１つの分割ベアラが存在し得、ＰＳＣｅｌｌ上の物理層問題もしくはランダムアクセス問題、または、ＳＣＧと関連付けられて到着されたＮＲ  ＲＬＣ再送信の数の検出時に、または、ＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ送信は、停止されてもよく、マスタ基地局は、無線デバイスによってＳＣＧ故障タイプに関して通知されてもよく、分割ベアラの場合には、マスタ基地局にわたるＤＬデータ転送が、維持され得、ＮＲ  ＲＬＣ肯定モード（ＡＭ）ベアラは、分割ベアラのために構成され得、ＰＣｅｌｌおよび／またはＰＳＣｅｌｌは、停止されなくてもよく、ＰＳＣｅｌｌは、ＳＣＧ変更プロシージャを用いて（例えば、セキュリティキー変更およびＲＡＣＨプロシージャを用いて）変更され得、かつ／または分割ベアラとＳＣＧベアラとの間のベアラタイプ変更、またはＳＣＧおよび分割ベアラの同時構成は、サポートされてもされなくてもよい。
【００８８】
マルチ接続の場合の、マスタ基地局とセカンダリ基地局との間の相互作用については、以下のうちの１つ以上が適用され得、マスタ基地局および／またはセカンダリ基地局は、無線デバイスのＲＲＭ測定構成を維持することができ、マスタ基地局は、（例えば、受信された測定レポート、トラフィック条件、および／またはベアラタイプに基づいて）セカンダリ基地局に、無線デバイスのための追加リソース（例えばサービングセル）を提供するように要求することを決定することができ、マスタ基地局からの要求を受信すると、セカンダリ基地局は、無線デバイスのための追加サービングセルの構成となり得るコンテナを創出／変更する（または、セカンダリ基地局がそのようにするための利用可能なリソースを有さないと判定する）ことができ、ＵＥ能力協調のため、マスタ基地局は、ＡＳ構成およびＵＥ能力（の一部）をセカンダリ基地局に提供することができ、マスタ基地局およびセカンダリ基地局は、Ｘｎメッセージを介して搬送されたＲＲＣコンテナ（ノード間メッセージ）を使用することによって、ＵＥ構成についての情報を交換することができ、セカンダリ基地局は、セカンダリ基地局既存サービングセル（例えば、セカンダリ基地局に向かうＰＵＣＣＨ）の再構成を開始することができ、セカンダリ基地局は、どちらのセルがＳＣＧ内のＰＳＣｅｌｌであるかを判定することができ、マスタ基地局は、セカンダリ基地局により提供されたＲＲＣ構成の内容を変更してもしなくてもよく、ＳＣＧ追加および／またはＳＣＧ  ＳＣｅｌｌ追加の場合には、マスタ基地局は、ＳＣＧセル（複数可）のための最近（または直近）の測定結果を提供することができ、マスタ基地局およびセカンダリ基地局は、ＯＡＭからの、および／もしくはＸｎインターフェースを介した、互いのＳＦＮおよび／またはサブフレームオフセットの情報を受信することができる（例えば、ＤＲＸ調整および／または測定ギャップの識別を目的として）。一例において、新しいＳＣＧ  ＳＣｅｌｌを追加する場合には、ＳＣＧのＰＳＣｅｌｌのＭＩＢから取得されたＳＦＮを除き、専用ＲＲＣシグナリングが、ＣＡについてのセルの要求されたシステム情報を送信するために使用され得る。
【００８９】
図１１は、ランダムアクセスプロシージャの例示的な略図である。１つ以上のイベントが、ランダムアクセスプロシージャをトリガすることができる。例えば、１つ以上のイベントとは、以下のうちの少なくとも１つであり得、すなわち、ＲＲＣ＿ＩＤＬＥからの初期アクセス、ＲＲＣ接続再確立プロシージャ、ハンドオーバ、ＵＬ同期ステータスが同期されていないときのＲＲＣ＿ＣＯＮＮＥＣＴＥＤの間中でのＤＬまたはＵＬデータ到着、ＲＲＣ＿Ｉｎａｃｔｉｖｅからの遷移、および／または他のシステム情報の要求である。例えば、ＰＤＣＣＨ命令、ＭＡＣエンティティ、および／またはビーム障害表示により、ランダムアクセスプロシージャを開始させることができる。
【００９０】
例示的な実施形態において、ランダムアクセスプロシージャは、競合ベースランダムアクセスプロシージャおよび競合なしランダムアクセスプロシージャのうちの少なくとも１つであり得る。例えば、競合ベースランダムアクセスプロシージャは、１つ以上のＭｓｇ１  １２２０送信、１つ以上のＭｓｇ２  １２３０送信、１つ以上のＭｓｇ３  １２４０送信、および競合解決１２５０を含むことができる。例えば、競合なしランダムアクセスプロシージャは、１つ以上のＭｓｇ１  １２２０送信および１つ以上のＭｓｇ２  １２３０送信を含むことができる。
【００９１】
一例において、基地局は、１つ以上のビームを介して、ＵＥに、ＲＡＣＨ構成１２１０を送信（例えば、ユニキャスト、マルチキャスト、またはブロードキャスト）することができる。ＲＡＣＨ構成１２１０は、以下のうちの少なくとも１つを示す１つ以上のパラメータを含むことができ、それらは、ランダムアクセスプリアンブルの送信のためのＰＲＡＣＨリソースの利用可能なセット、初期プリアンブルパワー（例えば、ランダムアクセスプリアンブル初期受信ターゲットパワー）、ＳＳブロックの選択、および対応するＰＲＡＣＨリソースのためのＲＳＲＰ閾値、パワーランピングファクタ（例えば、ランダムアクセスプリアンブルパワーランピングステップ）、ランダムアクセスプリアンブルインデックス、プリアンブル送信の最大数、プリアンブルグループＡおよびグループＢ、ランダムアクセスプリアンブルのグループを決定するための閾値（例えば、メッセージサイズ）、システム情報要求の１つ以上のランダムアクセスプリアンブル、および対応するＰＲＡＣＨリソース（複数可）のセット、もしあれば、ビーム障害回復要求の１つ以上のランダムアクセスプリアンブル、および対応するＰＲＡＣＨリソース（複数可）のセット、もしあれば、ＲＡ応答（複数可）をモニタするための時間窓、ビーム障害回復要求での応答（複数可）をモニタするための時間窓、および／または競合解決タイマである。
【００９２】
一例において、Ｍｓｇ１  １２２０は、ランダムアクセスプリアンブルの１つ以上の送信であり得る。競合ベースランダムアクセスプロシージャの場合、ＵＥは、ＲＳＲＰ閾値超のＲＳＲＰを有するＳＳブロックを選択することができる。ランダムアクセスプリアンブルグループＢが存在する場合、ＵＥは、可能性のあるＭｓｇ３  １２４０サイズに応じて、グループＡまたはグループＢから１つ以上のランダムアクセスプリアンブルを選択することができる。ランダムアクセスプリアンブルグループＢが存在しない場合、ＵＥは、グループＡから１つ以上のランダムアクセスプリアンブルを選択することができる。ＵＥは、選択されたグループと関連付けられた１つ以上のランダムアクセスプリアンブルからランダムアクセスプリアンブルインデックスをランダムに（例えば、等しい確率、または正規分布を使って）選択することができる。基地局が、ランダムアクセスプリアンブルとＳＳブロックとの間の関連付けを用いてＵＥを準統計学的に構成する場合、ＵＥは、選択されたＳＳブロックおよび選択されたグループと関連付けられた１つ以上のランダムアクセスプリアンブルからランダムアクセスプリアンブルインデックスをランダムに、同様の確率を使って選択することができる。
【００９３】
例えば、ＵＥは、下位層からのビーム障害表示に基づいて、競合なしランダムアクセスプロシージャを開始させることができる。例えば、基地局は、ＳＳブロックおよび／またはＣＳＩ−ＲＳのうちの少なくとも１つと関連付けられたビーム障害回復要求のための１つ以上の競合なしＰＲＡＣＨリソースを用いてＵＥを準統計学的に構成することができる。関連付けられたＳＳブロックの間で第１のＲＳＲＰ閾値超のＲＳＲＰを有するＳＳブロックのうちの少なくとも１つ、または、関連付けられたＣＳＩ−ＲＳの間で第２のＲＳＲＰ閾値超のＲＳＲＰを有するＣＳＩ−ＲＳのうちの少なくとも１つが利用可能である場合、ＵＥは、ビーム障害回復要求に対する１つ以上のランダムアクセスプリアンブルのセットから、選択されたＳＳブロックまたはＣＳＩ−ＲＳに対応するランダムアクセスプリアンブルインデックスを選択することができる。
【００９４】
例えば、ＵＥは、基地局から、競合なしランダムアクセスプロシージャのために、ＰＤＣＣＨまたはＲＲＣを介して、ランダムアクセスプリアンブルインデックスを受信することができる。基地局が、ＳＳブロックまたはＣＳＩ−ＲＳと関連付けられた少なくとも１つの競合なしＰＲＡＣＨリソースを用いてＵＥを構成しない場合、ＵＥは、ランダムアクセスプリアンブルインデックスを選択することができる。基地局が、ＳＳブロックと関連付けられた１つ以上の競合なしＰＲＡＣＨリソースを用いてＵＥを構成し、かつ、関連付けられたＳＳブロックの中で第１のＲＳＲＰ閾値超のＲＳＲＰを有する少なくとも１つのＳＳブロックが利用可能である場合、ＵＥは、少なくとも１つのＳＳブロックを選択し、その少なくとも１つのＳＳブロックに対応するランダムアクセスプリアンブルを選択することができる。基地局が、ＣＳＩ−ＲＳと関連付けられた１つ以上の競合なしＰＲＡＣＨリソースを用いてＵＥを構成し、かつ、関連付けられたＣＳＩ−ＲＳの中で第２のＲＳＰＲ閾値超のＲＳＲＰを有する少なくとも１つのＣＳＩ−ＲＳが利用可能である場合、ＵＥは、少なくとも１つのＣＳＩ−ＲＳを選択し、その少なくとも１つのＣＳＩ−ＲＳに対応するランダムアクセスプリアンブルを選択することができる。
【００９５】
ＵＥは、選択されたランダムアクセスプリアンブルを送信することによって、１つ以上のＭｓｇ１  １２２０送信を実行することができる。例えば、ＵＥが、ＳＳブロックを選択し、１つ以上のＰＲＡＣＨ機会と１つ以上のＳＳブロックとの間の関連付けを用いて構成される場合、ＵＥは、選択されたＳＳブロックに対応する１つ以上のＰＲＡＣＨ機会からＰＲＡＣＨ機会を決定することができる。例えば、ＵＥが、ＣＳＩ−ＲＳを選択し、１つ以上のＰＲＡＣＨ機会と１つ以上のＣＳＩ−ＲＳとの間の関連付けを用いて構成される場合、ＵＥは、選択されたＣＳＩ−ＲＳに対応する１つ以上のＰＲＡＣＨ機会からＰＲＡＣＨ機会を決定することができる。ＵＥは、基地局に、選択されたＰＲＡＣＨ機会を介して、選択されたランダムアクセスプリアンブルを送信することができる。ＵＥは、少なくとも初期プリアンブルパワーおよびパワーランピングファクタに基づいて、選択されたランダムアクセスプリアンブルの送信のための送信パワーを決定することができる。ＵＥは、選択されたランダムアクセスプリアンブルが送信される選択されたＰＲＡＣＨ機会と関連付けられたＲＡ−ＲＮＴＩを決定することができる。例えば、ＵＥは、ビーム障害回復要求のためのＲＡ−ＲＮＴＩを決定しなくてもよい。ＵＥは、少なくとも、第１のＯＦＤＭシンボルのインデックス、選択されたＰＲＡＣＨ機会の第１のスロットのインデックス、および／またはＭｓｇ１  １２２０の送信のためのアップリンクキャリアインデックスに基づいて、ＲＡ−ＲＮＴＩを決定することができる。
【００９６】
一例において、ＵＥは、基地局から、ランダムアクセス応答、Ｍｓｇ２  １２３０を受信することができる。ＵＥは、時間ウィンドウ（例えば、ｒａ−ＲｅｓｐｏｎｓｅＷｉｎｄｏｗ）を開始してランダムアクセス応答をモニタすることができる。ビーム障害回復要求の場合、基地局は、異なる時間ウィンドウ（例えば、ｂｆｒ−ＲｅｓｐｏｎｓｅＷｉｎｄｏｗ）を用いてＵＥを構成し、ビーム障害回復要求の応答をモニタすることができる。例えば、ＵＥは、プリアンブル送信の終わりから、１つ以上のシンボルの固定持続時間後の最初のＰＤＣＣＨ機会の開始時に時間ウィンドウ（例えば、ｒａ−ＲｅｓｐｏｎｓｅＷｉｎｄｏｗまたはｂｆｒ−ＲｅｓｐｏｎｓｅＷｉｎｄｏｗ）を開始することができる。ＵＥが、複数のプリアンブルを送信する場合、ＵＥは、第１のプリアンブル送信の終わりから、１つ以上のシンボルの固定持続時間後の第１のＰＤＣＣＨ機会の開始時に時間ウィンドウを開始することができる。ＵＥは、時間ウィンドウのタイマが実行している間、ＲＡ−ＲＮＴＩにより識別された少なくとも１つのランダムアクセス応答、またはＣ−ＲＮＴＩにより識別されたビーム障害回復要求への少なくとも１つの応答、に対するセルのＰＤＣＣＨをモニタすることができる。
【００９７】
一例において、ＵＥは、少なくとも１つのランダムアクセス応答が、ＵＥにより送信されたランダムアクセスプリアンブルに対応するランダムアクセスプリアンブル識別子を含む場合、ランダムアクセス応答の受信を正常とみなし得る。ＵＥは、ランダムアクセス応答の受信が正常である場合、競合なしランダムアクセスプロシージャは正常に完了したとみなし得る。競合なしランダムアクセスプロシージャが、ビーム障害回復要求のためにトリガされた場合、ＵＥは、ＰＤＣＣＨ送信がＣ−ＲＮＴＩにアドレス指定されている場合に、競合なしランダムアクセスプロシージャが正常に完了したとみなし得る。一例において、少なくとも１つのランダムアクセス応答がランダムアクセスプリアンブル識別子を含む場合、ＵＥは、ランダムアクセスプロシージャが正常に完了したとみなし得、上位層へのシステム情報要求に対する肯定応答の受信を示すことができる。ＵＥが複数のプリアンブル送信を送った場合、ＵＥは、対応するランダムアクセス応答の正常な受信に応答して、残ったプリアンブル（もし、あれば）を送信することを停止することができる。
【００９８】
一例において、ＵＥは、ランダムアクセス応答（例えば、競合ベースランダムアクセスプロシージャの場合）の正常な受信に応答して、１つ以上のＭｓｇ３  １２４０送信を実行することができる。ＵＥは、ランダムアクセス応答により示されたタイミングアドバンスドコマンドに基づいて、アップリンク送信タイミングを調節し得、ランダムアクセス応答により示されたアップリンクグラントに基づいて、１つ以上のトランスポートブロックを送信し得る。Ｍｓｇ３  １２４０のＰＵＳＣＨ送信のためのサブキャリア間隔は、少なくとも１つの上位層（例えば、ＲＲＣ）パラメータによって提供され得る。ＵＥは、ＰＲＡＣＨを介してランダムアクセスプリアンブルを、また、同じセル上のＰＵＳＣＨを介してＭｓｇ３  １２４０を、送信することができる。基地局は、システム情報ブロックを介して、Ｍｓｇ３  １２４０のＰＵＳＣＨ送信のためのＵＬ  ＢＷＰを示すことができる。ＵＥは、Ｍｓｇ３  １２４０の再送信のためにＨＡＲＱを使用することができる。
【００９９】
一例において、複数のＵＥは、同じプリアンブルを基地局に送信することによってＭｓｇ１  １２２０を実行し得、アイデンティティを含む同じランダムアクセス応答（例えば、ＴＣ−ＲＮＴＩ）を、基地局から受信することができる。競合解決１２５０は、ＵＥが別のＵＥのアイデンティティを誤って使用しないことを確実にすることができる。例えば、競合解決１２５０は、ＰＤＣＣＨ上のＣ−ＲＮＴＩ、または、ＤＬ−ＳＣＨ上のＵＥ競合解決アイデンティティに基づき得る。例えば、基地局がＣ−ＲＮＴＩをＵＥに割り当てる場合、ＵＥは、Ｃ−ＲＮＴＩにアドレス指定されているＰＤＣＣＨ送信の受信に基づいて、競合解決１２５０を実行することができる。ＰＤＣＣＨでのＣ−ＲＮＴＩの検出に応答して、ＵＥは、競合解決１２５０が正常であるとみなし得、ランダムアクセスプロシージャが正常に完了したとみなし得る。ＵＥが適正なＣ−ＲＮＴＩを有さない場合、競合解決は、ＴＣ−ＲＮＴＩを使用することによってアドレス指定され得る。例えば、ＭＡＣ  ＰＤＵが正常に復号化され、ＭＡＣ  ＰＤＵが、Ｍｓｇ３  １２５０に送信されたＣＣＣＨ  ＳＤＵに一致するＵＥ競合解決アイデンティティＭＡＣ  ＣＥを含む場合、ＵＥは、競合解決１２５０が正常であるとみなし得、ランダムアクセスプロシージャが正常に完了したとみなし得る。
【０１００】
図１２は、実施形態の態様に基づく、ＭＡＣエンティティのための例示的な構造である。一例において、無線デバイスは、マルチ接続モードで動作するように構成され得る。複数のＲＸ／ＴＸを有するＲＲＣ＿ＣＯＮＮＥＣＴＥＤの無線デバイスは、複数の基地局内に設置された複数のスケジューラによって提供される無線リソースを利用するように構成され得る。この複数の基地局は、Ｘｎインターフェースを介して非理想的または理想的なバックホールを介して接続され得る。一例において、複数の基地局内の各基地局は、マスタ基地局としての、またはセカンダリ基地局としての機能を果たすことができる。無線デバイスは、１つのマスタ基地局、および１つ以上のセカンダリ基地局に接続され得る。無線デバイスは、複数のＭＡＣエンティティ、例えば、マスタ基地局に対して１つのＭＡＣエンティティ、およびセカンダリ基地局（複数可）に対して１つ以上の他のＭＡＣエンティティを用いて構成され得る。一例において、無線デバイスのために構成されたサービングセルのセットは、２つのサブセット、すなわち、マスタ基地局のサービングセルを含むＭＣＧ、および、セカンダリ基地局（複数可）のサービングセルを含む１つ以上のＳＣＧを含むことができる。図１３は、ＭＣＧおよびＳＣＧが無線デバイスのために構成されている場合の、ＭＡＣエンティティの例示的な構造を示す。
【０１０１】
一例において、ＳＣＧ内の少なくとも１つのセルは、構成されたＵＬ  ＣＣを有し得、少なくとも１つのセルのうちの１つのセルは、ＳＣＧのＰＳＣｅｌｌもしくはＰＣｅｌｌと称され得、または、場合によっては、単にＰＣｅｌｌと称され得る。ＰＳＣｅｌｌは、ＰＵＣＣＨリソースを用いて構成され得る。一例において、ＳＣＧが構成される場合、少なくとも１つのＳＣＧベアラ、または１つの分割ベアラが存在し得る。一例において、ＰＳＣｅｌｌでの物理層問題もしくはランダムアクセス問題を検出することについて、または、ＳＣＧと関連付けられたＲＬＣ再送信の数に達したことについて、または、ＳＣＧ追加もしくはＳＣＧ変更中にＰＳＣｅｌｌでのアクセス問題を検出することについて、ＲＲＣ接続再確立プロシージャは、トリガされなくてもよく、ＳＣＧのセルに向かうＵＬ送信は、中止されてもよく、マスタ基地局は、ＵＥによってＳＣＧ障害のタイプに関して通知されてもよく、マスタ基地局を介するＤＬデータ転送は、維持されてもよい。
【０１０２】
一例において、ＭＡＣサブレイヤは、データ転送および無線リソース割り当てなどのサービスを上位層（例えば、１３１０または１３２０）に提供することができる。このＭＡＣサブレイヤは、複数のＭＡＣエンティティ（例えば１３５０および１３６０）を含むことができる。このＭＡＣサブレイヤは、データ転送サービスを論理チャネル上に提供することができる。様々な種類のデータ転送サービスに対応するため、複数のタイプの論理チャネルが定義され得る。論理チャネルは、特定のタイプの情報の転送をサポートすることができる。論理チャネルタイプは、どのタイプの情報（例えば、制御またはデータ）が転送されるかによって定義され得る。例えば、ＢＣＣＨ、ＰＣＣＨ、ＣＣＣＨ、およびＤＣＣＨは、制御チャネルであり得、ＤＴＣＨは、トラフィックチャネルであり得る。一例において、第１のＭＡＣエンティティ（例えば１３１０）は、ＰＣＣＨ、ＢＣＣＨ、ＣＣＣＨ、ＤＣＣＨ、ＤＴＣＨ、およびＭＡＣ制御エレメント上でサービスを提供し得る。一例において、第２のＭＡＣエンティティ（例えば１３２０）は、ＢＣＣＨ、ＤＣＣＨ、ＤＴＣＨ、およびＭＡＣ制御エレメント上でサービスを提供し得る。
【０１０３】
ＭＡＣサブレイヤは、物理層（例えば１３３０または１３４０）から、データ転送サービス、ＨＡＲＱフィードバックのシグナリング、スケジューリング要求または測定値のシグナリング（例えば、ＣＱＩ）などのサービスを推測することができる。一例において、デュアル接続では、２つのＭＡＣエンティティが、無線デバイスのために構成され得、すなわち、それらは、ＭＣＧに対する１つ、およびＳＣＧに対する１つである。無線デバイスのＭＡＣエンティティは、複数のトランスポートチャネルを処理することができる。一例において、第１のＭＡＣエンティティは、ＭＣＧのＰＣＣＨ、ＭＣＧの第１のＢＣＨ、ＭＣＧの１つ以上の第１のＤＬ−ＳＣＨ、ＭＣＧの１つ以上の第１のＵＬ−ＳＣＨ、およびＭＣＧの１つ以上の第１のＲＡＣＨを含む第１のトランスポートチャネルを処理することができる。一例において、第２のＭＡＣエンティティは、ＳＣＧの第２のＢＣＨ、ＳＣＧの１つ以上の第２のＤＬ−ＳＣＨ、ＳＣＧの１つ以上の第２のＵＬ−ＳＣＨ、およびＳＣＧの１つ以上の第２のＲＡＣＨを含む第２のトランスポートチャネルを処理することができる。
【０１０４】
一例において、ＭＡＣエンティティが１つ以上のＳＣｅｌｌを用いて構成されている場合、複数のＤＬ−ＳＣＨが存在し得、複数のＵＬ−ＳＣＨ、ならびにＭＡＣエンティティ毎に複数のＲＡＣＨが存在し得る。一例において、各ＳｐＣｅｌｌに、１つのＤＬ−ＳＣＨおよびＵＬ−ＳＣＨが存在し得る。一例において、各ＳＣｅｌｌに対して、１つのＤＬ−ＳＣＨ、ゼロまたは１つのＵＬ−ＳＣＨ、および、ゼロまたは１つのＲＡＣＨが存在し得る。ＤＬ−ＳＣＨは、ＭＡＣエンティティ内の別個の数秘術および／またはＴＴＩ持続時間を使用して受信をサポートすることができる。また、ＵＬ−ＳＣＨは、ＭＡＣエンティティ内の別個の数秘術および／またはＴＴＩ持続時間を使用して送信をサポートすることができる。
【０１０５】
一例において、ＭＡＣサブレイヤは、別個の機能をサポートすることができ、制御（例えば１３５５または１３６５）エレメントを用いてこれらの機能を制御することができる。ＭＡＣエンティティにより実行される機能は、論理チャネルとトランスポートチャネル（例えば、アップリンクまたはダウンリンクで）との間のマッピング、トランスポートチャネル（例えば、アップリンクで）上の物理層に送達されるべき、１つまたは別個の論理チャネルからトランスポートブロック（ＴＢ）へのＭＡＣ  ＳＤＵの多重化（例えば、１３５２または１３６２）、トランスポートチャネル（例えば、ダウンリンクで）上の物理層から送達されるトランスポートブロック（ＴＢ）から１つまたは別個の論理チャネルへのＭＡＣ  ＳＤＵの分割化（例えば１３５２または１３６２）、スケジューリング情報レポーティング（例えば、アップリンクで）、アップリンクまたはダウンリンク内のＨＡＲＱを通じての誤り訂正（例えば、１３６３）、およびアップリンクでの論理チャネル優先度付け（例えば１３５１または１３６１）、を含むことができる。ＭＡＣエンティティは、ランダムアクセスプロセス（例えば、１３５４または１３６４）を処理することができる。
【０１０６】
図１３は、１つ以上の基地局を含むＲＡＮアーキテクチャの例示的な略図である。一例において、プロトコルスタック（例えば、ＲＲＣ、ＳＤＡＰ、ＰＤＣＰ、ＲＬＣ、ＭＡＣ、およびＰＨＹ）は、ノードにおいてサポートされ得る。基地局（例えば、１２０Ａまたは１２０Ｂ）は、基地局中央ユニット（ＣＵ）（例えば、ｇＮＢ−ＣＵ１４２０Ａまたは１４２０Ｂ）、および、機能的な分割が構成されている場合の、少なくとも１つの基地局分散ユニット（ＤＵ）（例えば、ｇＮＢ−ＤＵ１４３０Ａ、１４３０Ｂ、１４３０Ｃ、または１４３０Ｄ）を含むことができる。基地局の上位プロトコル層は、基地局ＣＵ内に設置され得、基地局の下位層は、基地局ＤＵ内に設置され得る。基地局ＣＵおよび基地局ＤＵを接続するＦｌインターフェース（例えば、ＣＵ−ＤＵインターフェース）は、理想的または非理想的バックホールであり得る。Ｆｌ−Ｃは、Ｆｌインターフェースを介して制御プレーン接続を提供し得、Ｆｌ−Ｕは、Ｆｌインターフェースを介してユーザプレーン接続を提供し得る。一例において、Ｘｎインターフェースは、基地局ＣＵの間に構成され得る。
【０１０７】
一例において、基地局ＣＵは、ＲＲＣ機能、ＳＤＡＰ層、およびＰＤＣＰ層を含むことができ、基地局ＤＵは、ＲＬＣ層、ＭＡＣ層、およびＰＨＹ層を含むことができる。一例において、基地局ＣＵと基地局ＤＵとの間の様々な機能的分割オプションは、基地局ＣＵ内の上位プロトコル層（ＲＡＮ機能）の様々な組み合わせ、および、基地局ＤＵ内の下位プロトコル層（ＲＡＮ機能）の様々な組み合わせを設定することによって可能となり得る。機能的分割は、フレキシブル性をサポートし、サービス要件および／またはネットワーク環境に応じて、基地局ＣＵと基地局ＤＵとの間でプロトコル層を移動させることができる。
【０１０８】
一例において、機能的分割オプションは、基地局毎、基地局ＣＵ毎、基地局ＤＵ毎、ＵＥ毎、ベアラ毎、スライス毎に構成され、または他の粒度を用いて構成され得る。基地局ＣＵ分割毎において、基地局ＣＵは、固定分割オプションを有し得、基地局ＤＵは、基地局ＣＵの分割オプションに一致するように構成され得る。基地局ＤＵ分割毎において、基地局ＤＵは、異なる分割オプションを用いて構成され得、基地局ＣＵは、別個の基地局ＤＵに対して別個の分割オプションを提供することができる。ＵＥ分割において、基地局（基地局ＣＵ、および少なくとも１つの基地局ＤＵ）は、別個の無線デバイスに対して別個の分割オプションを提供することができる。ベアラ分割毎において、別個の分割オプションが、別個のベアラに対して利用され得る。スライススプライス毎において、別個の分割オプションが、別個のスライスに対して適用され得る。
【０１０９】
図１４は、無線デバイスのＲＲＣ状態遷移を示す例示的な略図である。一例において、無線デバイスは、ＲＲＣ接続状態（例えば、ＲＲＣ接続１５３０、ＲＲＣ＿Ｃｏｎｎｅｃｔｅｄ）、ＲＲＣアイドル状態（例えば、ＲＲＣアイドル１５１０、ＲＲＣ＿Ｉｄｌｅ）、および／またはＲＲＣ停止状態（例えば、ＲＲＣ停止１５２０、ＲＲＣ＿Ｉｎａｃｔｉｖｅ）の中の少なくとも１つのＲＲＣ状態にあり得る。一例において、ＲＲＣ接続状態では、無線デバイスは、少なくとも１つの基地局（例えば、ｇＮＢおよび／またはｅＮＢ）との、少なくとも１つのＲＲＣ接続を有し得、それらの基地局は、無線デバイスのＵＥコンテキストを有し得る。ＵＥコンテキスト（例えば、無線デバイスコンテキスト）は、アクセス層コンテキスト、１つ以上の無線リンク構成パラメータ、ベアラ（例えば、データ無線ベアラ（ＤＲＢ）、シグナリング無線ベアラ（ＳＲＢ）、論理チャネル、ＱｏＳフロー、ＰＤＵセッション、および／または同様のもの）構成情報、セキュリティ情報、ＰＨＹ／ＭＡＣ／ＲＬＣ／ＰＤＣＰ／ＳＤＡＰ層構成情報、および／または、無線デバイスのための同様の構成情報、のうちの少なくとも１つを含むことができる。一例において、ＲＲＣアイドル状態では、無線デバイスは、基地局とのＲＲＣ接続を有さなくてもよく、無線デバイスのＵＥコンテキストは、基地局内に格納されなくてもよい。一例において、ＲＲＣ停止状態では、無線デバイスは、基地局とのＲＲＣ接続を有さなくてもよい。無線デバイスのＵＥコンテキストは、基地局内に格納され得、その基地局は、アンカー基地局（例えば、最終サービング基地局）と称され得る。
【０１１０】
一例において、無線デバイスは、両方法におけるＲＲＣアイドル状態とＲＲＣ接続状態との間（例えば、接続解放１５４０もしくは接続確立１５５０、または接続再確立）、および／または、両方法におけるＲＲＣ停止状態とＲＲＣ接続状態との間（例えば、接続停止１５７０または接続再開１５８０）で、ＵＥ  ＲＲＣ状態に遷移することができる。一例において、無線デバイスは、ＲＲＣ停止状態からＲＲＣアイドル状態に、そのＲＲＣ状態を遷移することができる（例えば、接続解放１５６０）。
【０１１１】
一例において、アンカー基地局は、無線デバイスがアンカー基地局のＲＡＮ通知エリア（ＲＮＡ）にとどまる、かつ／または、無線デバイスがＲＲＣ停止状態にとどまるような時間帯の少なくともその間中、無線デバイスのＵＥコンテキスト（無線デバイスコンテキスト）を保持することができる基地局であり得る。一例において、アンカー基地局は、ＲＲＣ停止状態にある無線デバイスが直近のＲＲＣ接続状態で最後に接続されている、または、無線デバイスがＲＮＡ更新プロシージャを内部で最後に実行した基地局であり得る。一例において、ＲＮＡは、１つ以上の基地局によって動作された１つ以上のセルを含むことができる。一例において、基地局は、１つ以上のＲＮＡに属し得る。一例において、セルは、１つ以上のＲＮＡに属し得る。
【０１１２】
一例において、無線デバイスは、基地局において、ＲＲＣ接続状態からＲＲＣ停止状態へのＵＥ  ＲＲＣ状態に遷移することができる。無線デバイスは、基地局からＲＮＡ情報を受信することができる。ＲＮＡ情報は、ＲＮＡ識別子のうちの少なくとも１つ、ＲＮＡの１つ以上のセル、基地局識別子、基地局のＩＰアドレス、無線デバイスのＡＳコンテキスト識別子、再開識別子、および／または同様のものを含むことができる。
【０１１３】
一例において、アンカー基地局は、ＲＮＡの基地局にメッセージ（例えば、ＲＡＮページングメッセージ）をブロードキャストしてＲＲＣ停止状態にある無線デバイスに到着させることができ、かつ／または、アンカー基地局からメッセージを受信する基地局は、それらの基地局のカバレッジエリア、セルカバレッジエリア、および／または、エアインターフェースを介してＲＮＡと関連付けられたビームカバレッジエリア内の無線デバイスに、他のメッセージ（例えば、ページングメッセージ）をブロードキャストおよび／またはマルチキャストすることができる。
【０１１４】
一例において、ＲＲＣ停止状態にある無線デバイスが新しいＲＮＡ中に移動すると、無線デバイスは、ＲＮＡ更新（ＲＮＡＵ）プロシージャを実行することができ、そのプロシージャは、無線デバイスおよび／またはＵＥコンテキスト検索プロシージャによりランダムアクセスプロシージャを実行することができる。ＵＥコンテキスト検索は、基地局によって、無線デバイスから、ランダムアクセスプリアンブルを検索すること、および、基地局によって、以前のアンカー基地局から無線デバイスのＵＥコンテキストをフェッチすることを含むことができる。フェッチすることは、再開識別子を含む検索ＵＥコンテキスト要求メッセージを、以前のアンカー基地局に送信すること、および、無線デバイスのＵＥコンテキストを含む検索ＵＥコンテキスト応答メッセージを、以前のアンカー基地局から受信することを含むことができる。
【０１１５】
例示的な実施形態において、ＲＲＣ停止状態にある無線デバイスは、１つ以上のセル、１つのセルに対する少なくとも測定結果に基づいて、キャンプオンを選択することができ、そこでは、無線デバイスは、基地局からのＲＮＡページングメッセージおよび／またはコアネットワークページングメッセージをモニタすることができる。一例において、ＲＲＣ停止状態にある無線デバイスは、ランダムアクセスプロシージャを実行するためのセルを選択してＲＲＣ接続を再開し、かつ／または基地局に（例えば、ネットワークに）１つ以上のパケットを送信することができる。一例において、選択されたセルが、ＲＲＣ停止状態にある無線デバイスのためのＲＮＡとは異なるＲＮＡに属する場合、無線デバイスは、ランダムアクセスプロシージャを開始してＲＮＡ更新プロシージャを実行することができる。一例において、ＲＲＣ停止状態にある無線デバイスが、バッファ内に、ネットワークに送信するための１つ以上のパケットを有する場合、無線デバイスは、ランダムアクセスプロシージャを開始して、無線デバイスが選択するセルの基地局に１つ以上のパケットを送信することができる。ランダムアクセスプロシージャは、無線デバイスと基地局との間で、２つのメッセージ（例えば、２つのステージランダムアクセス）、および／または４つのメッセージ（例えば、４つのステージランダムアクセス）を用いて実行され得る。
【０１１６】
例示的な実施形態において、ＲＲＣ停止状態にある無線デバイスから１つ以上のアップリンクパケットを受信する基地局は、ＡＳコンテキスト識別子、ＲＮＡ識別子、基地局識別子、再開識別子、および／または、無線デバイスから受信されたセル識別子のうちの少なくとも１つに基づいて、無線デバイスのための検索ＵＥコンテキスト要求メッセージを無線デバイスのアンカー基地局に送信することによって、無線デバイスのＵＥコンテキストを取り出すことができる。ＵＥコンテキストをフェッチすることに応答して、基地局は、無線デバイスのための経路切り替え要求をコアネットワークエンティティ（例えば、ＡＭＦ、ＭＭＥ、および／または同様のもの）に送信することができる。コアネットワークエンティティは、ユーザプレーンコアネットワークエンティティ（例えば、ＵＰＦ、Ｓ−ＧＷ、および／または同様のもの）とＲＡＮノード（例えば、基地局）との間で、無線デバイスのために確立された１つ以上のベアラに対するダウンリンクトンネルエンドポイント識別子を更新することができ、例えば、ダウンリンクトンネルエンドポイント識別子をアンカー基地局のアドレスから基地局のアドレスに変更することができる。
【０１１７】
ｇＮＢは、１つ以上の新しい無線技術を使用する無線ネットワークを介して無線デバイスと通信することができる。この１つ以上の無線技術は、物理層に関する複数の技術、媒体アクセス制御層に関する複数の技術、および／または無線リソース制御層に関する複数の技術、のうちの少なくとも１つを含むことができる。この１つ以上の無線技術を強化する例示的な実施形態は、無線ネットワークの性能を向上させることができる。例示的な実施形態は、システムスループット、または伝送データレートを高めることができる。例示的な実施形態は、無線デバイスのバッテリ消費を低減することができる。例示的な実施形態は、ｇＮＢと無線デバイスとの間のデータ送信の待ち時間を改善することができる。例示的な実施形態は、無線ネットワークのネットワークカバレッジを向上させることができる。例示的な実施形態は、無線ネットワークの伝送効率を向上させることができる。
【０１１８】
一例において、基地局は、１つ以上の論理チャネル（例えば、無線デバイスによる）の、１つ以上の送信持続時間および／もしくは数秘術、ならびに／または送信時間間隔（ＴＴＩ）、例えば、ＴＴＩ持続時間および／またはセルへのマッピングを制御することができる。一例において、基地局は、複数の論理チャネル内の各論理チャネルの最大送信持続時間を構成することができる（例えば、ＲＲＣを使用して）。一例において、最大送信持続時間は、最大ＰＵＳＣＨ持続時間に一致し得る。一例において、最大送信持続時間は、トランスポートブロックの最大持続時間に一致し得る。一例において、送信持続時間は、送信持続時間に対応するＴＴＩ持続時間以下とすることができる。一例において、論理チャネルのための構成パラメータは、最大送信持続時間および／または最大ＰＵＳＣＨ持続時間および／または最大トランスポートブロック持続時間を示す情報エレメントを含むことができる。一例において、マッピングは、準静的（例えば、ＲＲＣ構成を用いて）、動的（例えば、物理層および／またはＭＡＣ層シグナリングを使用して）、無線デバイスでの事前構成、ハード／ソフト分割等としてもよい。一例において、無線デバイスは、単一セルからの複数のＴＴＩおよび／または数秘術をサポートすることができる。一例において、複数のＴＴＩおよび／もしくは数秘術、ならびに／またはセルは、複数のＭＡＣエンティティによって処理され得る。一例において、複数のＴＴＩおよび／もしくは数秘術、ならびに／またはセルは、グループ化され得（例えば、帯域、サービスの種類／ＱｏＳ等）、ＴＴＩ／数秘術／セルのグループは、ＭＡＣエンティティによって処理され得る。一例において、複数のＴＴＩおよび／もしくは数秘術、ならびに／またはセルは、単一ＭＡＣエンティティによって処理され得る。
【０１１９】
一例において、ネットワーク／ｇＮＢは、１つ以上の数秘術ならびに／またはＴＴＩ持続時間および／もしくは送信持続時間、ならびに／またはセルにマッピングされるべき無線ベアラを構成することができる。一例において、ＭＡＣエンティティは、１つ以上の数秘術、ならびに／またはＴＴＩ持続時間および／もしくは送信持続時間、ならびに／またはセルをサポートすることができる。一例において、論理チャネルは、１つ以上の数秘術、ならびに／またはＴＴＩ持続時間および／もしくは送信持続時間、ならびに／またはセルにマッピングされ得る。一例において、１つ以上の論理チャネルは、数秘術、ならびに／またはＴＴＩ持続時間および／もしくは送信持続時間、ならびに／またはセルにマッピングされ得る。一例において、ＨＡＲＱエンティティは、１つ以上の数秘術、ならびに／またはＴＴＩ持続時間および／もしくは送信持続時間、ならびに／またはセルをサポートすることができる。
【０１２０】
一例において、サービスは、１つ以上の要件（例えば、パワー消費、待ち時間、データレート、カバレッジ等）と関連付けられ得る。一例において、基地局は、無線デバイスを選択または構成して、１つ以上の要件が満たされるように、キャリアならびに／または数秘術および／もしくはＴＴＩ持続時間および／もしくは送信持続時間を選択または構成することができる。例えば、大量マシン間通信（ｍＭＴＣ）ベースアプリケーションは、モビリティの低いＵＥのために、強化されたネットワークカバレッジを必要とし得、拡張されたシンボル持続時間を有する６ＧＨｚサブバンドで展開され得る。一例において、高速モバイルブロードバンド（ｅＭＢＢ）ベースアプリケーションは、高速データレートを必要とし得、上記の６ＧＨｚ帯で利用可能な広いスペクトルの利点を享受することができる。一例において、ＵＥは、異なるサービスバーティカルを同時にサポートする複数のキャリアおよび／またはＰＨＹ数秘術を集約し得る。
【０１２１】
ＬＴＥでは、半永続的なスケジューリング（ＳＰＳ）が、ＳｐＣｅｌｌ（例えば、ＰＣｅｌｌおよびＰＳＣｅｌｌ）に適用可能となり得る。一例において、ＳｐＣｅｌｌは、停止されなくてもよい。一例において、ＳｐＣｅｌｌは、無線リンク障害（ＲＬＦ）プロシージャを管理し得、ＳＰＳのために安定したリンクを提供することができる。一例において、ＳｐＣｅｌｌを使用してＳＰＳをスケジュールすることは、クロスキャリアスケジューリング、ＤＲＸ、および／またはキャリア作動／停止によりＵＥの複雑さを低減することができる。
【０１２２】
一例において、様々なサービスは、様々なアプリケーションおよび要件をサポートするように考慮され得る。一例において、ＳＰＳは、複数のサービスバーティカルによってサポートされ得る。一例において、超高信頼低遅延通信（ＵＲＬＬＣ）ベースのアプリケーションは、頻繁に（例えば、シンボル毎、スロット毎、サブフレーム毎、または複数のサブフレーム）ＳＰＳリソースを使用してユーザプレーン待ち時間を低減することができる。一例において、ｅＭＢＢは、ＨＤビデオストリーミング、ＶｏＩＰ等のためのＳＰＳサポートを必要とし得る。一例において、ｍＭＴＣは、イベントの周期的なレポートのためにＳＰＳを使用し得る。一例において、ＳＰＳは、様々なキャリア上で動作するサービスバーティカルのためにサポートされ得る。一例において、ＳＰＳは、１つ以上のキャリア上でサポートされ得る。一例において、ＳＰＳは、プライマリキャリア上でサポートされ得る。
【０１２３】
ＬＴＥにおいて、ＢＳＲ  ＭＡＣ  ＣＥは、１つ以上の論理チャネルグループ（ＬＣＧ）の論理チャネルと関連付けられたバッファのサイズを含み得る。一例において、ＬＴＥでは、最大４つの論理チャネルグループが存在し得る。論理チャネルグループは、様々なデータ無線ベアラ（ＤＲＢ）をＱｏＳグループに分類するように使用され得る。
【０１２４】
一例において、サービスバーティカルは、複数の論理チャネルと関連付けられ得る。一例において、ＬＴＥ  ＢＳＲメカニズムは、複数のＭＡＣエンティティが複数のバーティカルを考慮する場合、ＮＲのために機能し得る。一例において、ＢＳＲメカニズムは、単一ＭＡＣエンティティを使用して複数のサービスバーティカルを処理する場合のための機能強化を必要とし得る。一例において、サービスバーティカルは、１つ以上のＱｏＳグループと関連付けられ得る。ＬＣＧのＬＴＥ範囲は、ＮＲ内の様々なサービスバーティカルに対するバッファステータスを示すには十分ではないことがある。
【０１２５】
一例において、サービスバーティカルのためのＢＳＲは、固有のリソース割り当てにマッピングされ得る。一例において、サービスバーティカルのためのＢＳＲは、ＨＡＲＱエンティティにマッピングされ得る。一例において、ダウンリンクおよびアップリンクＰＤＣＰプロトコルデータユニット（ＰＤＵ）のために、２つ以上の論理チャネルへのＰＤＣＰ複製は、キャリアアグリゲーションのために使用され得、その結果、複製されたＰＤＣＰ  ＰＤＵは、様々なキャリアにわたって送出され得る。
【０１２６】
一例において、数秘術は、周波数領域内のサブキャリア間隔に対応し得る。一例において、基本サブキャリア間隔に整数Ｎを乗じて変倍することによって、様々な数秘術がサポートされ得る。一例において、ＴＴＩ持続時間は、１つの送信方向における時間領域内の多数の連続したシンボルに対応し得る。
【０１２７】
様々なＴＴＩ持続時間は、様々なシンボル数（例えば、１つの送信方向におけるミニスロット、１つのスロット、またはいくつかのスロットに対応する）を使用する場合に定義され得る。一例において、１つの数秘術、および１つのＴＴＩ持続時間の組み合わせは、送信が物理層上でどのようになされ得るかを決定することができる。一例において、無線ベアラに対応する論理チャネルが、どの数秘術および／またはＴＴＩ持続時間にマッピングされ得るかは、ＲＲＣシグナリングを介して構成および再構成され得る。一例において、マッピングは、ＲＬＣには見ることができず、例えば、ＲＬＣ構成は、数秘術および／またはＴＴＩ持続時間に依存しない論理チャネル毎とすることができる。一例において、ＡＲＱは、論理チャネルが構成されている数秘術および／またはＴＴＩ持続時間で動作し得る。一例において、単一ＭＡＣエンティティは、１つまたは複数の数秘術および／またはＴＴＩ持続時間をサポートすることができる。一例において、論理チャネル優先度付けプロシージャは、１つ以上の数秘術および／またはＴＴＩ持続時間に対して１つの論理チャネル（ＬＣＨ）のマッピングを考慮することができる。一例において、ＨＡＲＱは、複数の数秘術およびＴＴＩ持続時間を用いて動作し得る。一例において、ＴＴＩを上回る数秘術の特性は、ＭＡＣには見える場合がある。
【０１２８】
一例において、ｇＮＢにおけるＭＡＣは、ダウンリンクおよびアップリンクのための物理層リソースを割り当てる動的リソーススケジューラを含み得る。一例において、ＵＥバッファステータス、ならびに、各ＵＥおよび関連付けられた無線ベアラのＱｏＳ要件を考慮すると、スケジューラは、ＵＥ間でリソースを割り当てることができる。一例において、スケジューラは、ｇＮＢで行われ、かつ／またはＵＥによりレポートされる測定を通じて識別された、ＵＥにおける無線条件を考慮するリソースを割り当てることができる。一例において、スケジューラは、ＴＴＩ（例えば、１つのミニスロット、１つのスロット、または複数のスロット）の単位で無線リソースを割り当てることができる。リソース割り当ては、無線リソース（例えば、リソースブロック）で構成され得る。一例において、半永続的なスケジューリング（ＳＰＳ）が、レポートされ得る。一例において、ＵＥは、パディングＢＳＲ送出ではなく、バッファ内にデータが存在しない場合には、ＵＬグラントをスキップし得る。一例において、ＵＥは、スケジューリング（リソース割り当て）チャネルを受信することによってリソースを識別し得る。一例において、測定レポートは、スケジューラがアップリンクおよびダウンリンクの両方で動作することを可能にするように要求され得る。これらは、ＵＥ無線環境のトランスポート量および測定値を含み得る。一例において、アップリンクバッファステータスレポートは、ＱｏＳアウェアパケットスケジューリングにサポートを提供するために必要とされ得る。アップリンクバッファステータスレポートは、ＵＥ内の論理チャネルキューにバッファリングされているデータを参照することができる。ｅＮＢにおけるアップリンクパケットスケジューラは、ＭＡＣレベルに位置され得る。アップリンクで使用されるバッファレポーティング方式は、様々なタイプのデータサービスをサポートするためにフレキシブル性を有し得る。アップリンクバッファレポートがＵＥからどれくらいの頻度で信号送信されるかに関する制約条件は、ネットワークによって指定され、オーバーヘッドがアップリンクのレポート送出を制限することができる。
【０１２９】
一例において、アップリンクグラントをＴＴＩおよび／または送信持続時間および／または数秘術および／またはセルに提供するため、ＵＥは、アップリンクグラントが必要とされ、かつ、ＴＴＩおよび／または数秘術および／またはセルにマッピングされる論理チャネルの表示を提供し得る。一例において、基地局は、無線デバイスからのスケジューリング要求を受信した後に、デフォルトＴＴＩおよび／または数秘術および／またはセルに対応するアップリンクグラントを提供し得る。一例において、ＮＲスケジューリング要求メカニズムは、アップリンクグラントが必要とされる論理チャネルもしくはＴＴＩおよび／または送信持続時間および／または数秘術を示すことができる。一例において、論理チャネルＩＤおよび／もしくは論理チャネルグループＩＤ、ならびに／または、ＴＴＩおよび／もしくまたは送信持続時間および／もしくは数秘術は、スケジューリング要求と一緒に、無線デバイスによって提供され得る。一例において、スケジューリング要求リソースは、所与のＴＴＩおよび／もしくは送信持続時間および／もしくは数秘術、または１つ以上の（例えば、グループの）論理チャネルのためのものとすることができる。一例において、ＮＲスケジューリング要求は、アップリンクグラントが必要とされるＴＴＩおよび／または送信持続時間および／または数秘術を示すことができる。
【０１３０】
一例において、無線リンク障害は、１つ以上のキャリアで起こり得る。一例において、無線リンク障害は、プライマリキャリアで起こり得、ＲＬＦによっては影響されない１つ以上の非プライマリキャリアは、１つ以上のプライマリキャリア動作／プロシージャを実行することができる。一例において、接続再確立プロシージャは、もしも利用可能であれば、セカンダリキャリアのうちの１つへの接続を再開することができる。
【０１３１】
一例において、様々なＴＴＩおよび／または送信持続時間が、ＮＲ（例えば、１つ以上のシンボル、１つ以上のミニスロット、１つ以上のスロット）に対して構成され得る。一例において、ｅＭＢＢトラフィックは、ＵＲＬＬＣ送信によって先取りされ得る。一例において、ｇＮＢ  ＭＡＣは、ダウンリンクおよびアップリンクのための物理層リソースを動的にスケジュールすることができる。ＵＥ、および関連付けられた無線ベアのトラフィック量およびＱｏＳ要件を考慮して、ｇＮＢスケジューラは、リソースを割り当てることができる。一例において、ｇＮＢスケジューラは、ｇＮＢで行われ、かつ／またはＵＥによりレポートされた測定値を通じて識別されたＵＥの無線条件を考慮したリソースを割り当てることができる。
【０１３２】
一例において、無線リソース割り当ては、ＴＴＩ（例えば、１つ以上のシンボル、１つ以上のミニスロット、１つ以上のスロット）に対して適正であり得る（または、それに対するリソースを示し得る）。一例において、無線リソース割り当ては、複数のＴＴＩのためのリソースを示すことができる。このリソース割り当ては、無線リソース（例えば、リソースブロック）の表示を含むことができる。一例において、ダウンリンクでは、ｇＮＢは、待ち時間重要データに適合させる既存のリソース割り当てを先取りすることができる。一例において、ＵＥは、スケジューリング（リソース割り当て）チャネルを受信することによって、リソースを識別することができる。一例において、測定レポートにより、スケジューラがアップリンクおよびダウンリンクで動作することができる。その測定は、ＵＥ無線環境のトランスポート量および測定値を含むことができる。
【０１３３】
一例において、アップリンクバッファステータスレポートは、ＱｏＳアウェアパケットスケジューリングのためのサポートを提供することができる。一例において、アップリンクバッファステータスレポートは、ＵＥの論理チャネルキューにバッファリングされているデータを参照することができる。一例において、ｇＮＢにおけるアップリンクパケットスケジューラは、ＭＡＣレベルにおいて位置され得る。一例において、アップリンクで使用されるバッファステータスレポーティング方式は、様々なタイプのデータサービスをサポートするためにフレキシブル性を有し得る。一例において、アップリンクバッファレポートがＵＥからどれくらいの頻度で信号送信されるかに関する制約条件は、ネットワーク／ｇＮＢによってＵＥにおいて構成され、オーバーヘッドを制限することができる。
【０１３４】
ＬＴＥでは、スケジューリング要求（ＳＲ）は、ＵＥが適正なグラントを有さない場合、新しい送信のためのＵＬ−ＳＣＨリソースを要求するために使用され得る。一例において、ＳＲリソースがＵＥのために構成されない場合、ＵＥは、ランダムアクセスプロシージャを起動してアップリンクのスケジューリンググラントを受信することができる。ＬＴＥでは、ＳＲは、１ビット情報を含むことができ、ＵＥがアップリンクグラントを必要としていることを示すことができる。一例において、１ビットＳＲの受信の場合、ｇＮＢは、どの論理チャネル（特定のＱＣＩと関連付けられている）が、送信に利用可能なデータ、またはＵＥでの送信に利用可能なデータの量を有するかを知らなくてもよい。一例において、ｇＮＢは、グラントにおける数秘術および／または送信持続時間および／またはＴＴＩ持続時間を示すことができる。一例において、ＵＥは、所望の数秘術および／または送信持続時間および／またはＴＴＩ持続時間をｇＮＢに示すことができる。
【０１３５】
一例において、ＳＲおよび／またはＢＳＲは、１つ以上の論理チャネルおよび／または論理チャネルグループ（優先度および／またはバッファサイズ）および／または数秘術／ＴＴＩ持続時間／送信持続時間のＵＥバッファステータスをレポートすることができる。一例において、ＳＲは、利用可能なデータを有するＬＣＧのタイプ、および／またはＬＣＧと関連付けられた利用可能なデータの量を示すことができる。一例において、ＵＥでグラントを必要とするＬＣＧと関連付けられた利用可能なデータの量を示すことによって、ｇＮＢは、好ましい数秘術／ＴＴＩ持続時間／送信持続時間に好適なグラントサイズを、ＵＥに提供することができる。一例において、ＢＳＲグラント割り当てによって引き起こされた遅延を回避するため、ＳＲを送出しないＢＳＲグラントなし送信がサポートされ得る。
【０１３６】
一例において、グラントなし送信メカニズムは、ＵＲＬＬＣなどの遅延重要使用ケースの場合に使用され得る。一例において、ＵＥ固有リソース割り当ては、ＢＳＲ送信の場合に使用され得る。一例において、グラントなし送信がサポートされている場合、無線デバイスは、論理チャネル毎、および／もしくは論理チャネルグループ毎、ならびに／または短いＢＳＲ毎にＢＳＲを送信することができる。一例において、高い優先度トラフィックの場合のバッファステータスレポートは、グラントなしチャネルを使用して送信され得る。一例において、ＵＥ毎に割り当てられたグラントなしリソースは、ＢＳＲの送信のみのために使用され得る。一例において、ＵＥ毎に割り当てられたグラントなしリソースは、ＢＳＲおよびデータの送信のみのために使用され得る。一例において、グラントなしリソースは、送信待ち状態のＢＳＲが存在しない場合、データの送信に利用され得る。
【０１３７】
ＬＴＥでは、ＵＥは、既存のデータよりも高い優先度を有するバッファに利用可能な新しいデータが存在する場合、ＢＳＲを送信することができるが、これに対して、新しいデータが既存のデータと同じ、またはより低い優先度を有する場合、ＵＥがＢＳＲを送信することが許可されないことがある。これにより、ＵＥとｇＮＢとの間の情報ミスマッチを引き起こし得、ＵＥがその送信バッファを空にすることができるまで長い不要なスケジューリング遅延をもたらす。
【０１３８】
一例において、ＵＥは、新しいデータがその優先度に関係なくなったとき、ＢＳＲを送信することができる。一例において、ｇＮＢは、新しいデータがその優先度にかかわらず利用可能になったとき、ＢＳＲを送信するようにＵＥを構成することができる。
【０１３９】
ＬＴＥにおける例示的なアップリンクスケジューリングプロシージャが、図１５に示されている。一例において、スケジューリング要求（ＳＲ）は、新しい送信のためのＵＬ−ＳＣＨリソースを要求するために使用され得る。一例において、通常のバッファステータスレポート（ＢＳＲ）がトリガされ、かつ、ＵＥが少なくともその通常のＢＳＲに対して送信するためのリソースを有さない場合に、ＳＲは、トリガされ得る。一例において、通常のＢＳＲは、データがアップリンクで送信利用可能になったとき、トリガされ得る。
【０１４０】
一例において、ＬＴＥでは、ＳＲは、物理アップリンク制御チャネル（ＰＵＣＣＨ）上で送信され得、１ビットを用いて構成されて制御チャネルオーバーヘッドを節約することができる。ＳＲを使用して、ＵＥの論理チャネルと関連付けられた１つ以上のバッファ内に新しいデータが存在することをｅＮＢに通知することができる。ｅＮＢは、いくつかのリソースをスケジュールすることができ、ＳＲが受信された後に、アップリンクグラントとしてダウンリンク制御情報（ＤＣＩ）でＵＥに示すことができる。ＵＥは、論理チャネルバッファが空でない場合に、アップリンクグラント上のＢＳＲを送信することができ、ｅＮＢは、新しいリソースを用いてＵＥをスケジュールすることができる。
【０１４１】
一例において、ＮＲは、ｅＭＢＢ、ＵＲＬＬＣ等などの様々なサービス要件をサポートすることができる。アップリンクデータは、重要な遅延要件（例えば、ＵＲＬＬＣ）を有することができる。一例において、ｇＮＢは、そのような効率的なスケジューリングの要件を知る必要があり得、その理由は、ｅＭＢＢおよびＵＲＬＬＣが様々な物理層スケジューリングプロシージャおよびチャネル構造を有することができるからである。
【０１４２】
一例において、マルチビットスケジューリング要求（ＳＲ）は、無線デバイスのために構成され得る。一例において、ＵＥ固有のＳＲサイズ、および／またはリソースが、構成され得る。一例において、様々なＵＥが、様々なＱｏＳ要件を有するサービスを有し得る。一例において、１つ以上のサービス（例えば、ｅＭＢＢなどの高速データレートを有する）に対して、ＳＲおよびＢＳＲの組み合わせが使用され得る。一例において、遅延重要サービスおよび小さいパケットを有するＵＥは、マルチビットＳＲを用いて構成され、バッファサイズを示すことができる。ネットワーク／ｇＮＢは、適切なサイズを有するグラントをスケジュールすることができ、その結果、すべてのデータが、１ラウンドのシグナリングで送信され得る。一例において、マッピングは、ＵＥにより要求された、ＳＲのサイズとサービスのタイプとの間で構成され得る。一例において、ＳＲおよび／もしくはＢＳＲ、ならびに／またはＳＲおよびＢＳＲの組み合わせを使用して、ネットワーク／ｇＮＢは、ＵＥが要求するサービスに好適なＴＴＩ送信持続時間／数秘術を割り当てることができる。一例において、サービスのタイプによっては、ＳＲの異なるある値が、そのサービスの異なるバッファサイズを示してもよい。
【０１４３】
一例において、ネットワーク／ｇＮＢは、ＲＲＣ構成および／または動的シグナリング（例えば、ＰＨＹおよび／またはＭＡＣシグナリング）を使用して、ＢＳＲおよび／またはＳＲ（例えば、１ビットＳＲまたはマルチビットＳＲ）を可能／不可能にすることができる。一例において、ＢＳＲに対するトリガ条件は、ネットワーク／ｇＮＢがＵＥにおいてＳＲ（例えば、マルチビットＳＲ）を可能にしたか否かに応じて、変更することができる。一例において、マルチビットＳＲが構成されている場合、ＢＳＲは、使用不可とされ得、またはトリガ条件が、変更し得る。
【０１４４】
一例において、ＢＳＲのグラントなし送信が、構成され得る。一例において、ネットワーク／ｇＮＢは、グラントなしＢＳＲを送信するためのリソースを事前構成され得る。
【０１４５】
一例において、ＳＲは、複数のビットを含むことができる。一例において、ＳＲは、ＵＥがグラントを必要とし得るための１つ以上の論理チャネル、および／もしくは論理チャネルグループ、ならびに／またはＴＴＩ／送信持続時間／数秘術についての情報を提供することができる。一例において、マルチビットＳＲは、利用可能なデータを有するタイプのＬＣＧ、および／またはＬＣＧと関連付けられた利用可能なデータの量を示すことができる。一例において、ＳＲリソースの周期性は、高速スケジューリングをサポートするＵＲＬＬＣデータの場合に、より短くすることができる。一例において、ＳＲリソースは、アプリケーションタイプ固有とすることができ、かつ／または、ＳＲの送信（例えば、ＳＲリソース）は、ＵＥが予測しているグラントのタイプ（例えば、ＴＴＩ／数秘術）を示すことができる。
【０１４６】
一例において、ＬＴＥでは、通常のＢＳＲは、新しいデータが利用可能になったときに、トリガされ得、そのデータは、任意のＬＣＧに属しかつデータがすでに送信に利用可能である論理チャネルの優先度よりも高い優先度を有する論理チャネルに属するか、または、ＬＣＧに属する任意の論理チャネルの送信に利用可能なデータが存在しないかのどちらかである。一例において、ＬＴＥでは、ＵＥは、新しいデータが既存のデータと同じ優先度か、またはそれより低い優先度を有する場合に、ＢＳＲをトリガしなくてもよい。
【０１４７】
一例において、ＬＴＥでは、ＢＳＲ  ＭＡＣ制御エレメントは、１つのＬＣＧ  ＩＤフィールドおよび１つの対応するバッファサイズフィールドを有する短い／切り捨てられたＢＳＲフォーマット、ならびに、４つのＬＣＧ  ＩＤおよび対応するバッファサイズフィールドを有する長いＢＳＲフォーマットを含むことができる。一例において、論理チャネルは、１つ以上の判定基準（例えば、ＵＥ能力、サービス要件、ＱｏＳ、…）に基づいて、数秘術／ＴＴＩ持続時間にマッピングされ得る。
【０１４８】
一例において、グラントなしアップリンクリソースは、ＵＥのために専用であり得る。一例において、専用グラントなしリソースがＵＥに割り当てられ、グラントなしリソースが、待ち時間要件を満足するために十分頻度／密度が高い場合に、ＵＥは、ＳＲがデータおよびＢＳＲのためのリソースを要求することを必要としなくてもよい。一例において、ＵＥに割り当てられたグラントなしリソースは、競合ベースであり得る。一例において、ＵＥに割り当てられたグラントなしリソースは、ＵＲＬＬＣの超低待ち時間要件を満たすのに十分に密度が高くない場合がある。一例において、ＵＥは、ＵＲＬＬＣをサポートするためのＳＲプロシージャを必要とし得る。一例において、ＳＲは、ＵＥでデータ待ち状態についての情報を示すことができる。
【０１４９】
一例において、ｇＮＢは、ＵＥにおいて、論理チャネルを１つ以上の論理チャネルグループ（ＬＣＧ）にグループ化することができ、かつ、ＵＥは、１つ以上のＬＣＧのバッファステータスをレポートすることができる。一例において、ＵＥは、論理チャネル毎にバッファステータスをレポートすることができる。一例において、ｇＮＢは、ＵＥにおいて、論理チャネルを１つ以上の論理チャネルグループ（ＬＣＧ）にグループ化することができる。ＵＥは、１つ以上のＬＣＧ、および／または１つ以上の論理チャネル（例えば、ＵＲＬＬＣ論理チャネル）のバッファステータスをレポートすることができる。
【０１５０】
一例において、ｇＮＢは、１つ以上の論理チャネルと、１つ以上の数秘術および／またはＴＴＩ持続時間および／または送信持続時間との間のマッピングを示すことができる。一例において、１つ以上の論理チャネルは、数秘術および／またはＴＴＩ持続時間および／または送信持続時間にマッピングされ得る。一例において、ＵＥは、数秘術／ＴＴＩ持続時間／送信持続時間毎にバッファステータスをレポートすることができる。
【０１５１】
一例において、ＮＲでは、ＵＥは、論理チャネルのサブセットからＭＡＣ  ＰＤＵにデータを多重化することができる（例えば、ＱｏＳのより良好なサポートのために）。一例において、１つのＭＡＣ  ＰＤＵは、１つ以上の論理チャネルからのデータ（例えば、同じＱｏＳを有する）で構成することができる。一例において、ｇＮＢは、ＬＣＧ内に１つの論理チャネルのみを含むことができる。一例において、同じＱｏＳを有する論理チャネルのみが、１つのＬＣＧにグループ化され得る。一例において、ＮＲでは、ＢＳＲは、細かい粒度を有するスケジューリング、例えば、論理チャネル毎、またはＱｏＳ毎のスケジューリングをサポートすることができる。
【０１５２】
一例において、ＵＥは、バッファステータスをレポートする場合、ＰＤＣＰデータ量およびＲＬＣデータ量を別々にレポートすることができる。ＰＤＣＰデータ量を別々に有することによって、スケジューラ、例えば、ｅＮＢ／ｇＮＢは、スケジューリングＰＤＣＰデータに一般原則を有することによる緊密な協調をせずに、アップリンクリソースを割り当てることができる。一例において、ＰＤＣＰデータ量を別々にレポートすることは、マルチ分割ベアラの場合に有利であり得る。例えば、マルチ分割ベアラの場合、いくつかのｅＮＢ／ｇＮＢは、リソースの浪費を回避するため、マルチ分割ベアラを主に供給することができる。この場合、ＰＤＣＰデータ量をいくつかのｅＮＢ／ｇＮＢにのみレポートすることは、調整努力を低減し得る。
【０１５３】
一例において、論理チャネルは、１つ以上の数秘術および／またはＴＴＩ持続時間／送信持続時間にマッピングされ得る。一例において、ＡＲＱは、論理チャネル（ＬＣＨ）がマッピングされ得る数秘術および／またはＴＴＩ持続時間に関して実行され得る。一例において、ＲＬＣ構成は、数秘術／ＴＴＩ長さに依存することなく、論理チャネル毎とすることができる。一例において、論理チャネルの数秘術／ＴＴＩ長さへのマッピングは、ＲＲＣ再構成を介して再構成され得る。一例において、ＨＡＲＱ再送信は、様々な数秘術および／またはＴＴＩ持続時間にわたって実行され得る。一例において、ＨＡＲＱ構成は、数秘術／ＴＴＩ持続時間固有であり得る。
【０１５４】
一例において、ＭＡＣエンティティは、１つ以上の数秘術／ＴＴＩ持続時間／送信持続時間をサポートすることができる。一例において、論理チャネル優先度付け（ＬＣＰ）では、１つ以上の数秘術／ＴＴＩ持続時間への論理チャネルのマッピングが考えられる。一例において、ＮＲでは、第１のＢＳＲフォーマットは、ＵＲＬＬＣサービスと関連付けられてもよく、第２のＢＳＲフォーマットは、ｅＭＢＢまたはｍＭＴＣサービスと関連付けられてもよい。一例において、第１のＳＲフォーマットは、より大きいグラントサイズ要求と関連付けられてもよく、第２のＳＲフォーマットは、より小さいグラントサイズ要求のために使用されてもよい。一例において、ＢＳＲは、ＬＣＧおよび／またはＬＣの選択数をｇＮＢにレポートすることをサポートすることができる。一例において、ＮＲは、動的スケジューリング、半永続的なスケジューリング、およびグラントのないアップリンク送信をサポートすることができる。一例において、スケジューリング機能は、ＵＥの様々な数秘術に対応するリソース間の動的および準静的切り替えをサポートすることができる。
【０１５５】
一例において、無線デバイスは、１つ以上の基地局（例えば、１つ以上のＮＲ  ｇＮＢ、および／または１つ以上のＬＴＥ  ｅＮＢ、および／または１つ以上のｅＬＴＥ  ｅＮＢ等）から、１つ以上の無線リソース構成（ＲＲＣ）メッセージを含む１つ以上のメッセージを受信することができる。一例において、１つ以上のメッセージは、複数の論理チャネルのための構成パラメータを含むことができる。一例において、１つ以上のメッセージは、複数の論理チャネルの各々ための論理チャネル識別子を含むことができる。一例において、論理チャネル識別子は、複数の論理チャネル識別子のうちの１つであり得る。一例において、複数の論理チャネル識別子は、事前構成され得る。一例において、論理チャネル識別子は、複数の連続した整数のうちの１つであり得る。
【０１５６】
一例において、無線デバイスに対して構成された複数の論理チャネルは、１つ以上のベアラに対応し得る。一例において、ベアラと論理チャネルとの間には、１対１のマッピング／対応関係が存在し得る。一例において、１つ以上のベアラと１つ以上の論理チャネルとの間には、１対多のマッピング／対応関係が存在し得る。一例において、ベアラは、複数の論理チャネルにマッピングされ得る。一例において、ベアラに対応するパケットデータコンバージェンスプロトコル（ＰＤＣＰ）エンティティからのデータは、複製され、複数の無線リンク制御（ＲＬＣ）エンティティおよび／または論理チャネルにマッピングされ得る。一例において、複数の論理チャネルのスケジューリングは、単一媒体アクセス制御（ＭＡＣ）エンティティによって実行され得る。一例において、複数の論理チャネルのスケジューリングは、２つ以上のＭＡＣエンティティによって実行され得る。一例において、論理チャネルは、複数のＭＡＣエンティティのうちの１つによってスケジュールされ得る。一例において、１つ以上のベアラは、１つ以上のデータ無線ベアラを含むことができる。一例において、１つ以上のベアラは、１つ以上のシグナリング無線ベアラを含むことができる。一例において、１つ以上のベアラは、１つ以上のアプリケーション、および／またはサービス品質（ＱｏＳ）要件に対応することができる。一例において、１つ以上のベアラは、超高信頼低遅延通信（ＵＲＬＬＣ）アプリケーションおよび／または高速大容量（ｅＭＢＢ）アプリケーションおよび／または大量マシン間通信（ｍＭＴＣ）アプリケーションに対応することができる。
【０１５７】
一例において、複数の論理チャネルのうちの第１の論理チャネルは、複数の送信時間間隔（ＴＴＩ）／送信持続時間／数秘術のうちの１つ以上にマッピングされ得る。一例において、論理チャネルは、複数のＴＴＩ／送信持続時間／数秘術のうちの１つ以上にマッピングされない場合がある。一例において、ＵＲＬＬＣベアラに対応する論理チャネルは、１つ以上の第１のＴＴＩ／送信持続時間にマッピングされ得、ｅＭＢＢアプリケーションに対応する論理は、１つ以上の第２のＴＴＩ／送信持続時間にマッピングされ得、１つ以上の第１のＴＴＩ／送信持続時間は、１つ以上の第２のＴＴＩ／送信持続時間よりも短い持続時間を有し得る。一例において、複数のＴＴＩ／送信持続時間／数秘術は、無線デバイスにおいて事前構成され得る。一例において、１つ以上のメッセージは、複数のＴＴＩ／送信持続時間／数秘術の構成パラメータを含むことができる。一例において、基地局は、グラントを無線デバイスに送信することができ、そのグラントは、無線デバイスがデータを送信し得るセルおよび／またはＴＴＩ／送信持続時間／数秘術の表示を含む。一例において、グラントの第１のフィールドは、セルを示し、グラントの第２のフィールドは、ＴＴＩ／送信持続時間／数秘術を示すことができる。一例において、グラント内のフィールドは、セル、およびＴＴＩ／送信持続時間／数秘術の両方を示すことができる。
【０１５８】
一例において、１つ以上のメッセージは、複数の論理チャネルのうちの１つ以上のための論理チャネルグループ識別子を含むことができる。一例において、複数の論理チャネルの１つ以上は、論理チャネルグループ識別子ｎが割り当てられ得、例えば、０≦ｎ≦Ｎ（例えば、Ｎ＝３、または５、または７、または１１、または１５等）である。一例において、論理チャネルグループ識別子を有する複数の論理チャネルのうちの１つ以上は、同じ１つ以上のＴＴＩ／送信持続時間／数秘術にマッピングされ得る。一例において、論理チャネルグループ識別子を有する複数の論理チャネルのうちの１つ以上は、同じ１つ以上のＴＴＩ／送信持続時間／数秘術にのみマッピングされ得る。一例において、複数の論理チャネルのうちの１つ以上は、同じアプリケーションおよび／またはＱｏＳ要件に対応し得る。一例において、１つ以上の第１の論理チャネルは、論理チャネル識別子（複数可）および論理チャネルグループ識別子（複数可）を割り当てられ得、１つ以上の第２の論理チャネルは、論理チャネル識別子（複数可）を割り当てられ得る。一例において、論理チャネルグループは、１つの論理チャネルで構成され得る。
【０１５９】
一例において、１つ以上のメッセージは、複数の論理チャネルと複数のＴＴＩ／送信持続時間／数秘術との間のマッピング、および／またはセルを示す１つ以上の第１のフィールドを含むことができる。一例において、１つ以上の第１のフィールドは、論理チャネルが、第１の値よりも短いかまたは等しい１つ以上の第１のＴＴＩ／送信持続時間にマッピングされていることを示す第１の値を含むことができる。一例において、１つ以上の第１のフィールドは、論理チャネルが、第２の値よりも長いかまたは等しい１つ以上の第２のＴＴＩ／送信持続時間にマッピングされていることを示す第２の値を含むことができる。一例において、１つ以上の第１のフィールドは、論理チャネルがマッピングされている１つ以上のＴＴＩ／送信持続時間／数秘術、および／またはセルを含み、かつ／または示すことができる。一例において、そのマッピングは、１つ以上のビットマッピングを使用して示され得る。一例において、論理チャネルと関連付けられたビットマップの値が１である場合、論理チャネルは、対応するＴＴＩ／送信持続時間／数秘術、および／またはセルにマッピングされていることを示すことができる。一例において、論理チャネルと関連付けられたビットマップの値がゼロである場合、論理チャネルは、対応するＴＴＩ／送信持続時間／数秘術、および／またはセルにマッピングされていないことを示すことができる。一例において、１つ以上のメッセージは、複数の論理チャネルのための構成パラメータを含むことができる。一例において、論理チャネルのための構成パラメータは、論理チャネルに関係付けられたビットマップを含むことができ、そのビットマップは、論理チャネルと複数のＴＴＩ／送信持続時間／数秘術との間のマッピング、および／またはセルを示す。
【０１６０】
一例において、第１の論理チャネルは、少なくとも第１の論理チャネル優先度を割り当てられ得る。一例において、第１の論理チャネルは、１つ以上のＴＴＩ／送信持続時間／数秘術に関して１つ以上の論理チャネル優先度を割り当てられ得る。一例において、第１の論理チャネルは、複数のＴＴＩ／送信持続時間／数秘術の各々に関する論理チャネル優先度を割り当てられ得る。一例において、論理チャネルは、複数のＴＴＩ／送信持続時間／数秘術のうちの１つ以上の各々に関する論理チャネル優先度を割り当てられ得る。一例において、論理チャネルは、１つ以上のＴＴＩ／送信持続時間／数秘術の各々に関する論理チャネル優先度を割り当てられ得、その論理チャネルは、１つ以上のＴＴＩ／送信持続時間／数秘術の各々に関してマッピングされている。一例において、１つ以上のメッセージは、１つ以上のＴＴＩ／送信持続時間／数秘術に関する論理チャネルの優先度を示す１つ以上の第２のフィールドを含むことができる。一例において、１つ以上の第２のフィールドは、１つ以上のＴＴＩ／送信持続時間／数秘術に関する論理チャネルの優先度を示す１つ以上のシーケンスを含むことができる。一例において、１つ以上の第２のフィールドは、複数の論理チャネルに対する複数のシーケンスを含むことができる。論理チャネルに対応するシーケンスは、複数のＴＴＩ／送信持続時間／数秘術／セル、または、複数のＴＴＩ／送信持続時間／数秘術／セルのうちの１つ以上に関する論理チャネルの優先度を示すことができる。一例において、優先度は、論理チャネルと１つ以上のＴＴＩ／送信持続時間／数秘術との間のマッピングを示すことができる。一例において、ＴＴＩ／数秘術に関する所与の値（例えば、ゼロ、またはマイナス無限大または負の値）を有する論理チャネルの優先度は、論理チャネルがＴＴＩ／数秘術にマッピングされていないことを示すことができる。一例において、シーケンスのサイズは、可変であり得る。一例において、論理チャネルと関連付けられたシーケンスのサイズは、論理チャネルがマッピングされているＴＴＩ／送信持続時間／数秘術の数であり得る。一例において、シーケンスのサイズは、例えば、ＴＴＩ／送信持続時間／数秘術／セルの数に固定され得る。
【０１６１】
無線デバイスのバッファステータスレポートは、無線デバイスの効率的なスケジューリング、ならびに強化されたエアインターフェースのスループット、遅延、および性能のために情報を基地局に提供する。無線デバイスは、アップリンクグラント、および待ち状態のバッファステータスレポートを有する無線デバイスに応答して、バッファステータスレポート基地局に送信する。無線デバイスは、１つ以上のイベントに応答して、バッファステータスレポートをトリガする。例えば、ＬＴＥでは、データが論理チャネルに到着し、論理チャネルが利用可能なデータを有する他の論理チャネルよりも高い優先度を有する場合、バッファステータスレポートがトリガされる。一例において、新しい無線（ＮＲ）の無線アクセス技術では、論理チャネルは、複数のＴＴＩ／送信持続時間／数秘術師／セルにマッピングされ得、少なくとも１つの論理チャネル優先度を有し得る。一例において、論理チャネルは、複数の論理チャネル優先度（例えば、複数のＴＴＩ／送信持続時間／数秘術／セルに関する）を有し得る。既存のＢＳＲトリガリングメカニズムは、ＢＳＲが必要とされる場合、いくつかの例示的なシナリオではＢＳＲをトリガしなくてもよく、かつ／または、結果として、いくつかの他のシナリオでは、ＢＳＲ送信の過度なトリガリングをもたらし得る。効率的なバッファステータスレポーティングプロシージャは、無線デバイスがタイムリーな方法でかつ適切なグラント（例えば、適切なサイズ、ＴＴＩ／送信持続時間／数秘術）でデータを送信するようにスケジュールされていることを確実にするために、必要とされる。非効率的なＢＳＲプロシージャは、無線デバイスおよびネットワーク性能、特に遅延に敏感なアプリケーションの場合に劣化を引き起こす。無線ネットワークにおけるバッファステータスレポートをトリガするための方法およびシステムを強化する必要がある。例示的な実施形態は、無線デバイスのバッファステータスレポートのトリガの際に、１つ以上のＴＴＩ／送信持続時間／数秘術に関する論理チャネルのマッピングおよび／または優先度（優先度）を採用し、スケジューリング効率ならびに無線デバイスおよび無線ネットワーク性能、例えば、スループットおよび遅延に関して向上させる。
【０１６２】
例示的な実施形態において、ＭＡＣエンティティは、アップリンクデータが第１の論理チャネルと関連付けられたアップリンクバッファを利用可能になったときに、バッファステータスレポート（ＢＳＲ）をトリガすることができ、第１の論理チャネルは、選択された１つ以上の論理チャネルのＴＴＩ／送信持続時間／数秘術に関する１つ以上の優先度よりも、１つ以上のＴＴＩ／送信持続時間／数秘術のＴＴＩ／送信持続時間／数秘術に関するより高い優先度を有し、その選択された１つ以上の論理チャネルは、その１つ以上の論理チャネルが少なくともＴＴＩ／送信持続時間／数秘術にマッピングされる場合に、選択されている。一例において、第１の論理チャネルと関連付けられたアップリンクバッファは、無線リンク制御（ＲＬＣ）エンティティと関連付けられたアップリンクバッファ、および／または、第１の論理チャネルと関連付けられたパケットデータコンバージェンスプロトコル（ＰＤＣＰ）エンティティであり得る。一例において、無線デバイスは、送信パラメータ（例えば、送信時間／リソース、ＭＣＳ、ＨＡＲＱパラメータ、パワー制御コマンド等）を含む基地局からのアップリンクグラントを受信することができる。一例において、無線デバイスは、グラントにより提供されたリソースを使用して、基地局にＢＳＲを送信することができる。一例において、アップリンクバッファは、アップリンクデータが利用可能になるときに、空になり得る。一例において、アップリンクバッファは、アップリンクデータが利用可能になるときに、１つ以上のアップリンクパケットを含むことができる。
【０１６３】
一例において、ＢＳＲは、複数の論理チャネルのバッファステータスを含むことができる。一例において、ＢＳＲは、複数の論理チャネルの１つ以上のグループのバッファステータスを含むことができる。一例において、ＢＳＲは、１つ以上の第１の論理チャネルのバッファステータス、および、複数の論理チャネルの１つ以上の第１のグループのバッファステータスを含むことができる。一例において、ＢＳＲは、１つ以上の第１のアプリケーションタイプ（例えば、ＵＲＬＬＣおよび／またはｍＭＴＣ）に対応する１つ以上の第１の論理チャネルのバッファステータス、および、１つ以上の第２のアプリケーションタイプ（例えば、ｅＭＢＢ）に対応する複数の論理チャネルの１つ以上の第１のグループのバッファステータスを含むことができる。一例において、基地局は、複数のＢＳＲフォーマットのうちの１つ以上を用いて無線デバイスを構成することができる。一例において、複数のＢＳＲフォーマットは、無線デバイスにおいて事前構成され得る。一例において、第１のＢＳＲフォーマットは、複数の論理チャネルのバッファステータスを含むことができる。一例において、第２のＢＳＲフォーマットは、複数の論理チャネルの１つ以上のグループのバッファステータスを含むことができる。一例において、第３のＢＳＲフォーマットは、１つ以上の第１の論理チャネルのバッファステータス、および、複数の論理チャネルの１つ以上の第１のグループのバッファステータスを含むことができる。
【０１６４】
一例において、ＢＳＲは、短いフォーマット、および長いフォーマット、および／または他のフォーマットのうちの１つとすることができる。一例において、ＢＳＲは、可変サイズを有することができる。一例において、ＢＳＲのサイズは、利用可能なデータを有する第１の数の論理チャネル、および／または利用可能なデータを有する第２の数の論理チャネルのうちの少なくとも１つに依存し得る。一例において、可変サイズＢＳＲフォーマットは、バッファステータスがＢＳＲ内に含まれる論理チャネル（複数可）および／または論理チャネルグループ（複数可）の表示を含むことができる。一例において、その表示は、１つ以上のビットマップであり得る。一例において、１つ以上のビットマップ内の１という値は、対応する論理チャネルおよび／または論理チャネルグループがＢＳＲに含まれていることを示すことができる。一例において、１つ以上のビットマップ内のゼロという値は、対応する論理チャネルおよび／または論理チャネルグループがＢＳＲに含まれていないことを示すことができる。一例において、可変サイズＢＳＲフォーマットは、長さフィールドを有さないＭＡＣサブヘッダ（例えば、長さ（Ｌ）フィールドを有さない固定サイズＭＡＣサブヘッダ）に対応することができ、ＢＳＲにＢＳＲサイズの表示（例えば、１つ以上のビットマップ、および／または他の表示）を含むことができる。一例において、可変サイズＢＳＲフォーマットは、長さフィールドを有するＭＡＣサブヘッダ（例えば、長さ（Ｌ）フィールドを有する可変サイズＭＡＣサブヘッダ）に対応することができる。一例において、Ｌフィールドは、バッファステータスがＢＳＲ内に含まれている論理チャネルおよび／または論理チャネルグループの数を示すことができる。一例において、Ｌフィールドは、ＢＳＲ内でオクテットの数を示すことができる。一例において、ＢＳＲは、１つ以上の論理チャネル識別子および／または１つ以上の論理チャネルグループ識別子、ならびに、１つ以上の論理チャネルおよび／または１つ以上の論理チャネルグループに対応するバッファステータスを含むことができる。
【０１６５】
例示的な実施形態において、無線デバイスは、複数の論理チャネルの各々に対する論理チャネル識別子を含む１つ以上のメッセージを受信することができ、複数の論理チャネルのうちの第１の論理チャネルは、複数の送信時間間隔（ＴＴＩ）／送信持続時間／数秘術のうちの１つ以上の送信時間間隔（ＴＴＩ）／送信持続時間／数秘術にマッピングされ、少なくとも１つの第１の論理チャネル優先度を割り当てられる。一例が、図１６に示されている。一例において、ＭＡＣエンティティは、アップリンクデータが第１の論理チャネルと関連付けられたアップリンクバッファに対して利用可能になったときにバッファステータスレポート（ＢＳＲ）をトリガすることができ、第１の論理チャネルは、選択された１つ以上の論理チャネルのＴＴＩ／送信持続時間／数秘術上の１つ以上の優先度よりも、１つ以上のＴＴＩ／送信持続時間／数秘術のうちのあるＴＴＩ／送信持続時間／数秘術に対するより高い優先度を有し、選択された１つ以上の論理チャネルは、１つ以上の論理チャネルが少なくともそのＴＴＩ／送信持続時間／数秘術にマッピングされた場合に、選択される。一例において、第１の論理チャネルと関連付けられたアップリンクバッファは、無線リンク制御（ＲＬＣ）エンティティと関連付けられたアップリンクバッファ、および／または、第１の論理チャネルと関連付けられたパケットデータコンバージェンスプロトコル（ＰＤＣＰ）エンティティであり得る。一例において、無線デバイスは、送信パラメータ（例えば、送信時間／リソース、ＭＣＳ、ＨＡＲＱパラメータ、パワー制御コマンド等）を含む基地局からのアップリンクグラントを受信することができる。一例において、無線デバイスは、グラントにより提供されたリソースを使用して、基地局にＢＳＲを送信することができる。一例において、アップリンクバッファは、アップリンクデータが利用可能になるときに、空になり得る。一例において、アップリンクバッファは、アップリンクデータが利用可能になるときに、１つ以上のアップリンクパケットを含むことができる。
【０１６６】
図１６の例１の場合、論理チャネルは、ある優先度を割り当てられ、そして１つ以上の送信持続時間にマッピングされる。一例において、データは、ＬＣ３と関連付けられたバッファで利用可能になる。ＬＣ３は、１つ以上の第１の送信持続時間、および１つ以上の第２の送信持続時間にマッピングされ得る。一例において、ＬＣ３は、１つ以上の第１の送信持続時間にマッピングされた他の論理チャネルよりも高い優先度を有することができる。一例において、ＬＣ３は、１つ以上の第１の送信持続時間にマッピングされた利用可能なデータを有する他の論理チャネルよりも高い優先度を有することができる。一例において、ＬＣ３は、１つ以上の第１の送信持続時間にマッピングされた利用可能なデータを有する他の論理チャネルよりも高い優先度を有することができるが、１つ以上の第２の送信持続時間にマッピングされた他の論理チャネルよりも高い優先度を有することができない。無線デバイスは、ＬＣ３に対して利用可能になるデータ、および、１つ以上の第１の送信持続時間にマッピングされた利用可能なを有する論理チャネルの優先度よりも高い優先度を有するＬＣ３に応答して、または、１つ以上の第２の送信持続時間にマッピングされた利用可能なデータを有する論理チャネルよりも高い優先度を有するＬＣ３に応答して、ＢＳＲをトリガすることができる。図１６の例２の場合、論理チャネルは、１つ以上のＴＴＩ／第１の送信持続時間／数秘術で優先度を有することができる。一例において、ＴＴＩ送信持続時間／数秘術に関する論理チャネル優先度ゼロは、論理チャネルがＴＴＩ／送信持続時間／数秘術にマッピングされていないこと示すことができる。論理チャネルは、論理チャネルがマッピングされている各ＴＴＩ／送信持続時間／数秘術（例えば、図１６では、第１のＴＴＩ（複数可）／送信持続時間（複数可）／数秘術（複数可）、および第２の第１のＴＴＩ（複数可）／送信持続時間（複数可）／数秘術（複数可））に優先度を有することができる。ＬＣ２およびＬＣ４がそれらの関連したバッファ内で利用可能なデータを有し、データがＬＣ３と関連付けられたバッファに対して利用可能になった場合、それが第１のＴＴＩ（複数可）／送信持続時間（複数可）／数秘術（複数可）でより高い（ただし、第２のＴＴＩ（複数可）／送信持続時間（複数可）／数秘術（複数可）では、高くない）優先度を有するため、無線デバイスは、ＢＳＲをトリガすることができる。
【０１６７】
例示的な実施形態において、無線デバイスは、１つ以上の送信時間間隔（ＴＴＩ）／送信持続時間／数秘術上の１つ以上の論理チャネルの優先度を示す１つ以上のフィールドを含む１つ以上のメッセージを受信することができる。一例において、ＴＴＩ／送信持続時間／数秘術上の論理チャネル優先度は、論理チャネルがＴＴＩ／送信持続時間／数秘術にマッピングされ得るか否かを示すことができる。一例において、論理チャネル優先度に対するゼロもしくはマイナス無限大の値、または負の値は、論理チャネルがＴＴＩ／送信持続時間／数秘術にマッピングされていないことを示すことができる。一例において、１つ以上のメッセージは、１つ以上の論理チャネルと１つ以上のＴＴＩ／送信持続時間／数秘術との間のマッピングを示す１つ以上のフィールドを含むことができる。一例において、ＭＡＣエンティティは、アップリンクデータが、論理チャネルと関連付けられたアップリンクバッファに対して、および少なくとも１つのＴＴＩ／送信持続時間／数秘術に対して利用可能になるときに、バッファステータスレポート（ＢＳＲ）をトリガすることができ、論理チャネルは、利用可能なデータを有する１つ以上の第１の論理チャネルの優先度よりも高い優先度を有する。一例において、論理チャネルと関連付けられたアップリンクバッファは、無線リンク制御（ＲＬＣ）エンティティと関連付けられたアップリンクバッファ、および／または、論理チャネルと関連付けられたパケットデータコンバージェンスプロトコル（ＰＤＣＰ）エンティティであり得る。一例において、無線デバイスは、送信パラメータ（例えば、送信時間／リソース、ＭＣＳ、ＨＡＲＱパラメータ、パワー制御コマンド等）を含む基地局からのアップリンクグラントを受信することができる。一例において、無線デバイスは、グラントにより提供されたリソースを使用して、基地局にＢＳＲを送信することができる。一例において、アップリンクバッファは、アップリンクデータが利用可能になるときに、空になり得る。一例において、アップリンクバッファは、アップリンクデータが利用可能になるときに、１つ以上のアップリンクパケットを含むことができる。
【０１６８】
例示的な実施形態において、無線デバイスは、１つ以上の送信時間間隔（ＴＴＩ）／送信持続時間／数秘術上の１つ以上の論理チャネルの優先度を示す１つ以上のフィールドを含む１つ以上のメッセージを受信することができる。一例において、ＴＴＩ／送信持続時間／数秘術上の論理チャネル優先度は、論理チャネルがＴＴＩ／送信持続時間／数秘術にマッピングされ得るか否かを示すことができる。一例において、論理チャネル優先度に対するゼロもしくはマイナス無限大の値、または負の値は、論理チャネルがＴＴＩ／送信持続時間／数秘術にマッピングされていないことを示すことができる。一例において、１つ以上のメッセージは、１つ以上の論理チャネルと１つ以上のＴＴＩ／送信持続時間／数秘術との間のマッピングを示す１つ以上のフィールドを含むことができる。一例において、ＭＡＣエンティティは、第１のＴＴＩ／送信持続時間／数秘術上の１つ以上の論理チャネルの優先度を考慮して、バッファステータスレポート（ＢＳＲ）をトリガすることができる。一例において、第１のＴＴＩ／送信持続時間／数秘術は、無線デバイスにおいて事前構成され得、かつ／またはデフォルトＴＴＩ／送信持続時間／数秘術であり得る。一例において、デフォルトＴＴＩ／送信持続時間／数秘術は、ＬＴＥ  ＴＴＩ／送信持続時間／数秘術であり得る。一例において、１つ以上のメッセージは、第１のＴＴＩ／送信持続時間／数秘術に対する構成パラメータを含むことができる。一例において、無線デバイスは、送信パラメータ（例えば、送信時間／リソース、ＭＣＳ、ＨＡＲＱパラメータ、パワー制御コマンド等）を含む基地局からのアップリンクグラントを受信することができる。一例において、無線デバイスは、グラントにより提供されたリソースを使用して、基地局にＢＳＲを送信することができる。
【０１６９】
例示的な実施形態において、無線デバイスは、１つ以上の論理チャネルの優先度を示す１つ以上のフィールドを含む１つ以上のメッセージを受信することができ、その優先度は、無線デバイスに対して構成された複数の送信時間間隔（ＴＴＩ）／送信持続時間／数秘術とは独立であり、例えば、論理チャネルは、複数のＴＴＩ／数秘術に対して１つの優先度を有することができる。一例において、ＭＡＣエンティティは、優先度を考慮するバッファステータスレポート（ＢＳＲ）をトリガすることができる。無線デバイスは、ＴＴＩ送信持続時間／数秘術上に送信するためのグラントを受信することができる。無線デバイスは、ＴＴＩ／送信持続時間／数秘術に関するＢＳＲを送信することができる。
【０１７０】
例示的な実施形態において、図１７Ａに示すように、無線デバイスは、複数の論理チャネルのための構成パラメータを受信することができる。複数の論理チャネルは、第１の論理チャネルを含む第１の複数の論理チャネルを含むことができる。一例において、第１の論理チャネルは、第１の論理チャネル優先度を有することができる。一例において、構成パラメータは、複数の論理チャネルに対する論理チャネル優先度を示すことができる。一例において、第１の論理チャネルは、１つ以上の第１の送信持続時間にマッピングされ得る。一例において、アップリンクデータは、第１の論理チャネルに対して利用可能になり得る。一例において、複数の論理チャネル内の第１の複数の論理チャネルは、それらの関連したバッファにアップリンクデータを有し得る。一例において、無線デバイスは、アップリンクデータを有する第１の複数の論理チャネルの第１の論理チャネルに利用可能となるアップリンクデータに応答して、バッファステータスレポートをトリガすることができ、第１の論理チャネル優先度は、１つ以上の選択された論理チャネルの１つ以上の優先度よりも高い。一例において、選択された論理チャネルは、１つ以上の送信持続時間にマッピングされることに応答して選択され得、第１の論理チャネルがマッピングされる。例えば、図１７Ａでは、論理チャネルＬＣ１、ＬＣ２、ＬＣ３、ＬＣ４、およびＬＣ５が、無線デバイスに対して構成され、それぞれ、優先度５、４、３、１、および２で構成されている。一例において、構成された優先度の値が大きいほど、優先度が低い。例えば、この例では、構成された優先度１を有するＬＣ４は、最も高い論理チャネル優先度を有し、構成された優先度５を有するＬＣ１は、最も低い論理チャネル優先度を有する。この例では、データは、ＬＣ３に対して利用可能になる。ＬＣ３は、１つ以上の第１の送信持続時間、および１つ以上の第２の送信持続時間にマッピングされ、アップリンクデータを有する論理チャネルは、ＬＣ１、ＬＣ３、およびＬＣ５である。ＬＣ３は、１つ以上の第１の送信持続時間にマッピングされているアップリンクデータを有する論理チャネルの中でより高い論理チャネル優先度を有する。無線デバイスは、バッファステータスレポートをトリガするが、ＬＣ３は、利用可能なデータを有する論理チャネルの中で最も高い優先度を有していない（例えば、ＬＣ３は、ＬＣ２よりも低い優先度を有する）。これに対して、すべての論理チャネルが、同じ送信持続時間にマッピングされている場合に（例えば、図１７Ｂに示すように）、ＬＣ３が送信持続時間にマッピングされているアップリンクデータを有する論理チャネルの中で最も高い優先度を有していないので、無線デバイスは、バッファステータスレポートをトリガしない。
【０１７１】
一例において、基地局は、複数の論理チャネルを１つの論理チャネルグループにグループ化することができる。例示的な構成において、少なくとも１つのＴＴＩ／送信持続時間／数秘術への論理チャネルマッピングは、論理チャネルグループ内の様々な論理チャネルと異なり得る。ＢＳＲは、様々なＴＴＩ／数秘術にマッピング可能なデータを要求またはバッファリングされるリソースに関する情報を提供し得ない。
【０１７２】
論理チャネルグループのバッファステータスに関する情報は、無線デバイスに対する適切なＴＴＩ／送信持続時間／数秘術にグラントを提供するために基地局に適格な情報を提供し得ない。図１８の例１の場合、論理チャネル１（ＬＣ１）およびＬＣ２が論理チャネルグループ（ＬＣＧ１）内にある場合、基地局は、ＬＣＧ１に対するＢＳＲによりレポートされたデータが、ＬＣ１と関連付けられたバッファ（複数可）のためかどうか、またはＬＣ２と関連付けられたバッファ（複数可）のためかどうかを知り得ない。ＢＳは、適切なＴＴＩ／送信持続時間／数秘術（例えば、第１のＴＴＩ（複数可）／送信持続時間（複数可）／数秘術（複数可）、または第２のＴＴＩ（複数可）／送信持続時間（複数可）／数秘術（複数可））のためのグラントを送信し得ない。例えば、ＬＣ２は、ＬＣ２と関連付けられたバッファにデータを有することができ、ＬＣ１は、ＬＣ１と関連付けられたバッファにデータを有し得ない。基地局は、第２のＴＴＩ（複数可）／送信持続時間（複数可）／数秘術（複数可）と関連付けられたグラントを送信することができるが、グラントは、ＬＣ２の送信には有効であり得ない。基地局および／または無線デバイス動作（例えば、バッファステータスレポーティングにおける）による論理チャネルグループ化の強化は、効率的なスケジューリング、および／またはユーザ性能の向上のために必要であり得る。例示的な実施形態は、基地局論理チャネルグループ化、および／または基地局論理チャネルグループ化に応答してバッファステータスレポーティングにおける無線デバイス動作を強化する。
【０１７３】
例示的な実施形態において、無線デバイスは、１つ以上の論理チャネルと１つ以上のＴＴＩ／送信持続時間／数秘術との間のマッピングを示す１つ以上の第１のフィールドを含む１つ以上のメッセージを受信することができる。一例において、１つ以上のメッセージは、１つ以上のＲＲＣメッセージを含むことができる。一例において、１つ以上のメッセージは、１つ以上の論理チャネルに対する構成パラメータを含むことができる。一例において、１つ以上のメッセージは、１つ以上の論理チャネルが属する１つ以上の論理チャネルグループを示す１つ以上の第２のフィールドを含むことができ、各論理チャネルグループは、１つ以上の第１の論理チャネルを含み、その１つ以上の第１の論理チャネルの各々は、１つ以上の第１のＴＴＩ／送信持続時間／数秘術にマッピングされるのみである。基地局は、グループ内の論理チャネルを同じ少なくとも１つのＴＴＩ／送信持続時間／数秘術にマッピングすることができる。例示的な実施形態において、ＢＳは、図１８の例１を構成するように構成可能／実現可能でなくてもよい。基地局は、図１８の例２を構成するように構成可能／実現可能であってもよい。
【０１７４】
一例において、ＭＡＣエンティティは、１つ以上の第１の条件が生じるときに、バッファステータスレポート（ＢＳＲ）をトリガすることができる。一例において、無線デバイスは、ＴＴＩ／送信持続時間／数秘術に関する送信のためのグラントを受信することができる。一例において、無線デバイスは、ＴＴＩ／送信持続時間／数秘術に関するＢＳＲを送信することができる。一例において、１つ以上の第１の条件は、論理チャネルグループに属する論理チャネルに対して利用可能になるデータを含むことができ、論理チャネルグループに属する１つ以上の他の論理チャネルは、空のバッファを有する。一例において、１つ以上の第１の条件は、利用可能なデータを有する他の論理チャネルの優先度よりも高い優先度（例えば、少なくとも１つのＴＴＩ／送信持続時間／数秘術で）を有する論理チャネルに対して利用可能になるデータを含むことができる。その１つ以上の第１の条件の他の例が、提供され得る。
【０１７５】
例示的な実施形態において、無線デバイスは、１つ以上の論理チャネルと１つ以上のＴＴＩ／送信持続時間／数秘術との間のマッピングを示す１つ以上の第１のフィールドを含む１つ以上のメッセージを受信することができる。一例において、１つ以上のメッセージは、１つ以上のＲＲＣメッセージを含むことができる。一例において、１つ以上のメッセージは、１つ以上の論理チャネルに対する構成パラメータを含むことができる。一例において、１つ以上のメッセージは、１つ以上の論理チャネルの各々に対する論理チャネル識別子を含むことができる。一例において、１つ以上のメッセージは、１つ以上の論理チャネルが属する１つ以上の論理チャネルグループを示す１つ以上の第２のフィールドを含むことができる。一例において、１つ以上のメッセージは、１つ以上の論理チャネルの１つ以上の第１の論理チャネルに対する論理チャネルグループ識別子を含むことができる。一例において、ＭＡＣエンティティは、１つ以上の第１の条件が生じるときに、バッファステータスレポート（ＢＳＲ）をトリガすることができる。例示的な実施形態において、図１８の例１の構成と同様の論理チャネル構成が、可能にされ得、かつ／または実施され得る。一例において、同じ論理チャネルグループ識別子を有する少なくとも２つの第１の論理チャネルは、異なる少なくとも１つの第１のＴＴＩ／送信持続時間数秘術にマッピングされ得る。一例において、無線デバイスは、ＢＳＲにおいて、少なくとも２つの第１の論理チャネルの各々のバッファステータスを別々にレポートすることができる。一例において、無線デバイスは、ＢＳＲにおいて、そのグループ内の各論理チャネルのバッファステータスを別々にレポートすることができる。一例において、無線デバイスは、ＴＴＩ／送信持続時間／数秘術に関する送信のためのグラントを受信することができる。一例において、無線デバイスは、ＴＴＩ／送信持続時間／数秘術に関するＢＳＲを送信することができる。一例において、１つ以上の第１の条件は、論理チャネルグループに属する論理チャネルに対して利用可能になるデータを含むことができ、論理チャネルグループに属する１つ以上の他の論理チャネルは、空のバッファを有する。一例において、１つ以上の第１の条件は、利用可能なデータを有する他の論理チャネルの優先度よりも高い優先度（例えば、少なくとも１つのＴＴＩ／送信持続時間／数秘術で）を有する論理チャネルに対して利用可能になるデータを含むことができる。その１つ以上の第１の条件の他の例が、提供され得る。
【０１７６】
一例において、１つ以上の論理チャネルに対するデータは、利用可能になり得、無線デバイスは、１つ以上の論理チャネルがマッピングされ得ないＴＴＩ／送信持続時間／数秘術に関してグラントを受信し続けることができる。無線デバイスは、１つ以上のアプリケーションに対して遅延および非効率的な動作につながる固有のグラント（例えば、１つ以上の論理チャネルがマッピングされ得るグランド）を受信し得ない。ＢＳＲのトリガリングの強化は、無線デバイスの性能を向上させるのに必要となる。例示的な実施形態が、無線デバイスにおけるＢＳＲトリガリング条件を強化する。
【０１７７】
例示的な実施形態において、無線デバイスは、１つ以上の論理チャネルと１つ以上のＴＴＩ／送信持続時間／数秘術との間のマッピングを示す１つ以上のフィールドを含む１つ以上のメッセージを受信することができる。一例において、無線デバイスは、ＴＴＩ／送信持続時間／数秘術に関する送信のためのグラントを受信することができる。無線デバイスは、ＴＴＩ／送信持続時間／数秘術にマッピングされている論理チャネル（複数可）と関係付けられたバッファ（複数可）にデータがない（例えば、バッファが空である、データの量がある値より小さい）ことに応答して、グラントを採用するＴＴＩ／送信持続時間／数秘術上にＢＳＲを送信／トリガすることができる。１つ以上の論理チャネルのうちの少なくとも１つは、ＴＴＩ／送信持続時間／数秘術にマッピングされていないデータを含むことができる。
【０１７８】
例示的な実施形態において、無線デバイスは、１つ以上の論理チャネルと１つ以上のＴＴＩ／送信持続時間／数秘術との間のマッピングを示す１つ以上のフィールドを含む１つ以上のメッセージを受信することができる。一例において、無線デバイスは、ＴＴＩ／送信持続時間／数秘術に関する送信のためのグラントを受信することができる。一例において、無線デバイスが、ＴＴＩ／送信持続時間／数秘術にマッピングされ得ない少なくとも１つの論理チャネル上にデータを有する場合、グラントの受信が、ＢＳＲをトリガする。
【０１７９】
例示的な実施形態において、無線デバイスは、１つ以上の論理チャネルと１つ以上のＴＴＩ／送信持続時間／数秘術との間のマッピングを示す１つ以上のフィールドを含む１つ以上のメッセージを受信することができる。一例において、１つ以上のメッセージは、タイマに対する構成パラメータを含むことができる。一例において、無線デバイスは、１つ以上の第１の論理チャネルのうちの少なくとも１つに対して利用可能となるデータに応答して、タイマを開始させることができる。無線デバイスは、タイマが実行している間にＢＳＲがトリガされた場合、タイマを中止することができる。無線デバイスは、タイマが満了したときに、ＢＳＲをトリガすることができる。一例において、１つ以上のメッセージは、１つ以上の第１の論理チャネルのための１つ以上の構成パラメータ、および／または１つ以上の第１の論理チャネルの表示を含むことができる。一例において、１つ以上の第１の論理チャネルは、１つ以上の遅延重要ベアラ（例えば、ＵＲＬＬＣ）と関連付けられ得る。無線デバイスは、ＴＴＩ／送信持続時間／数秘術に関してグラントを受信することができる。無線デバイスは、ＴＴＩ／送信持続時間／数秘術に関するＢＳＲを送信することができる。一例において、１つ以上の第１の論理チャネルがマッピングされているＴＴＩ／送信持続時間／数秘術上のアップリンクグラントを、無線デバイスが受信する場合、無線デバイスは、タイマを中止することができる。一例において、１つ以上の第１の論理チャネルがＢＳＲにマッピングされず、かつＢＳＲをトリガすることができるＴＴＩ／送信持続時間／数秘術上のアップリンクグラントを、無線デバイスが受信する場合、無線デバイスは、タイマを中止することができる。一例において、１つ以上の第１の論理チャネルがＢＳＲにマッピングされ、かつＢＳＲをトリガすることができるＴＴＩ／送信持続時間／数秘術に関するアップリンクグラントを、無線デバイスが受信する場合、無線デバイスは、タイマを中止することができる。一例において、無線デバイスが、１つ以上の第１の論理チャネルのうちの少なくとも１つがマッピングされているＴＴＩ／送信持続時間／数秘術に関するアップリンクグラントを受信する場合、無線デバイスは、タイマを中止することができる。一例において、１つ以上の第１の論理チャネルのうちの少なくとも１つがＢＳＲにマッピングされず、かつＢＳＲをトリガすることができるＴＴＩ／送信持続時間／数秘術に関するアップリンクグラントを、無線デバイスが受信する場合、無線デバイスは、タイマを中止することができる。一例において、１つ以上の第１の論理チャネルのうちの少なくとも１つがＢＳＲにマッピングされ、かつＢＳＲをトリガすることができるＴＴＩ／送信持続時間／数秘術に関するアップリンクグラントを、無線デバイスが受信する場合、無線デバイスは、タイマを中止することができる。１つ以上の第１の論理チャネルのうちの少なくとも１つ、および、タイマが実行している間にデータが利用可能になった１つ以上の第１の論理チャネルのうちの１つ以上の第２の論理チャネルがマッピングされているＴＴＩ／送信持続時間／数秘術に関して、無線デバイスがアップリンクグラントを受信する場合、無線デバイスは、タイマを中止することができる。１つ以上の第１の論理チャネルのうちの少なくとも１つ、および、タイマが実行している間にデータが利用可能になった１つ以上の第１の論理チャネルのうちの１つ以上の第２の論理チャネルがマッピングされず、かつＢＳＲをトリガすることができるＴＴＩ／送信持続時間／数秘術に関して、無線デバイスがアップリンクグラントを受信する場合、無線デバイスは、タイマを中止することができる。１つ以上の第１の論理チャネルのうちの少なくとも１つ、および、タイマが実行している間にデータが利用可能になった１つ以上の第１の論理チャネルのうちの１つ以上の第２の論理チャネルがマッピングされ、かつＢＳＲをトリガすることができるＴＴＩ／送信持続時間／数秘術に関して、無線デバイスがアップリンクグラントを受信する場合、無線デバイスは、タイマを中止することができる。一例において、無線デバイスは、無線デバイスがアップリンクグラントを受信する場合、タイマを中止することができる。一例において、無線デバイスは、無線デバイスがアップリンクグラントを受信し、かつＢＳＲをトリガすることができる場合、タイマを中止することができる。
【０１８０】
例示的な実施形態において、無線デバイスは、１つ以上の論理チャネルと１つ以上のＴＴＩ／送信持続時間／数秘術との間のマッピングを示す１つ以上のフィールドを含む１つ以上のメッセージを受信することができる。一例において、１つ以上のメッセージは、カウンタのための構成パラメータを含むことができる。一例において、無線デバイスが１つ以上の第１の論理チャネルのうちの少なくとも１つで利用可能なデータを有し、無線デバイスがＴＴＩ／送信持続時間／数秘術上でアップリンクグラントを受信する場合、無線デバイスは、カウンタをインクリメントすることができ、１つ以上の第１の論理チャネルは、ＴＴＩ／送信持続時間／数秘術にマッピングされない。一例において、無線デバイスは、カウンタが第１の値に到達したとき、ＢＳＲをトリガすることができ、カウンタをリセットすることができる。一例において、無線デバイスは、ＢＳＲがトリガされるとき、カウンタをリセットすることができる。一例において、１つ以上のメッセージは、１つ以上の第１の論理チャネルのための１つ以上の構成パラメータ、および／または１つ以上の第１の論理チャネルの表示を含むことができる。一例において、１つ以上の第１の論理チャネルは、１つ以上の遅延重要ベアラ（例えば、ＵＲＬＬＣ）と関連付けられ得る。無線デバイスは、ＴＴＩ／送信持続時間／数秘術に関してグラントを受信することができる。無線デバイスは、ＴＴＩ／送信持続時間／数秘術に関するＢＳＲを送信することができる。時間／数秘術に関して、無線デバイスがアップリンクグラントを受信する場合、無線デバイスは、カウンタをリセットすることができる。一例において、無線デバイスが、１つ以上の第１の論理チャネルがマッピングされ、かつＢＳＲをトリガすることができるＴＴＩ／送信持続時間／数秘術に関するアップリンクグラントを受信する場合、無線デバイスは、カウンタをリセットすることができる。一例において、無線デバイスが、１つ以上の第１の論理チャネルのうちの少なくとも１つがマッピングされているＴＴＩ／送信持続時間／数秘術に関するアップリンクグラントを受信する場合、無線デバイスは、カウンタをリセットすることができる。一例において、無線デバイスが、１つ以上の第１の論理チャネルのうちの少なくとも１つがマッピングされ、かつＢＳＲをトリガすることができるＴＴＩ／送信持続時間／数秘術に関するアップリンクグラントを受信することができる場合、無線デバイスは、カウンタをリセットすることができる。一例において、１つ以上の第１の論理チャネルのうちの少なくとも１つ、および、カウンタが第１の値に到達する前にデータが利用可能になる、１つ以上の第１の論理チャネルのうちの１つ以上の第２の論理チャネルがマッピングされるＴＴＩ／送信持続時間／数秘術に関して、無線デバイスがアップリンクグラントを受信する場合、無線デバイスは、カウンタをリセットすることができる。一例において、１つ以上の第１の論理チャネルのうちの少なくとも１つ、および、カウンタが第１の値に到達する前にデータが利用可能になる、１つ以上の第１の論理チャネルのうちの１つ以上の第２の論理チャネルがマッピングされ、かつＢＳＲをトリガすることができるＴＴＩ／送信持続時間／数秘術に関して、無線デバイスがアップリンクグラントを受信する場合、無線デバイスは、カウンタをリセットすることができる。
【０１８１】
一例において、無線デバイスは、１つ以上の判定基準が満たされる場合、第１のタイプＢＳＲ（例えば、パディング／切り捨てられた、ＢＳＲ）をトリガ／送信することができる。一例において、無線デバイスは、１つ以上の判定基準が満たされる場合、パディングを送信せずに、第１のタイプＢＳＲを送信することができる。一例において、無線デバイスは、第１のタイプＢＳＲを送信するときに、論理チャネル／論理チャネルグループの優先度を考慮することができる。論理チャネルは、１つ以上のＴＴＩ／送信持続時間／数秘術に関する１つ以上の優先度を有することができる。ＢＳＲの効率的な送信が、基地局スケジューリング、および無線デバイスの性能の向上に必要とされている。第１のタイプＢＳＲフォーマットの強化は、ＴＴＩ／送信持続時間／数秘術に関する論理チャネルの優先度を考慮に入れる必要がある。例示的な実施形態は、第１のタイプＢＳＲフォーマットを強化する。
【０１８２】
例示的な実施形態において、無線デバイスは、１つ以上の送信時間間隔（ＴＴＩ）／送信持続時間／数秘術上の１つ以上の論理チャネルの優先度を示す１つ以上のフィールドを含む１つ以上のメッセージを受信することができる。無線デバイスは、第１のＴＴＩ／送信持続時間／数秘術に関するグラントを受信することができる。無線デバイスは、１つ以上の判定基準が満たされるとき、第１のタイプのバッファステータスレポート（ＢＳＲ）をトリガすることができる。無線デバイスは、ＢＳＲを生成し得、第１のＴＴＩ／送信持続時間／数秘術に関するＢＳＲを送信することができる。一例において、ＢＳＲは、第１のＴＴＩ／送信持続時間／数秘術で送信するために利用可能なデータを有する最も高い論理チャネル優先度を含む論理チャネルおよび／または論理チャネルグループのバッファステータスを含むことができる。
【０１８３】
例示的な実施形態において、無線デバイスは、１つ以上の送信時間間隔（ＴＴＩ）／送信持続時間／数秘術上の１つ以上の論理チャネルの優先度を示す１つ以上のフィールドを含む１つ以上のメッセージを受信することができる。無線デバイスは、第１のＴＴＩ／送信持続時間／数秘術に関するグラントを受信することができる。無線デバイスは、１つ以上の判定基準が満たされるとき、第１のタイプのバッファステータスレポート（ＢＳＲ）をトリガすることができる。無線デバイスは、ＢＳＲを生成し得、第１のＴＴＩ／送信持続時間／数秘術に関するＢＳＲを送信することができる。一例において、ＢＳＲは、第２のＴＴＩ／送信持続時間／数秘術で送信するために利用可能なデータを有する最も高い論理チャネル優先度を含む論理チャネルおよび／または論理チャネルグループのバッファステータスを含むことができる。一例において、第２のＴＴＩ／送信／数秘術は、デフォルト／事前構成ＴＴＩ／送信持続時間／数秘術とすることができる。一例において、第２のＴＴＩ／送信／数秘術は、無線デバイスにおいて構成され得る。一例において、１つ以上のメッセージは、第２のＴＴＩ／送信持続時間／数秘術のための構成パラメータを表示し、かつ／または１つ以上の第１のフィールドを含むことができる。一例において、ＢＳＲは、１つ以上の第３のＴＴＩ／送信持続時間／数秘術の各々で送信するために利用可能なデータを有する最も高い論理チャネル優先度を含む論理チャネルおよび／または論理チャネルグループのバッファステータスを含むことができる。一例において、第３のＴＴＩ／送信持続時間／数秘術は、無線デバイスにおいて事前構成され得、かつ／または無線デバイスに示される。
【０１８４】
一例において、１つ以上の第１の判定基準は、送信に利用可能なデータを有する２つ以上の論理チャネルおよび／または論理チャネルグループ、ならびに、短いＢＳＲ  ＭＡＣ制御エレメント（ＭＡＣ  ＣＥ）に、対応するサブヘッダを加えたサイズと同じかまたはそれよりも大きい数のパディングビット、および、長いＢＳＲ  ＭＡＣ  ＣＥに、対応するサブヘッダを加えたサイズよりも小さい数のパディングビットを含むことができる。１つ以上の第１の判定基準の他の例が提供され得る。
【０１８５】
ＮＲ無線アクセスネットワークでは、基地局は、無線デバイスに対して複数の論理チャネルおよび／または論理チャネルグループを構成し得る。無線デバイスは、１つ以上の論理チャネルおよび／または論理チャネルグループと関連付けられたバッファのレポートステータスにＢＳＲを送信することができる。ＬＴＥにおけるＢＳＲフォーマットは、短い／切り捨てられたフォーマット、および長いフォーマットを含む。ＬＴＥの短い／切り捨てられたＢＳＲフォーマットは、単一論理チャネルグループのバッファステータスを含む。ＬＴＥの長いＢＳＲフォーマットは、すべての論理チャネルグループ（ＬＴＥでは、４つの論理チャネルグループ）のバッファステータスを含む。ＬＴＥのバッファステータスレポーティングでのフレキシブル性は十分ではない。例えば、ＬＴＥにおけるＢＳＲは、１つまたは４つの論理チャネルグループを含む。さらに、切り捨てられたＢＳＲレポーティングの場合、パディングビット数が、２つ以上の論理チャネルグループのバッファステータスを含むのに十分大きい場合であっても、無線デバイスは、１つの論理チャネルグループのバッファステータスをレポートする。ＮＲでは、論理チャネルおよび／または論理チャネルグループの数は、増加し得、ＢＳＲレポーティングでのさらなるフレキシブル性が、基地局スケジューリングおよび無線デバイス性能の向上に必要である。例示的な実施形態は、無線デバイスによるよりフレキシブルなバッファステータスレポーティングのためのＢＳＲフォーマットを改善する。
【０１８６】
一例において、ＢＳＲは、短いフォーマット、および長いフォーマット、および／または他のフォーマットのうちの１つとすることができる。一例において、ＢＳＲは、可変サイズを有することができる。一例において、ＢＳＲのサイズは、利用可能なデータを有する、第１の数の論理チャネルのうちの少なくとも１つに依存し得る。一例において、可変サイズＢＳＲフォーマットは、バッファステータスがＢＳＲ内に含まれる論理チャネル（複数可）の表示を含み得る。一例において、その表示は、１つ以上のビットマップとすることができる。一例において、１つ以上のビットマップ内で１という値は、対応する論理チャネルがＢＳＲ内に含まれていることを示し得る。一例において、１つ以上のビットマップ内でゼロという値は、対応する論理チャネルがＢＳＲ内に含まれていないことを示し得る。ビットマップ表示を有する例示的な可変サイズＢＳＲは、図１９に例示されている。
【０１８７】
一例において、ＢＳＲは、短いフォーマット、および長いフォーマット、および／または他のフォーマットのうちの１つとすることができる。一例において、ＢＳＲは、可変サイズを有することができる。一例において、ＢＳＲのサイズは、利用可能なデータを有する、第２の数の論理チャネルグループに依存し得る。一例において、可変サイズＢＳＲフォーマットは、バッファステータスがＢＳＲ内に含まれている論理チャネルグループ（複数可）の表示を含み得る。一例において、その表示は、１つ以上のビットマップとすることができる。一例において、１つ以上のビットマップ内の１という値は、対応する論理チャネルグループがＢＳＲ内に含まれていることを示し得る。一例において、１つ以上のビットマップ内のゼロという値は、対応する論理チャネルグループがＢＳＲ内に含まれていないことを示し得る。ビットマップ表示を有する例示的な可変サイズＢＳＲは、図１９に例示されている。
【０１８８】
一例において、可変サイズＢＳＲフォーマットは、長さフィールドを有さないＭＡＣサブヘッダ（例えば、長さ（Ｌ）フィールドを有さない固定サイズＭＡＣサブヘッダ）に対応することができ、ＢＳＲにＢＳＲサイズの表示（例えば、１つ以上のビットマップ、および／または他の表示）を含むことができる。一例において、可変サイズＢＳＲフォーマットは、長さフィールドを有するＭＡＣサブヘッダ（例えば、長さ（Ｌ）フィールドを有する可変サイズＭＡＣサブヘッダ）に対応することができる。一例において、Ｌフィールドは、バッファステータスがＢＳＲ内に含まれている論理チャネルおよび／または論理チャネルグループの数を示すことができる。一例において、Ｌフィールドは、ＢＳＲ内でオクテットの数を示すことができる。一例において、ＢＳＲは、１つ以上の論理チャネル識別子および／または１つ以上の論理チャネルグループ識別子、ならびに、１つ以上の論理チャネルおよび／または１つ以上の論理チャネルグループに対応するバッファステータスを含むことができる。例示的な実施形態において、ＢＳＲ長は、ＢＳＲ内に示され得る。一例において、第１のフィールド（例えば、ＢＳＲの最初の部分）は、ＢＳＲの長さを示し得る。一例において、ＢＳＲの長さは、ＢＳＲ内のオクテット数を単位とし得る。一例において、ＢＳＲの長さは、バッファステータスがＢＳＲ内に含まれている論理チャネル（複数可）および／または論理チャネルグループ（複数可）の数を単位とし得る。例示的な可変サイズＢＳＲフォーマットが図２０に示されている。
【０１８９】
例示的な実施形態において、第１のタイプＢＳＲ（例えば、切り捨てられたＢＳＲ）がトリガされた場合、ＵＥは、可変サイズＢＳＲを送信し得る。一例において、無線デバイスは、１つ以上の送信時間間隔（ＴＴＩ）／送信持続時間／数秘術に関する１つ以上の論理チャネルの優先度を示す１つ以上のフィールドを含む１つ以上のメッセージを受信し得る。無線デバイスは、第１のＴＴＩ／送信持続時間／数秘術に関するグラントを受信することができる。無線デバイスは、１つ以上の判定基準が満たされるときに、第１のタイプのバッファステータスレポート（ＢＳＲ）をトリガし得る。無線デバイスは、可変サイズＢＳＲを生成し得、第１のＴＴＩ／送信持続時間／数秘術に関する可変サイズＢＳＲを送信し得る。一例において、可変サイズＢＳＲは、第１のＴＴＩ／送信持続時間／数秘術に関する送信のために利用可能なデータを有するｋ個の最も高い論理チャネル優先度を含むｋ個の論理チャネルおよび／または論理チャネルグループのバッファステータスを含み得、ここで、ｋは、グラント中のパディングビットおよび／またはレフトオーバービットの数に依存し得る（例えば、ｋ＝１、２、…）。
【０１９０】
例示的な実施形態において、無線デバイスは、１つ以上の送信時間間隔（ＴＴＩ）／送信持続時間／数秘術上の１つ以上の論理チャネルの優先度を示す１つ以上のフィールドを含む１つ以上のメッセージを受信することができる。無線デバイスは、第１のＴＴＩ／送信持続時間／数秘術に関するグラントを受信することができる。無線デバイスは、１つ以上の判定基準が満たされたときに、第１のタイプ（例えば、切り捨てられたＢＳＲ）のバッファステータスレポート（ＢＳＲ）をトリガし得る。一例において、１つ以上の判定基準は、送信に利用可能なデータを有する２つ以上の論理チャネルおよび／または論理チャネルグループ、ならびに、短いＢＳＲ  ＭＡＣ制御エレメント（ＭＡＣ  ＣＥ）に、対応するサブヘッダを加えたサイズと同じかまたはそれよりも大きい数のパディングビット、および、長いＢＳＲ  ＭＡＣ  ＣＥに、対応するサブヘッダを加えたサイズよりも小さい数のパディングビットを含むことができる。無線デバイスは、可変サイズＢＳＲを生成し得、第１のＴＴＩ／送信持続時間／数秘術に関する可変サイズＢＳＲを送信し得る。一例において、ＢＳＲは、第２のＴＴＩ／送信持続時間／数秘術に関する送信のために利用可能なデータを有するｋ個の最も高い論理チャネル優先度を含むｋ個の論理チャネルおよび／または論理チャネルグループのバッファステータスを含み得、ここで、ｋは、グラント中のパディングビットおよび／またはレフトオーバービットの数に依存し得る（例えば、ｋ＝１、２、…）。一例において、第２のＴＴＩ／送信持続時間／数秘術は、デフォルト／事前構成ＴＴＩ／送信持続時間／数秘術とすることができる。一例において、第２のＴＴＩ／送信持続時間／数秘術は、無線デバイスにおいて構成され得る。一例において、１つ以上のメッセージは、第２のＴＴＩ／送信持続時間／数秘術のための構成パラメータを表示し、かつ／または１つ以上の第１のフィールドを含むことができる。一例において、可変サイズＢＳＲは、１つ以上の第３のＴＴＩ／送信持続時間／数秘術の各々に関する送信のために利用可能なデータを有するｋ個の最も高い論理チャネル優先度を含むｋ個の論理チャネルおよび／または論理チャネルグループのバッファステータスを含み得、ここで、ｋは、グラント中のパディングビットおよび／またはレフトオーバービットの数に依存し得る（例えば、ｋ＝１、２、…）。一例において、第３のＴＴＩ／送信持続時間／数秘術は、無線デバイスにおいて事前構成され得、かつ／または無線デバイスに表示される。
【０１９１】
例示的な実施形態において、図２１に示すように、無線デバイスは、複数の論理チャネルに対する構成パラメータを受信し得る。複数の論理チャネルは、複数の論理チャネルグループにグループ化され得る。一例において、構成パラメータは、複数の論理チャネルグループ内の論理チャネルグループに属する複数の論理チャネル内の論理チャネルを示し得る。一例において、無線デバイスは、パディングＢＳＲをトリガし得る。一例において、無線デバイスは、無線デバイスがアップリンクグラントのリソースを割り当てるときに、パディングＢＳＲをトリガし得、パディングビット数は、バッファステータスレポートＭＡＣ  ＣＥ（例えば、短いＢＳＲ）にそのサブヘッダを加えたサイズよりも大きい。一例において、無線デバイスは、パディングＢＳＲをトリガすることに応答して、切り捨てられたＢＳＲを送信し得、パディングビット数は、短いＢＳＲにそのサブヘッダを加えたサイズよりも大きいが、長いＢＳＲにそのサブヘッダを加えたサイズよりも小さい。
【０１９２】
一例において、切り捨てられたＢＳＲは、複数の存在ビットを含む第１のフィールドを含む。第１のビットは、１個のオクテット（例えば、８個の存在ビット）を含み得る。一例において、複数の存在ビット中の１つの存在ビットは、１つの論理チャネルグループに対応し得る。一例において、複数の存在ビット中の存在ビットの位置は、対応する論理チャネルグループのインデックスを示し得る。一例において、存在ビットは、切り捨てられたＢＳＲが、存在ビット、に対応する論理チャネルグループに対するバッファサイズを含むかどうかを示す。一例において、存在ビットは、存在ビットに対応する論理チャネルグループのためのバッファサイズフィールドが、切り捨てられたＢＳＲに存在するか否かを示す。バッファサイズフィールドは、存在ビットに対応する論理チャネルグループの論理チャネルを通じて利用可能なデータ量を示し得る。
【０１９３】
一例において、切り捨てられたＢＳＲ内にバッファサイズフィールドの第１の数が存在し得る。一例において、バッファサイズフィールドの第１の数は、優先度の減少順に従って送信するための利用可能なデータを有する論理チャネルを有する複数の論理チャネルグループのうちの論理チャネルグループに対し得る。一例において、その第１の数は、パディングビット数に基づき得る。
【０１９４】
図２１の例の場合、パディングビット数は、３つの論理チャネルグループに対応する３つのバッファサイズフィールドの送信を可能にし得る。この例では、論理チャネルグループＬＣＧｋ、論理チャネルグループＬＣＧｍ、および論理チャネルグループＬＣＧｌは、それぞれ、最も高い優先度を有する論理チャネル、第２に最も高い優先度を有する論理チャネル、第３に最も高い論理チャネルを含む。切り捨てられたＢＳＲは、ＬＣＧｋ、ＬＣＧｍ、およびＬＣＧｌのためのバッファサイズフィールドを含み得、第１のフィールド内の対応する存在ビットは、１の値を示し得る。無線デバイスは、切り捨てられたＢＳＲを送信し得、バッファステータスレポートを送信することに応答して、アップリンクグラントを受信し得る。アップリンクグラントは、ダウンリンク制御情報を介して受信され得、１つ以上のトランスポートブロックの送信のための送信パラメータを含み得る。送信パラメータは、リソース割り当てパラメータ、ＨＡＲＱ関連パラメータ、パワー制御パラメータ等を含み得る。無線デバイスは、アップリンクグラントに基づいて１つ以上のトランスポートブロックを送信し得る。
【０１９５】
例示的な実施形態において、図２２に示すように、一連の存在ビットを含む第１のフィールドの第１の存在ビット（例えば、Ｂｉ）は、第１の位置（例えば、位置ｉ）を示し得る。第１の位置（位置ｉ）は、複数の論理チャネルグループ（例えば、ＬＣＧｉ）内の第１の論理チャネルグループを識別し得る。一例において、Ｂｉの値は、ＬＣＧｉに対する対応するバッファサイズフィールドが、切り捨てられたＢＳＲ内に存在するか否かを示し得る。一例において、Ｂｉに対して１という値は、対応するバッファサイズフィールドが、ＬＣＧｉに対して存在することを示し得る。一例において、Ｂｉに対してゼロという値は、対応するバッファサイズフィールドが、ＬＣＧｉに対して存在しないことを示し得る。
【０１９６】
バッファステータスレポーティングプロシージャの堅牢性を向上させるため、無線デバイスは、１つ以上の条件に応答して開始するタイマを用いて構成され得る。１つ以上の条件は、新しいデータの送信のためにＢＳＲを送信すること、またはアップリンクグラントを受信することを含み得る。無線デバイスは、タイマが満了することに応答して、バッファステータスレポートをトリガし得る。このプロセスは、ＢＳＲが十分頻繁に送信され、その結果、基地局が無線デバイスの利用可能なデータに関する十分な情報を有し、無線デバイスを効率的にスケジュールすることができることを確実にする。従来のタイマ管理プロシージャは、新しいデータの送信のためのアップリンクグラントの受信に応答して、タイマを再開始させることを含む。しかしながら、従来のＬＴＥ無線アクセスネットワークとは異なり、ＮＲ無線アクセスネットワークにおけるアップリンクグラントは、任意のデータの送信には有効であり得ない。ＮＲでのアップリンクグラントは、無線デバイスのデータ／論理チャネルのサブセットの送信に有効であり得る。従来のプロシージャは、頻繁なタイマの再開始、およびそれほど頻繁でないＢＳＲの送信をもたらし得る。従来のプロシージャは、ＢＳＲ送信の頻度の低下をもたらし、したがって、基地局は、無線デバイスの効率的なスケジューリングの十分な情報が不足し得る。従来のタイマ管理プロシージャは、スループット、遅延、および他の性能測定に関する無線デバイスおよびネットワーク性能の低下を引き起こしている。例、実施形態は、タイマを管理するためのプロセスを強化することによって、従来のバッファステータスレポーティングプロシージャを向上させる。
【０１９７】
例示的な実施形態において、基地局は、第１のタイマ（例えば、ｒｅｔｘＢＳＲタイマ）を有する無線デバイスを（例えば、準静的／ＲＲＣ構成、および／または動的シグナリングを用いて）構成し得る。一例において、無線デバイスは、ＭＡＣエンティティがバッファステータスレポート（例えば、ＢＳＲ  ＭＡＣ  ＣＥ）の生成を命令する場合／ときに、第１のタイマを開始または再開始させ得る。一例において、無線デバイスは、ＭＡＣエンティティが、パディングＢＳＲを除いて、バッファステータスレポート（例えば、ＢＳＲ  ＭＡＣ  ＣＥ）の生成を命令する場合／ときに、第１のタイマを開始または再開始させ得る。一例において、無線デバイスは、ＭＡＣエンティティが、パディングＢＳＲまたは切り捨てられたＢＳＲを除いて、バッファステータスレポート（例えば、ＢＳＲ  ＭＡＣ  ＣＥ）の生成を命令する場合／ときに、第１のタイマを開始または再開始させ得る。一例において、無線デバイスは、１つ以上のグラントを表示する際に第１のタイマを開始または再開始させ得、その１つ以上のグラントは、新しいデータの送信のリソースを提供し（例えば、任意のＵＬ−ＳＣＨで）、利用可能なデータを有する論理チャネルは、１つ以上のグラントに示されたＴＴＩ／送信持続時間／数秘術／セルにマッピングされ得る。一例において、１つ以上のグラントは、時間ウィンドウの間、受信され得る。一例において、時間ウィンドウは、構成可能であり得る（例えば、ＲＲＣ構成を用いて）。一例において、１つ以上のグラントは、ｎ個のサブフレーム（例えば、ｎ＝１、２、…）間で受信され得る。一例において、ｎの値は、無線デバイスに示され得る（例えば、ＲＲＣおよび／または動的シグナリングを用いて）。一例において、ＭＡＣエンティティは、第１のタイマが満了したときに、ＢＳＲをトリガし得る。
【０１９８】
例示的な実施形態において、基地局は、１つ以上の第１のタイマを有する無線デバイスを構成し得る（例えば、準静的／ＲＲＣ構成、および／または動的シグナリングを用いて）。一例において、基地局は、複数の論理チャネルおよび／または論理チャネルグループに対して１つ以上の第１のタイマを構成し得る。一例において、基地局は、論理チャネルおよび／または論理チャネルグループ毎にタイマを構成し得る。一例において、基地局は、１つ以上の第１の論理チャネル、および１つ以上の第２の論理チャネルグループに対して１つ以上の第１のタイマを構成し得る。無線デバイスは、ＭＡＣエンティティがバッファステータスレポートの生成（例えば、ＢＳＲ  ＭＡＣ  ＣＥ）を命令する場合／ときに、１つ以上の第１のタイマを開始または再開始させ得る。一例において、無線デバイスは、ＭＡＣエンティティが、１つ以上のタイマに対応する１つ以上の論理チャネルおよび／または論理チャネルグループを含むバッファステータスレポートの生成（例えば、ＢＳＲ  ＭＡＣ  ＣＥ）を命令する場合／ときに、１つ以上の第１のタイマを開始または再開始させ得る。一例において、無線デバイスは、ＭＡＣエンティティが、パディングＢＳＲまたは切り捨てられたＢＳＲを除いて、バッファステータスレポートの生成（例えば、ＢＳＲ  ＭＡＣ  ＣＥ）を命令する場合／ときに、１つ以上の第１のタイマを開始または再開始させ得る。一例において、無線デバイスは、ＭＡＣエンティティが、パディングＢＳＲまたは切り捨てられたＢＳＲを除いて、１つ以上のタイマに対応する１つ以上の論理チャネルおよび／または論理チャネルグループを含むバッファステータスレポートの生成（例えば、ＢＳＲ  ＭＡＣ  ＣＥ）を命令する場合／ときに、１つ以上の第１のタイマのうちの１つ以上のタイマを開始または再開始させ得る。一例において、無線デバイスが論理チャネルおよび／または論理チャネルグループと関連付けられたグラントを受信したときに、論理チャネルおよび／または論理チャネルグループと関連付けられたタイマが、開始または再開始され得る。一例において、少なくとも１つの論理チャネルおよび／または論理チャネルグループと関連付けられたタイマが満了したときに、少なくとも１つの論理チャネルおよび／または論理チャネルグループに対するＢＳＲが、トリガされ得る。一例において、少なくとも１つの論理チャネルおよび／または論理チャネルグループと関連付けられたタイマが満了したときに、すべての論理チャネルおよび／または論理チャネルグループに対するＢＳＲが、トリガされ得る。
【０１９９】
例示的な実施形態において、図２３に示すように、無線デバイスは、構成パラメータを含む１つ以上のメッセージを受信し得る。一例において、この構成パラメータは、複数の論理チャネルに対する論理チャネル構成パラメータであり得る。一例において、構成パラメータは、１つ以上の論理チャネルの論理チャネルが少なくとも１つの第１の送信持続時間にマッピングされていることを示す１つ以上の論理チャネルの第１のパラメータを含み得る。一例において、構成パラメータは、バッファステータスレポートタイマの第１の値を示す第２のパラメータを含み得る。一例において、バッファステータスレポートタイマは、ｒｅｔｘＢＳＲタイマとすることができる。
【０２００】
一例において、無線デバイスは、第２の送信持続時間と関連付けられた少なくとも１つのアップリンクグラントを受信することに応答して、第１の値を有するバッファステータスレポートタイマを開始させ得、１つ以上の論理チャネルのデータを有する少なくとも１つの論理チャネルは、少なくとも１つのアップリンクグラントが関連付けられている第２の送信持続時間にマッピングされている。一例において、無線デバイスは、第２の送信持続時間と関連付けられた少なくとも１つのアップリンクグラントを受信することに応答して、第１の値を有するバッファステータスレポートタイマを開始させ得、１つ以上の論理チャネルのデータを有する論理チャネルは、少なくとも１つのアップリンクグラントが関連付けられている第２の送信持続時間にマッピングされている。
【０２０１】
無線デバイスは、バッファステータスレポートタイマが満了することに応答して、バッファステータスレポートを送信することができる。一例において、無線デバイスは、第２の送信持続時間と関連付けられた少なくとも１つのアップリンクグラントを受信すること、および１つ以上の論理チャネルのデータを有する論理チャネルのいずれもが少なくとも１つのアップリンクグラントの関連付けられた第２の送信持続時間にマッピングされていないことに応答して、バッファステータスレポートタイマの実行を続けることができる（例えば、バッファステータスレポートタイマを開始させない）。
【０２０２】
様々な実施形態によれば、例えば、無線デバイス、オフネットワーク無線デバイス、基地局、および／または同様のものなどのデバイスは、１つ以上のプロセッサおよびメモリを含み得る。メモリは、１つ以上のプロセッサによって実行されると、デバイスに一連の動作を実行させる命令を記憶することができる。例示的な動作の実施形態は、添付の図面および明細書に示されている。様々な実施形態からの特徴を組み合わせてさらに別の実施形態を作り出すことができる。
【０２０３】
図２４は、本開示の一実施形態の一局面による例示的な流れ図である。２４１０において、無線デバイスは、複数の論理チャネルの構成パラメータを受信し得る。複数の論理チャネルは、複数の論理チャネルグループにグループ化され得る。複数の論理チャネルグループは、第１の論理チャネルグループを含み得る。２４２０において、パディングバッファステータスレポート（ＢＳＲ）は、トリガされ得る。２４３０において、切り捨てられたＢＳＲは、パディングＢＳＲをトリガすること、および、パディングビット数が１つ以上の判定基準を満たすことに応答して、送信され得る。１つ以上の判定基準は、例えば、短いＢＳＲに短いＢＳＲサブヘッダを加えたサイズよりも大きい、長いＢＳＲに長いＢＳＲサブヘッダを加えたサイズよりも小さい、これらの組み合わせ、および／または同様のものであるパディングビット数を含み得る。切り捨てられたＢＳＲは、複数の存在ビットを構成する第１のフィールドを含み得る。複数の存在ビット内の１つの存在ビットは、その存在ビットに対応する第１の論理チャネルグループに対するバッファサイズフィールドの存在を示し得る。バッファサイズフィールドは、第１の論理チャネルグループの論理チャネルにわたって利用可能なデータ量を示し得る。切り捨てられたＢＳＲは、優先度の減少順に従って送信するための利用可能なデータを有する論理チャネルを有する複数の論理チャネルグループのうちの論理チャネルグループに対する第１の数のバッファサイズフィールドを含み得る。第１の数は、パディングビット数に基づいて決定され得る。
【０２０４】
実施形態によれば、構成パラメータは、複数の論理チャネル内の１つの論理チャネルに対する優先度を示し得る。実施形態によれば、アップリンクリソース割り当てを示すアップリンクグラントを構成するダウンリンク制御情報が受信され得る。実施形態によれば、パディングビット数は、少なくともアップリンクグラントのサイズに基づき得る。実施形態によれば、切り捨てられたＢＳＲは、論理チャネル識別子および長さフィールドを含む媒体アクセス制御サブヘッダと関連付けられ得る。長さフィールドは、切り捨てられたＢＳＲの長さを示し得る。実施形態によれば、バッファサイズフィールドの第１の数は、パディングビットに適合する切り捨てられたＢＳＲのサイズに基づいて決定され得る。実施形態によれば、切り捨てられたＢＳＲのサイズは、第１の数のバッファサイズフィールドに依存し得る。実施形態によれば、第１のフィールドの第１の存在ビットの第１の位置は、論理チャネル識別子を識別し得る。実施形態によれば、第１の存在ビットに対する１という第１の値は、第１の存在ビットに対応する第１の論理チャネルグループに対するバッファサイズフィールドが存在することを示し得、第１の存在ビットに対するゼロという第２の値は、第１の存在ビットに対応する第１の論理チャネルグループに対するバッファサイズフィールドが存在しないことを示し得る。実施形態によれば、切り捨てられたＢＳＲを送信することは、パディングＢＳＲをトリガすること、および、パディングビット数が、短いＢＳＲに短いＢＳＲサブヘッダを加えたサイズに等しいことに、さらに応答していることができる。
【０２０５】
図２５は、本開示の実施形態の態様に基づく、例示的な流れ図である。２５１０において、無線デバイスは、複数の論理チャネルが複数の論理チャネルグループにグループ化され得る複数の論理チャネルの構成パラメータを受信し得る。複数の論理チャネルグループは、第１の論理チャネルグループを含み得る。２５２０において、切り捨てられたバッファステータスレポート（ＢＳＲ）は、パディングビット数が、短いＢＳＲに短いＢＳＲサブヘッダを加えたサイズよりも大きいこと、かつ長いＢＳＲに長いＢＳＲサブヘッダを加えたサイズよりも小さいこと、に応答して、送信され得る。切り捨てられたＢＳＲは、複数の存在ビットを構成する第１のフィールドを含み得る。複数の存在ビット内の１つの存在ビットは、その存在ビットに対応する第１の論理チャネルグループに対するバッファサイズフィールドの存在を示し得る。バッファサイズフィールドは、第１の論理チャネルグループの論理チャネルにわたって利用可能なデータ量を示し得る。送信のための利用可能なデータを有する論理チャネルを有する複数の論理チャネルグループのうちの論理チャネルグループに対する第１の数のバッファサイズフィールドは、優先度の減少順に従い得る。第１の数は、パディングビット数に基づいて決定され得る。
【０２０６】
実施形態によれば、構成パラメータは、複数の論理チャネル内の１つの論理チャネルに対する優先度を示し得る。実施形態によれば、無線デバイスは、アップリンクリソース割り当てを示すアップリンクグラントを含むダウンリンク制御情報をさらに受信し得る。実施形態によれば、パディングビット数は、少なくともアップリンクグラントのサイズに基づき得る。実施形態によれば、切り捨てられたＢＳＲは、論理チャネル識別子および長さフィールドを含む媒体アクセス制御サブヘッダと関連付けられ得る。長さフィールドは、切り捨てられたＢＳＲの長さを示し得る。実施形態によれば、バッファサイズフィールドの第１の数は、パディングビットに適合する切り捨てられたＢＳＲのサイズに基づいて決定され得る。実施形態によれば、切り捨てられたＢＳＲのサイズは、第１の数のバッファサイズフィールドに依存し得る。実施形態によれば、第１のフィールドの第１の存在ビットの第１の位置は、論理チャネル識別子を識別し得る。実施形態によれば、第１の存在ビットに対する１という第１の値は、第１の存在ビットに対応する第１の論理チャネルグループに対するバッファサイズフィールドが存在することを示し得、第１の存在ビットに対するゼロという第２の値は、第１の存在ビットに対応する論理チャネルグループに対するバッファサイズフィールドが存在しないことを示し得る。実施形態によれば、無線デバイスは、切り捨てられたＢＳＲを送信することに応答して、アップリンクグラントをさらに受信し得る。実施形態によれば、無線デバイスは、パディングＢＳＲをトリガすること、および、パディングビット数が短いＢＳＲに短いＢＳＲサブヘッダを加えたサイズと等しいこと、にさらに応答して、切り捨てられたＢＳＲを送信し得る。
【０２０７】
図２６は、本開示の実施形態の態様に基づく、例示的な流れ図である。２６１０において、無線デバイスは、複数の論理チャネルグループにグループ化された複数の論理チャネルの構成パラメータを受信し得る。２６２０において、切り捨てられたバッファステータスレポート（ＢＳＲ）は、短いＢＳＲに短いＢＳＲサブヘッダを加えたサイズよりも大きく、かつ長いＢＳＲに長いＢＳＲサブヘッダを加えたサイズよりも小さいパディングビット数に応答して、送信され得る。切り捨てられたＢＳＲは、複数の論理チャネルグループ内の第１の論理チャネルグループに対する第１の存在ビットを含む一連の存在ビットを構成する第１のフィールドを含み得る。第１のフィールド内の第１の存在ビットの第１の位置は、第１の論理チャネルグループの識別子を識別し得る。第１の存在ビットの値は、第１の論理チャネルグループに対するバッファサイズフィールドの存在を示し得る。論理チャネルを有する第１の数の論理チャネルグループに対する第１の数のバッファサイズフィールドは、優先度の減少順に従って送信するための利用可能なデータを有し得る。第１の数は、パディングビット数に基づいて決定され得る。
【０２０８】
図２７は、本開示の実施形態の態様に基づく、例示的な流れ図である。２７１０において、基地局は、第１の論理チャネルグループを含む複数の論理チャネルグループにグループ化された複数の論理チャネルの構成パラメータを送信し得る。２７２０において、切り捨てられたＢＳＲは、短いＢＳＲに短いＢＳＲサブヘッダを加えたサイズよりも大きく、長いＢＳＲに長いＢＳＲサブヘッダを加えたサイズよりも小さい、パディングビット数に応答して受信され得る。切り捨てられたＢＳＲは、複数の存在ビットを含む第１のフィールドを含み得る。複数の存在ビット内の１つの存在ビットは、その存在ビットに対応する第１の論理チャネルグループに対するバッファサイズフィールドの存在を示し得る。バッファサイズフィールドは、第１の論理チャネルグループの論理チャネルにわたって利用可能なデータ量を示し得る。論理チャネルを有する複数の論理チャネルグループの第１の数の論理チャネルグループに対する第１の数のバッファサイズフィールドは、優先度の減少順に従って送信するための利用可能なデータを有し得る。第１の数は、パディングビット数に基づいて決定され得る。
【０２０９】
実施形態によれば、無線デバイスは、複数の論理チャネルが複数の論理チャネルグループにグループ化されている複数の論理チャネルの構成パラメータを受信し得る。複数の論理チャネルグループは、第１の論理チャネルグループを含み得る。無線デバイスは、パディングビット数が、短いＢＳＲに短いＢＳＲサブヘッダを加えたサイズよりも大きく、かつ長いＢＳＲに長いＢＳＲサブヘッダを加えたサイズよりも小さい、ことに応答して、切り捨てられたバッファステータスレポート（ＢＳＲ）を送信し得る。切り捨てられたＢＳＲは、複数の存在ビットを構成する第１のフィールドを含み得る。複数の存在ビット内の１つの存在ビットは、その存在ビットに対応する第１の論理チャネルグループに対するバッファサイズフィールドの存在を示し得る。切り捨てられたＢＳＲは、優先度の減少順に従って送信するための利用可能なデータを有する論理チャネルを有する複数の論理チャネルグループのうちの論理チャネルグループに対する第１の数のバッファサイズフィールドを含み得る。第１の数は、パディングビット数に基づいて決定され得る。
【０２１０】
図２８は、本開示の実施形態の態様に基づく、例示的な流れ図である。２８１０において、無線デバイスは、基地局から、複数の論理チャネルの構成パラメータを受信し得る。複数の論理チャネルは、第１の論理チャネル優先度を有する第１の論理チャネルを含み得る。第１の論理チャネルは、１つ以上の送信持続時間にマッピングされ得る。２８２０において、バッファステータスレポートは、アップリンクデータが、アップリンクデータを有する第１の複数の論理チャネル内の第１の論理チャネルに対して利用可能になること、および、第１の論理チャネル優先度が、第１の複数の論理チャネル内の１つ以上の選択された論理チャネルの１つ以上の優先度よりも大きいこと、に応答して、トリガされ得る。１つ以上の選択された論理チャネルは、１つ以上の送信持続時間にマッピングされていることに応答して、選択され得る。２８３０では、バッファステータスレポートは、基地局に送信され得る。
【０２１１】
実施形態によれば、１つ以上の選択された論理チャネルは、第１の複数の論理チャネルよりも少なくてもよい。実施形態によれば、アップリンクデータは、アップリンクデータが、第１の論理チャネルのアップリンクバッファ内で利用可能になることに応答して、第１の論理チャネルに対して利用可能になり得る。アップリンクバッファは、無線リンク制御バッファまたはパケットデータコンバージェンスプロトコルバッファであってもよい。実施形態によれば、複数の論理チャネルは、第１の複数の論理チャネルグループにグループ化され得、バッファステータスレポートは、第１の複数の論理チャネルグループ内の１つ以上の論理チャネルグループのバッファステータスを示し得る。実施形態によれば、バッファステータスレポートは、短いフォーマット、長いフォーマット、または切り捨てられたフォーマットのうちの１つであってもよい。実施形態によれば、構成パラメータは、１つ以上の選択された論理チャネル内の第２の論理チャネルが、１つ以上の送信持続時間にマッピングされているかどうかを示し得る。実施形態によれば、第１の論理チャネルは、１つ以上の送信持続時間に対する１つの論理チャネル優先度を有し得る。実施形態によれば、複数の論理チャネルは、送信持続時間に対する論理チャネルマッピングに基づいてグループ化され得る。実施形態によれば、構成パラメータは、第１の論理チャネルに対する第１の論理チャネル識別子を含み得る。実施形態によれば、無線デバイスは、バッファステータスレポートを送信することに応答して、アップリンクグラントをさらに受信し得る。
【０２１２】
図２９は、本開示の実施形態の態様に基づく、例示的な流れ図である。２９１０では、無線デバイスは、１つ以上の論理チャネルの各論理チャネルが、複数の送信持続時間の対応する１つ以上の第１の送信持続時間にマッピングされていることを示す１つ以上の論理チャネルの第１のパラメータ、および、バッファステータスレポートタイマに対する第１の値を示す第２のパラメータを含む構成パラメータを受信し得る。２９２０において、バッファステータスレポートタイマは、第２の送信持続時間に関連付けられた少なくとも１つのアップリンクグラントを受信すること、および、第２の送信持続時間にマッピングされている１つ以上の論理チャネルのうちの、データを有する少なくとも１つの論理チャネルに応答して、第１の値で開始され得る。２９３０において、バッファステータスレポートは、バッファステータスレポートタイマが満了することに応答して、送信され得る。
【０２１３】
実施形態によれば、無線デバイスは、第２の送信持続時間と関連付けられた少なくとも１つのアップリンクグラントを受信すること、および、第２の送信持続時間にマッピングされている１つ以上の論理チャネル内の、データを有する少なくとも１つの論理チャネルのいずれも受信しないことに応答して、バッファステータスレポートタイマの実行を続けることができる。実施形態によれば、構成パラメータは、時間ウィンドウを示し得、少なくとも１つのアップリンクグラントは、時間ウィンドウ内に受信される。実施形態によれば、バッファステータスレポートは、１つ以上の論理チャネルの少なくとも１つのバッファステータスを示し得る。実施形態によれば、無線デバイスは、少なくとも１つのアップリンクグラントの少なくとも１つに基づいてバッファステータスレポートを送信し得る。実施形態によれば、無線デバイスは、バッファステータスレポート媒体アクセス制御（ＭＡＣ）制御エレメントを生成するように多重化およびアセンブリプロシージャを命令することに応答して、第１の値で第１のバッファステータスレポートタイマを開始させ得る。実施形態によれば、バッファステータスレポートは、短いフォーマット、切り捨てられた、フォーマット、または長いフォーマットのうちの１つを有してもよい。実施形態によれば、バッファステータスレポートは、１つ以上の論理チャネルのうちの１つ以上の第２の論理チャネルのバッファステータスを示し得る。実施形態によれば、第１のパラメータは、１つ以上の論理チャネルの各々に対する対応する論理チャネル識別子を含み得る。実施形態によれば、無線デバイスは、バッファステータスレポートを送信することに応答して、アップリンクグラントを受信し得る。
【０２１４】
実施形態は、必要に応じて、動作するように構成され得る。開示されたメカニズムは、例えば、無線デバイス、基地局、無線環境、ネットワーク、その上記の組み合わせ、および／または同様のものにおいて、特定の判定基準が満たされたときに実行され得る。例示的な判定基準は、例えば、無線デバイスまたはネットワークノード構成、トラフィック負荷、初期システム設定、パケットサイズ、トラフィック特性、それらの組み合わせ、および／または同様のものに少なくとも部分的に基づき得る。これらの１つ以上の基準が満たされている場合に、種々の例示的実施形態が実施されてもよい。したがって、本開示のプロトコルを選択的に実行する例示的実施形態を実施することが可能であってもよい。
【０２１５】
基地局が、複数の無線デバイスからなる組み合わせと通信してもよい。無線デバイスおよび／または基地局は、複数の技術、および／またはその同じ技術の複数の解放をサポートし得る。無線デバイスは、無線デバイスのカテゴリおよび／または能力（複数可）に応じて、いくつかの特定の能力（複数可）を有し得る。基地局が、複数のセクタを含んでもよい。本開示が、複数の無線デバイスと通信する基地局を対象とする場合に、本開示がカバレッジ領域内のすべての無線デバイスのうちの一サブセットを対象としてもよい。この開示は、例えば、所与の能力を有し、かつ基地局の所与のセクタ内にある、所与のＬＴＥまたは５Ｇリリースの複数の無線デバイスに言及し得る。本開示における複数の無線デバイスが、選択された複数の無線デバイス、および／または開示される方法に従って機能する、カバレッジ領域内のすべての無線デバイスのうちの一サブセット、および／または同等物を指してもよい。本開示の方法とは適合し得ないカバレッジエリア内に複数の基地局または複数の無線デバイスが存在し得、例えば、それらの無線デバイスまたは基地局は、より古いリリースのＬＴＥまたは５Ｇ技術に基づいて実現しているからである。
【０２１６】
本開示において、「ａ」および「ａｎ」ならびに同様の成句は、「少なくとも１つ」および「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続く成句が、様々な実施形態のうちの１つ以上に使用されるかもしれない、または、されないかもしれないという多数の好適な可能性のうちの１つの例であることを暗示している。
【０２１７】
ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。成句「に基づいて」（または、同様に「少なくともに基づいて」）は、用語「に基づいて」の後に続く成句が、様々な実施形態のうちの１つ以上に使用されるかもしれない、または、されないかもしれないという多数の好適な可能性のうちの１つの例であることを暗示している。成句「に応答して」（または、同様に「少なくとも、に応答して」）は、用語「に応答して」の後に続く成句が、様々な実施形態のうちの１つ以上に使用されるかもしれない、または、されないかもしれないという多数の好適な可能性のうちの１つの例であることを暗示している。成句「に応じて」（または、同様に「少なくとも、に応じて」）は、用語「に応じて」の後に続く成句が、様々な実施形態のうちの１つ以上に使用されるかもしれない、または、されないかもしれないという多数の好適な可能性のうちの１つの例であることを暗示している。成句「採用する／使用する」（または、同様に「少なくとも、採用する／使用する」）は、用語「採用する／使用する」の後に続く成句が、様々な実施形態のうちの１つ以上に使用されるかもしれない、または、されないかもしれないという多数の好適な可能性のうちの１つの例であることを暗示している。
【０２１８】
用語「構成される」は、そのデバイスが動作状態にあろうが、または非動作状態にあろうが、デバイスの潜在能力に関係し得る。用語「構成される」は、また、そのデバイスが動作状態にあろうが、または非動作状態にあろうが、そのデバイスの動作特性に影響を及ぼすデバイス内の特定の設定を指し得る。換言すれば、ハードウェア、ソフトウェア、ファームウェア、レジスタ、メモリ値、および／または同様のものは、そのデバイスが動作状態にあろうが、または非動作状態にあろうが、デバイス内部に「構成され」、特定の特性を有するデバイスを提供する。「デバイス内で生じる制御メッセージ」などの用語は、そのデバイスが動作状態にあろうが、または非動作状態にあろうが、制御メッセージが、特定の特性を構成するように使用され得、またはデバイス内で特定の動作を実現するように使用され得るパラメータを有することを意味することがある。
【０２１９】
本開示において、様々な実施形態が開示されている。開示された例示的な実施形態からの制限、特徴、および／または要素を組み合わせて、本開示の範囲内で、さらなる実施形態を作り出すことができる。
【０２２０】
本開示では、パラメータ（または同様に、フィールド、もしくは情報エレメント：ＩＥと呼ばれる）は、１つ以上の情報オブジェクトを含み得、１つの情報オブジェクトは、１つ以上の他のオブジェクトを含み得る。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報エレメント）Ｊを含む場合、例えば、ＮはＫを含み、ＮはＪを含む。例示的実施形態にでは、１つ以上のメッセージが複数のパラメータを含むとき、それは、複数のパラメータのうちの１つのパラメータが、１つ以上のメッセージのうちの少なくとも１つに含まれるが、１つ以上のメッセージの各々に含まれる必要はないことを意味する。
【０２２１】
さらに、上記で提示された多くの特徴は、「ｍａｙ」の使用または括弧の使用を通じて任意選択であると説明されている。簡潔さおよび読みやすさのために、本開示は、１組の任意選択の特徴から選択することによって得ることができるありとあらゆる順列組み合わせを明示的に列挙していない。しかしながら、本開示は、そのような順列組み合わせをすべて明示的に開示していると解釈されるべきである。例えば、３つの任意の特徴を有するものとして記載されたシステムは、７つの異なる方法で、すなわち３つの可能な特徴のうちの１つだけ、３つの可能な特徴のうちの任意の２つ、または３つの可能な特徴のうちの３つすべてで具現化することができる。
【０２２２】
開示された実施形態に記載されたエレメントの多くは、モジュールとして具現化されてもよい。１つのモジュールは、本明細書では、定義された機能を実行し、かつ他のエレメントに対する定義されたインターフェースを有する１つのエレメントとして定義される。本開示に記載されるモジュールは、ハードウェア、ハードウェアと組み合わせたソフトウェア、ファームウェア、ウェットウェア（すなわち、生物学的要素を有するハードウェア）、またはそれらの組み合わせで具現化され得、それらはすべて動作的に等価である。例えば、モジュールは、ハードウェアマシンよって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂなど）で書かれたソフトウェアルーチン、またはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔのようなモデリング／シミュレーションプログラムとして具現化され得る。さらに、個別の、またはプログラム可能なアナログ、デジタルおよび／もしくは量子ハードウェアを組み込んだ物理的ハードウェアを使用してモジュールを具現化することが可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、ＶＨＳＩＣハードウェア記述言語（ＶＨＤＬ）またはＶｅｒｉｌｏｇなどのハードウェア記述言語（ＨＤＬ）を使用してプログラムされることが多く、プログラマブルデバイスの機能がより少ない内部ハードウェアモジュール間の接続を構成する。上記の技術は、しばしば機能モジュールの結果を達成するために組み合わせて使用される。
【０２２３】
この特許文書の開示は、著作権保護の対象となる資料を組み込んでいる。著作権所有者は、特許商標庁の特許ファイルまたは記録に記載されているように、法律によって要求される限られた目的のために、誰かによる特許文書または特許開示の複製に反対しないが、それ以外の場合は、すべての著作権を留保する。
【０２２４】
種々の実施形態を上述したが、それらは限定ではなく例として提示されたことを理解されたい。当業者には、趣旨および範囲を逸脱することなく形態および詳細の種々の変更をなし得ることが明らかであろう。実際、上記の説明を読んだ後、代替実施形態をどのように具現化するかは、当業者には明らかであろう。したがって、本実施形態は、上述の例示的実施形態のいずれによっても限定されるべきではない。
【０２２５】
さらに、機能性および利点を強調する図は、いずれも例示目的のみのために提示されていることを理解されたい開示されたアーキテクチャは、示されたもの以外の方法で利用され得るように、十分にフレキシブル性があり、かつ構成可能である。例えば、いくつかの実施形態においては、任意のフローチャートに列挙された動作は、並べ替えられてもよく、または単に任意選択で使用されてもよい。
【０２２６】
さらに、開示の要約の目的は、米国特許商標庁および一般大衆、特に特許または法的用語または表現に精通していない当該分野の科学者、技術者および実務家が、一瞥して出願の技術的な開示の性質と本質を迅速に判断できるようにすることである。開示の要約は、いかなる意味においても範囲を限定することを意図するものではない。
【０２２７】
最後に、「する手段」または「するステップ」という明示的な用語を含むクレームのみが、３５Ｕ．Ｓ．Ｃ．１１２の下で解釈されることが出願人の意図である。「する手段」または「するステップ」という語句を明示的に含まない請求項は、３５Ｕ．Ｓ．Ｃ．１１２に基づいて解釈されるべきではない。
【図１】
0006881722.tif 000005
【図２Ａ】
0006881722.tif 000006
【図２Ｂ】
0006881722.tif 000007
【図３】
0006881722.tif 000008
【図４Ａ】
0006881722.tif 000009
【図４Ｂ】
0006881722.tif 000010
【図４Ｃ】
0006881722.tif 000011
【図４Ｄ】
0006881722.tif 000012
【図５Ａ】
0006881722.tif 000013
【図５Ｂ】
0006881722.tif 000014
【図６】
0006881722.tif 000015
【図７Ａ】
0006881722.tif 000016
【図７Ｂ】
0006881722.tif 000017
【図８】
0006881722.tif 000018
【図９】
0006881722.tif 000019
【図１０Ａ】
0006881722.tif 000020
【図１０Ｂ】
0006881722.tif 000021
【図１１】
0006881722.tif 000022
【図１２】
0006881722.tif 000023
【図１３】
0006881722.tif 000024
【図１４】
0006881722.tif 000025
【図１５】
0006881722.tif 000026
【図１６】
0006881722.tif 000027
【図１７Ａ】
0006881722.tif 000028
【図１７Ｂ】
0006881722.tif 000029
【図１８】
0006881722.tif 000030
【図１９】
0006881722.tif 000031
【図２０】
0006881722.tif 000032
【図２１】
0006881722.tif 000033
【図２２】
0006881722.tif 000034
【図２３】
0006881722.tif 000035
【図２４】
0006881722.tif 000036
【図２５】
0006881722.tif 000037
【図２６】
0006881722.tif 000038
【図２７】
0006881722.tif 000039
【図２８】
0006881722.tif 000040
【図２９】
0006881722.tif 000041